(57)【要約】【課題】自然貯温ユニットを利用して半導体応用装置の温度を均一化するシステムを提供する。【解決手段】半導体応用装置の温度均一化システムは、比較的大きいかつ安定している貯温容量を持つ固相、液相の自然貯温ユニット１０１の中に、流体が流通する均熱装置１０２及び流体輸送配管１０５を設置する。流体が再び固相或いは気相半導体応用装置１０３１、１０３２を通過することによって、固相或いは気相半導体応用装置１０３１、１０３２に対して、温度を均一に調節してから、流体が再び自然貯温ユニット１０１の中に設置する均熱装置１０２へ戻るとき、自然貯温ユニット１０１と良好な均熱伝導機能を持つ均熱装置１０２によって、戻ってくる流体に対して、温度均一化機能を作動させる。これにより、従来の受動温調装置を設置する必要がなく、固相或いは気相半導体応用装置の温度を維持、冷却、加熱することができる。【選択図】図７
0003166157.tif 000002
【実用新案登録請求の範囲】
【請求項１】
一種の自然貯温ユニットを利用する半導体応用装置の温度均一化システムであって、
自然界の中に貯蔵している自然界の相対的に安定な温度エネルギーを持つ地層、地表、貯水池、湖泊、河川等の固相或いは液相の自然貯温ユニットの中に、良好な熱伝導特性を有する均熱装置を設置し、
固相或いは気相半導体を流れる温度差を示す流体に対して、温度均一化調節機能を作動させ、或いは自然貯温ユニット本体によって、流体収容空間を有し、或いは直接的に流体輸送配管を構成し、流体が直接的に自然貯温ユニットと接触することによって、通過する流体に対して、温度均一化機能を作動させ、
システムは少なくとも１ヶ所に流体輸送配管（１０５）を設け、ポンプ（１０６）のポンピングを通して、流体が半導体応用装置（１０３）に流れてから、再び流体輸送配管（１０５）を通って、比較的大きいかつ相対的に安定している貯温容量を持つ地層、地表、貯水池、湖泊、河川、砂漠、氷山、海洋等の固相或いは液相の自然貯温ユニットによって構成する自然貯温ユニット（１０１）に設置する均熱装置（１０２）へ戻り、流体流路を構成し、システムの主な構成は下記を含むことを特徴とする半導体応用装置の温度均一化システム。
−−均熱装置（１０２）：良好な熱伝導特性を有する材料によって構成され、また自然貯温ユニット（１０１）と良好な熱伝導特性を有する構造であって、均熱装置（１０２）本体に流体流入口、流体流出口及び内部流体通路を有する。或いは自然貯温ユニット（１０１）の内部に流体が流通する空間を通して、直接的に均熱装置（１０２）の貯温機能を構成することによって、良好な熱伝導特性を有する材料に取り換え、均熱装置（１０２）を形成し、或いは二個同時に設置する。一個或いは一個以上の均熱装置（１０２）に対して、同一半導体応用装置によって、自然貯温ユニットの温度均一化システムに対して、温度均一化を保つことを含む。或いは一個の均熱装置（１０２）によって、一個或いは一個以上の独立設置する自然貯温ユニットの温度均一化システムを通して半導体応用装置の温度均一化を保つ。或いは二個或いは二個以上の均熱装置（１０２）によって、二個或いは二個以上の独立設置する自然貯温ユニットの温度均一化システムを通して半導体応用装置の温度均一化を保つ。
−−半導体応用装置（１０３）：半導体応用装置によって固相或いは気相半導体によって構成する、或いは散熱装置の半導体に結合することによって構成し、或いは半導体パッケージによって構成し、或いは散熱装置パッケージと結合している半導体によって構成することを含む。半導体によって結合の散熱装置に含まれる液相、気相、固相、或いはヒートパイプを持つ散熱装置を含む。半導体応用装置の半導体種類は、下記の一種或いは一種以上によって構成することを含む：各種発光二極体（ＬＥＤ）、気相半導体の電気エネルギーを光エネルギーへ転換する発光装置、光エネルギーを電気エネルギー（ｐｈｏｔｏｖｏｌｔａｉｃ）へ転換する発電装置、パワートランジスター、整流ダイオード、サイリスタ、ＭＯＳＦＥＴ、ＩＧＢＴ、ＧＴＯ、ＳＣＲ、ＴＲＩＡＣ、及び線式トランジスター、各種半導体インテグレートサーキット、メモリー、中央処理装置（ＣＰＵ）、サーボ、或いは半導体応用装置、例えば発光二極体（ＬＥＤ）の照明装置、応用光エネルギーを電気エネルギー（ｐｈｏｔｏｖｏｌｔａｉｃ）へ転換する光エネルギー発電装置、半導体コンポネントを構成する中央処理装置（ＣＰＵ）、大型ホストコンピュータ、サーボ、電源供給装置、モータ駆動制御装置、コンバーター（ｃｏｎｖｅｒｔｅｒ）、インバーター（ｉｎｖｅｒｔｅｒ）、充電装置、電熱エネルギー制御装置、電磁エネルギー制御器、電気エネルギーを光エネルギーへ転換する駆動制御装置を含む。上述の半導体応用装置は、また温度均一化を保とうとする構成或いは上記の各種半導体応用装置（１０３）本体によって冷却或いは加熱装置の散熱器を配置し、温度均一化を保つ構成を含む。
半導体応用装置（１０３）本体の内部に、流体（１０４）を流通する配管を持ち、及び半導体応用装置（１０３）に温度を均一に保とうとする標的構造の位置に、流体（１０４）温度均一化調節構造を設置し、或いは直接的に流体（１０４）を流通する配管に、温度均一化調節の標的位置を通過するときに、直接的に温度均一化調節機能を作動させ、またニーズによって流体分流配管（１１９）、分流制御バルブ（１２０）、分流補助ポンプ（１２１）等の装置を選択的に設置し、自然貯温ユニット（１０１）の中に設置する均熱装置（１０２）を通過する流体（１０４）を導入し、半導体応用装置（１０３）を通過することによって、選定する個別温度を均一に保とうとする一部の温度を均一に調節し、また再び均熱装置（１０２）へ戻り、循環を形成することによって、温度均一化機能を作動させる。
−−流体（１０４）：熱伝送機能を持つ気体或いは液体等の流体が、システム作動中にポンプ（１０６）のポンピングを受け、流体が自然貯温ユニット（１０１）の中に設置する均熱装置（１０２）を通過してから、及び流体輸送配管（１０５）を通過してから、及びニーズによって選択的に設置する半導体応用装置（１０３）の分流配管（１１９）を通過してから、再び流体輸送配管（１０５）を経て、均熱装置（１０２）へ戻り、循環を形成することによって、温度均一化機能を作動させる。
−−流体輸送配管（１０５）：流体（１０４）が流動する配管構造によって構成し、均熱装置（１０２）と半導体応用装置（１０３）の間に設置し、またポンプ（１０６）を連続設置する。流体輸送配管（１０５）はニーズによってオープン式或いは引き抜ける構造を選択的に設置することによって、整備作業が便利になる。
上記の流体輸送配管（１０５）は、更に比較的耐熱性が良い材料によって構成し、或いは少なくとも一層の耐熱性材料によって構成し、或いは耐熱性材料の塗布層によって構成することによって、内部流体が流体輸送配管（１０５）を通過するとき、比較的周辺温度に影響されない。
−−ポンプ（１０６）：電力、機械力、人力、その他自然力を動力源とし、流体ポンプを駆動することによって構成され、流体輸送配管（１０５）に連続的に設置する。制御ユニット（１１０）の制御を受けることによって、流体（１０４）をポンピングする。本項のポンピング機能を流体の温かい空気は上昇し、冷たい空気は下降する対流効果に取り換える。
−−温度測定装置（１０７）：各種のよく使われるアナログ或いはデジタル機械電気或いは固相電子装置によって構成され、半導体応用装置（１０３）に設置する。温度を指示し、或いは制御信号を制御ユニット（１１０）へフィードバックし、及び制御ポンプ（１０６）を通して、システムを設定温度範囲内に作動或いは停止させ、及びシステムに温度調節補助装置（１０９）を設置し、ポンプ（１０６）が設定時間に作動しても、温度は設定範囲内に到達できないとき、温度調節補助装置（１０９）を起動する。本項の装置はニーズによって、設置或いは設置しないことを選択することができる。
−−ろ過装置（１０８）：流体の雑質をろ過し、配管の閉塞を防ぐ。流体の清潔度を確保するために、のろ過装置を流体循環回路の各項装置の流体吸入口或いは流出口に装置し、或いは流体輸送配管（１０５）の中の選定位置に設置する。本項のろ過装置（１０８）はニーズによって、設置或いは設置しないことを選択することができる。
−−温度調節補助装置（１０９）：流体（１０４）に対して加熱或いは冷却する機械電気式の固相、気相、液相調温装置によって構成され、或いは固相または半導体によって構成する電気エネルギーの加熱或いは冷却装置によって構成され、制御ユニット（１１０）の制御を受け、システム温度が設定範囲から外れたとき、温度調節補助装置（１０９）を起動することによって、流体（１０４）に対して加熱或いは冷却の位置で、加熱或いは冷却温度制御を作動させる。本項の装置はニーズによって、設置或いは設置しないことを選択することができる。
−−制御ユニット（１１０）：機械電気或いは固体素子回路及びソフトウェア関連によって構成され、その機能は温度測定装置（１０７）の温度測定信号及びシステムの温度設定値、流体制御ポンプ（１０６）、流体（１０４）を圧送することによって、一方向流動の連続圧送を作動させ、或いは間欠圧送を作動させ、均熱装置（１０２）と半導体応用装置（１０３）間の流体（１０４）の流向と流量を制御する。及び制御ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助する。及びシステム温度が異常になったとき、システムを制御し、負荷を低減させるか断電する。
もし半導体応用装置（１０３）に流体分流配管（１１９）、分流制御バルブ（１２０）、分流補助ポンプ（１２１）を選択的に設置するとき、制御ユニット（１１０）より分流制御バルブ（１２０）及び分流補助ポンプ（１２１）の作動を制御し、各流体分流配管（１１９）中の流体（１０４）を圧送または圧送を停止させ、及びその流量或いはその他関連機能の作動を制御する。
本項の制御ユニット（１１０）はニーズによって機能を設定し、またニーズによって設置或いは設置しないことを選択することができる。
【請求項２】
請求項１記載の半導体応用装置の温度均一化システムであって、
一方向流動する流体を通して間接的に温度均一化システムを含み、加設する中継均熱器（２０２）を通して間接的に温度エネルギーを伝送することにより、一方向流動を通して間接的に温度均一化調節システムを構成し、自然貯温ユニット（１０１）に均熱装置（１０２）、半導体応用装置（１０３）、流体（１０４）、流体輸送配管（１０５）、ポンプ（１０６）、温度測定装置（１０７）、ろ過装置（１０８）、制御ユニット（１１０）を設置する以外に、また温度調節補助装置（１０９）、分流配管（１１９）、分流制御バルブ（１２０）、分流補助ポンプ（１２１）を選択的に設置することによって、自然貯温ユニット（１０１）の中に、良好な熱伝導特性を有する均熱装置（１０２）を設置し、均熱装置（１０２）と自然貯温ユニット（１０１）によって、均熱伝送機能を作動させる以外に、本項の一方向流動する流体を通して、間接的に温度均一化調節システムになり、その主な構成は更に下記を含むことを特徴とする半導体応用装置の温度均一化システム。
−−中継均熱器（２０２）、一個或いは一個以上の良好な貯熱及び熱伝導材料によって構成され、中継均熱器（２０２）本体に流体（１０４）流入口と流通通路と流出口の第一流体通路と流体（２０４）流入口、流通通路と流出口の第二流体通路を有し、流体（１０４）と流体（２０４）を通して、中継均熱器（２０２）が互いに温度エネルギーを伝送する。
−−均熱装置（１０２）と中継均熱器（２０２）の間に流体輸送配管（２０５）及び流体中継ポンプ（２０６）を設け、連続或いは間欠的に一方向流動均熱装置（１０２）と中継均熱器（２０２）間の流体（２０４）を圧送してサイクルポンピングし、閉鎖環状流路を形成することによって、均熱装置（１０２）と中継均熱器（２０２）間の温度均一化調節機能を作動させる。
−−半導体応用装置（１０３）と中継均熱器（２０２）の間に、流体輸送配管（１０５）及びポンプ（１０６）を設け、連続或いは間欠的に単方向に半導体応用装置（１０３）と中継均熱器（２０２）間の流体（１０４）を圧送し、温度均一化機能を作動させる。
−−流体輸送配管（１０５）：流体（１０４）が流動している配管構造によって構成する。流体輸送配管（１０５）はニーズによって、オープン式或いは引き抜ける構造を選択的に設置することによって、整備作業が便利になる。
上記の流体輸送配管（１０５）は、更に比較的耐熱性が良い材料によって構成し、或いは少なくとも一層の耐熱性材料によって構成し、或いは耐熱性材料の塗布層によって構成することによって、内部流体が流体輸送配管（１０５）を通過するとき、比較的周辺温度に影響されない。
−−流体（１０４）：良好な貯熱及び熱伝導性を有する気体或いは液体によって構成することを含む。ポンプ（１０６）のポンピングを通して、中継均熱器（２０２）と半導体応用装置（１０３）間の流体（１０４）が、流体輸送配管（１０５）を経過して流路を構成することによって、温度均一化機能を作動させる。流体（１０４）ニーズによって流体（２０４）と同じ或いは異なるものを選択することができる。
−−流体輸送配管（２０５）：流体（２０４）が流動している配管構造によって構成する。流体輸送配管（２０５）はニーズによって、オープン式或いは引き抜ける構造を選択的に設置することによって、整備作業が便利になる。
上記の流体輸送配管（２０５）は、更に比較的耐熱性が良い材料によって構成し、或いは少なくとも一層の耐熱性材料によって構成し、或いは耐熱性材料の塗布層によって構成することによって、内部流体が流体輸送配管（２０５）を通過するとき、比較的周辺温度に影響されない。
−−流体（２０４）：良好な貯熱及び熱伝導性を有する気体或いは液体によって構成することを含む。ポンプ（２０６）のポンピングを通して、均熱装置（１０２）と中継均熱器（２０２）間の流体（２０４）が、流体輸送配管（２０５）を経過して流路を構成することによって、温度均一化機能を作動させる。流体（２０４）ニーズによって流体（１０４）と同じ或いは異なるものを選択することができる。
−−ポンプ（１０６）：電力或いは機械力で流体ポンプを駆動することによって構成し、流体（１０４）をポンピングする。本項のポンピング機能を流体の温かい空気は上昇し、冷たい空気は下降する対流効果に取り換える。
−−中継ポンプ（２０６）：電力或いは機械力で流体ポンプを駆動することによって構成し、流体（２０４）をポンピングする。本項のポンピング機能を流体の温かい空気は上昇し、冷たい空気は下降する対流効果に取り換える。
−−半導体応用装置（１０３）と中継均熱器（２０２）の間に、流体輸送配管（１０５）及びポンプ（１０６）を設け、ポンプ（１０６）を通して半導体応用装置（１０３）と中継均熱器（２０２）間の流体（１０４）をポンピングすることによって、温度均一化機能を作動させる。
−−制御ユニット（１１０）：機械電気或いは固体素子回路及びソフトウェア関連によって構成され、その機能は温度測定装置（１０７）の温度測定信号及びシステムの温度設定値、流体制御ポンプ（１０６）、流体（１０４）を圧送することによって、一方向流動の連続圧送を作動させ、或いは間欠圧送を作動させ、及び半導体応用装置（１０３）と中継均熱器（２０２）間の流体（１０４）の流向及び流量を制御し、また中継均熱器（２０２）と均熱装置（１０２）間の流体（２０４）の流向と流量を制御し、及び流体ポンプ（１０６）によって圧送する流体（１０４）を制御し、或いは中継ポンプ（２０６）によって圧送する流体（２０４）を制御することによって、一方向流動の連続圧送を作動させ或いは間欠圧送を作動させる。及び制御ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助する。及びシステム温度が異常になったとき、システムを制御し、負荷を低減させるか断電する。その制御作動は下記を含む。
制御ユニット（１１０）を通して、ポンプ（１０６）を制御することによって、一方向流動の連続ポンピング作動或いは間欠ポンピングを作動させ、半導体応用装置（１０３）と中継均熱器（２０２）間の流体（１０４）をポンピングすることによって、一方向流動の温度均一化の制御を構成する。
制御ユニット（１１０）を通して、中継ポンプ（２０６）を制御することによって、一方向流動の連続ポンピング或いは間欠ポンピングを作動させ、均熱装置（１０２）と中継均熱器（２０２）間の流体（２０４）をポンピングすることによって、一方向流動の温度均一化の制御を構成する。
もし半導体応用装置（１０３）に分流配管（１１９）、分流制御バルブ（１２０）、分流補助ポンプ（１２１）を選択的に設置するとき、制御ユニット（１１０）より分流制御バルブ（１２０）及び分流補助ポンプ（１２１）の作動を制御し、各流体分流配管（１１９）中の流体（１０４）を圧送または圧送を停止させ、及びその流量或いはその他関連機能の作動を制御する。
本項の制御ユニット（１１０）はニーズによって機能を設定し、またニーズによって、設置或いは設置しないことを選択することができる。
【請求項３】
請求項１記載の半導体応用装置の温度均一化システムであって、
二方向流動する流体を通して直接的に温度均一化システムを含み、比較的大きいかつ相対的に安定している貯温容量を持つ地層、地表、貯水池、湖泊、河川、砂漠、氷山、海洋等の固相或いは液相の自然貯温ユニットによって構成する自然貯温ユニット（１０１）の中に、良好な熱伝導特性を有する均熱装置（１０２）を設置し、均熱装置（１０２）と自然貯温ユニット（１０１）によって、均熱を伝送する機能を作動させ、システムの主な構成は下記を含むことを特徴とする半導体応用装置の温度均一化システム。
−−均熱装置（１０２）：良好な熱伝導特性を有する材料によって構成され、また自然貯温ユニット（１０１）と良好な熱伝導特性を有する構造であって、均熱装置（１０２）本体に流体流入口、流体流出口及び内部流体通路を有する。或いは自然貯温ユニット（１０１）の内部に流体が流通する空間を通して、直接的に均熱装置（１０２）の貯温機能を構成することによって、良好な熱伝導特性を有する材料に取り換え、均熱装置（１０２）を形成し、或いは二個同時に設置する。一個或いは一個以上の均熱装置（１０２）に対して、同一半導体応用装置によって、自然貯温ユニットの温度均一化システムに対して、温度均一化を保つことを含む。或いは一個の均熱装置（１０２）によって、一個或いは一個以上の独立設置する自然貯温ユニットの温度均一化システムを通して半導体応用装置の温度均一化を保つ。或いは二個或いは二個以上の均熱装置（１０２）によって、二個或いは二個以上の独立設置する自然貯温ユニットの温度均一化システムを通して半導体応用装置の温度均一化を保つ。
−−半導体応用装置（１０３）：半導体応用装置によって固相或いは気相半導体によって構成する、或いは散熱装置の半導体に結合することによって構成し、或いは半導体パッケージによって構成し、或いは散熱装置パッケージと結合している半導体によって構成することを含む。半導体によって結合の散熱装置に含まれる液相、気相、固相、或いはヒートパイプを持つ散熱装置を含む。半導体応用装置の半導体種類は、下記の一種或いは一種以上によって構成することを含む：各種発光二極体（ＬＥＤ）、気相半導体の電気エネルギーを光エネルギーへ転換する発光装置、光エネルギーを電気エネルギー（ｐｈｏｔｏｖｏｌｔａｉｃ）へ転換する発電装置、パワートランジスター、整流ダイオード、サイリスタ、ＭＯＳＦＥＴ、ＩＧＢＴ、ＧＴＯ、ＳＣＲ、ＴＲＩＡＣ、及び線式トランジスター、各種半導体インテグレートサーキット、メモリー、中央処理装置（ＣＰＵ）、サーボ、或いは半導体応用装置、例えば発光二極体（ＬＥＤ）の照明装置、応用光エネルギーを電気エネルギー（ｐｈｏｔｏｖｏｌｔａｉｃ）へ転換する光エネルギー発電装置、半導体コンポネントを構成する中央処理装置（ＣＰＵ）、大型ホストコンピュータ、サーボ、電源供給装置、モータ駆動制御装置、コンバーター（ｃｏｎｖｅｒｔｅｒ）、インバーター（ｉｎｖｅｒｔｅｒ）、充電装置、電熱エネルギー制御装置、電磁エネルギー制御器、電気エネルギーを光エネルギーへ転換する駆動制御装置を含む。上述の半導体応用装置は、また温度均一化を保とうとする構成或いは上記の各種半導体応用装置（１０３）本体によって冷却或いは加熱装置の散熱器を配置し、温度均一化を保つ構成を含む。
半導体応用装置（１０３）本体の内部に、流体（１０４）を流通する配管を持ち、及び半導体応用装置（１０３）に温度を均一に保とうとする標的構造の位置に、流体（１０４）温度均一化調節構造を設置し、或いは直接的に流体（１０４）を流通する配管に、温度均一化調節の標的位置を通過するときに、直接的に温度均一化調節機能を作動させ、またニーズによって流体分流配管（１１９）、分流制御バルブ（１２０）、分流補助ポンプ（１２１）等の装置を選択的に設置し、自然貯温ユニット（１０１）の中に設置する均熱装置（１０２）を通過する流体（１０４）を導入し、半導体応用装置（１０３）を通過することによって、選定する個別温度を均一に保とうとする一部の温度を均一に調節し、また再び均熱装置（１０２）へ戻り、循環を形成することによって、温度均一化機能を作動させる。
−−流体（１０４）：熱伝送機能を持つ気体或いは液体等の流体が、システム作動中にポンプ（１０６）のポンピングを受け、流体が自然貯温ユニット（１０１）の中に設置する均熱装置（１０２）を通過してから、及び流体輸送配管（１０５）を通過してから、及びニーズによって選択的に設置する半導体応用装置（１０３）の分流配管（１１９）を通過してから、再び流体輸送配管（１０５）を経て、均熱装置（１０２）へ戻り、循環を形成することによって、温度均一化機能を作動させる。
−−流体輸送配管（１０５）：流体（１０４）が流動する配管構造によって構成し、均熱装置（１０２）と半導体応用装置（１０３）の間に設置し、またポンプ（１０６）を連続設置する。流体輸送配管（１０５）はニーズによってオープン式或いは引き抜ける構造を選択的に設置することによって、整備作業が便利になる。
上記の流体輸送配管（１０５）は、更に比較的耐熱性が良い材料によって構成し、或いは少なくとも一層の耐熱性材料によって構成し、或いは耐熱性材料の塗布層によって構成することによって、内部流体が流体輸送配管（１０５）を通過するとき、比較的周辺温度に影響されない。
−−ポンプ（１０６）：電力、機械力、人力、その他自然力を動力源とし、流体ポンプを駆動することによって構成され、流体輸送配管（１０５）に連続的に設置する。制御ユニット（１１０）の制御を受けることによって、流体（１０４）をポンピングする。本項のポンピング機能を流体の温かい空気は上昇し、冷たい空気は下降する対流効果に取り換える。
−−温度測定装置（１０７）：各種のよく使われるアナログ或いはデジタル機械電気或いは固相電子装置によって構成され、半導体応用装置（１０３）に設置する。温度を指示し、或いは制御信号を制御ユニット（１１０）へフィードバックし、及び制御ポンプ（１０６）を通して、システムを設定温度範囲内に作動或いは停止させ、及びシステムに温度調節補助装置（１０９）を設置し、ポンプ（１０６）が設定時間に作動しても、温度は設定範囲内に到達できないとき、温度調節補助装置（１０９）を起動する。本項の装置はニーズによって、設置或いは設置しないことを選択することができる。
−−ろ過装置（１０８）：流体の雑質をろ過し、配管の閉塞を防ぐ。流体の清潔度を確保するために、のろ過装置を流体循環回路の各項装置の流体吸入口或いは流出口に装置し、或いは流体輸送配管（１０５）の中の選定位置に設置する。本項のろ過装置（１０８）はニーズによって、設置或いは設置しないことを選択することができる。
−−温度調節補助装置（１０９）：流体（１０４）に対して加熱或いは冷却する機械電気式の固相、気相、液相調温装置によって構成され、或いは固相または半導体によって構成する電気エネルギーの加熱或いは冷却装置によって構成され、制御ユニット（１１０）の制御を受け、システム温度が設定範囲から外れたとき、温度調節補助装置（１０９）を起動することによって、流体（１０４）に対して加熱或いは冷却の位置で、加熱或いは冷却温度制御を作動させる。本項の装置はニーズによって、設置或いは設置しないことを選択することができる。
−−制御ユニット（１１０）：機械電気或いは固体素子回路及びソフトウェア関連によって構成され、その機能は温度測定装置（１０７）の温度測定信号及びシステムの温度設定値、流体制御ポンプ（１０６）、流体（１０４）を圧送することによって、一方向流動の連続圧送を作動させ、或いは間欠圧送を作動させ、均熱装置（１０２）と半導体応用装置（１０３）間の流体（１０４）の流向と流量を制御する。及び制御ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助する。及びシステム温度が異常になったとき、システムを制御し、負荷を低減させるか断電する。周期的に正方向または逆方向に切替えることによって、流体（１０４）の流向を圧送し、その作動方式連続圧送作動と間欠圧送作動を含む。その制御作動は下記を含む。
−−制御ユニット（１１０）を通してポンプ（１０６）を制御し、流体（１０４）に対して、周期的に正方向または逆方向へ圧送し、均熱装置（１０２）、流体輸送配管（１０５）及び半導体応用装置（１０３）内部を通過する流体（１０４）の流向を周期的に切替え、均熱装置（１０２）及び半導体応用装置（１０３）の流体流入口と流出口を通過する流体（１０４）は、流向を周期的に切替えることによって、温度均一化を保つ効果が高くなり、二方向流動の温度均一化を制御する。
もし半導体応用装置（１０３）に流体分流配管（１１９）、分流制御バルブ（１２０）、分流補助ポンプ（１２１）を選択的に設置するとき、制御ユニット（１１０）より分流制御バルブ（１２０）及び分流補助ポンプ（１２１）の作動を制御し、各流体分流配管（１１９）中の流体（１０４）を圧送または圧送を停止させ、及びその流量或いはその他関連機能の作動を制御する。
本項の制御ユニット（１１０）はニーズによって機能を設定し、またニーズによって設置或いは設置しないことを選択することができる。
【請求項４】
請求項１記載の半導体応用装置の温度均一化システムであって、
二方向流動を通して、間接的に温度均一化調節システムを含み、加設する中継均熱器（２０２）を通して、間接的に温度エネルギーを伝送することにより、二方向流動を通して間接的に温度均一化調節システムを構成し、自然貯温ユニット（１０１）に均熱装置（１０２）、半導体応用装置（１０３）、流体（１０４）、流体輸送配管（１０５）、ポンプ（１０６）、温度測定装置（１０７）、ろ過装置（１０８）、制御ユニット（１１０）を設置する以外に、また温度調節補助装置（１０９）、分流配管（１１９）、分流制御バルブ（１２０）、分流補助ポンプ（１２１）を選択的に設置することによって、比較的大きいかつ相対的に安定している貯温容量を持つ地層、地表、貯水池、湖泊、河川、砂漠、氷山、海洋等の固相或いは液相の自然貯温ユニットによって構成する自然貯温ユニット（１０１）の中に、良好な熱伝導特性を有する均熱装置（１０２）を設置し、均熱装置（１０２）と自然貯温ユニット（１０１）によって、均熱伝送機能を作動させる以外に、本項の二方向流動する流体を通して、間接的に温度均一化調節システムになり、その主な構成は更に下記を含むことを特徴とする半導体応用装置の温度均一化システム。
−−中継均熱器（２０２）、一個或いは一個以上の良好な貯熱及び熱伝導材料によって構成され、中継均熱器（２０２）本体に流体（１０４）流入口と流通通路と流出口の第一流体通路と流体（２０４）流入口、流通通路と流出口の第二流体通路を有し、流体（１０４）と流体（２０４）を通して、中継均熱器（２０２）が互いに温度エネルギーを伝送する。
−−均熱装置（１０２）と中継均熱器（２０２）の間に流体輸送配管（２０５）及び流体中継ポンプ（２０６）を設け、連続或いは周期的に正方向または逆方向へ間欠圧送する均熱装置（１０２）と中継均熱器（２０２）間の流体（２０４）を圧送してサイクルポンピングし、閉鎖環状流路を形成することによって、均熱装置（１０２）と中継均熱器（２０２）間の温度均一化調節機能を作動させる。
−−半導体応用装置（１０３）と中継均熱器（２０２）の間に、流体輸送配管（１０５）及びポンプ（１０６）を設け、周期的に正方向または逆方向へ連続或いは間欠圧送する半導体応用装置（１０３）と中継均熱器（２０２）間の流体（１０４）を圧送し、温度均一化機能を作動させる。
−−流体輸送配管（１０５）：流体（１０４）が流動している配管構造によって構成する。流体輸送配管（１０５）はニーズによって、オープン式或いは引き抜ける構造を選択的に設置することによって、整備作業が便利になる。
−−流体輸送配管（１０５）：流体（１０４）が流動している配管構造によって構成する。流体輸送配管（１０５）はニーズによって、オープン式或いは引き抜ける構造を選択的に設置することによって、整備作業が便利になる。
上記の流体輸送配管（１０５）は、更に比較的耐熱性が良い材料によって構成し、或いは少なくとも一層の耐熱性材料によって構成し、或いは耐熱性材料の塗布層によって構成することによって、内部流体が流体輸送配管（１０５）を通過するとき、比較的周辺温度に影響されない。
−−流体（１０４）：良好な貯熱及び熱伝導性を有する気体或いは液体によって構成することを含む。ポンプ（１０６）のポンピングを通して、中継均熱器（２０２）と半導体応用装置（１０３）間の流体（１０４）が、流体輸送配管（１０５）を経過して流路を構成することによって、温度均一化機能を作動させる。流体（１０４）ニーズによって流体（２０４）と同じ或いは異なるものを選択することができる。
−−流体輸送配管（２０５）：流体（２０４）が流動している配管構造によって構成する。流体輸送配管（２０５）はニーズによって、オープン式或いは引き抜ける構造を選択的に設置することによって、整備作業が便利になる。
上記の流体輸送配管（２０５）は、更に比較的耐熱性が良い材料によって構成し、或いは少なくとも一層の耐熱性材料によって構成し、或いは耐熱性材料の塗布層によって構成することによって、内部流体が流体輸送配管（２０５）を通過するとき、比較的周辺温度に影響されない。
−−流体（２０４）：良好な貯熱及び熱伝導性を有する気体或いは液体によって構成することを含む。ポンプ（２０６）のポンピングを通して、均熱装置（１０２）と中継均熱器（２０２）間の流体（２０４）が、流体輸送配管（２０５）を経過して流路を構成することによって、温度均一化機能を作動させる。流体（２０４）ニーズによって流体（１０４）と同じ或いは異なるものを選択することができる。
−−ポンプ（１０６）：電力、機械力、人力、その他自然力を動力源とし、流体ポンプを駆動することによって構成され、流体輸送配管（１０５）に連続的に設置する。制御ユニット（１１０）の制御を受けることによって、流体（１０４）をポンピングする。本項のポンピング機能を流体の温かい空気は上昇し、冷たい空気は下降する対流効果に取り換える。
−−中継ポンプ（２０６）：電力或いは機械力で流体ポンプを駆動することによって構成し、流体（２０４）をポンピングする。本項のポンピング機能を流体の温かい空気は上昇し、冷たい空気は下降する対流効果に取り換える。
−−制御ユニット（１１０）：機械電気或いは固体素子回路及びソフトウェア関連によって構成され、その機能は温度測定装置（１０７）の温度測定信号及びシステムの温度設定値、流体制御ポンプ（１０６）、流体（１０４）を圧送することによって、一方向流動の連続圧送を作動させ、或いは間欠圧送を作動させ、及び半導体応用装置（１０３）と中継均熱器（２０２）間の流体（１０４）の流向及び流量を制御し、また中継均熱器（２０２）と均熱装置（１０２）間の流体（２０４）の流向と流量を制御し、及び流体ポンプ（１０６）によって圧送する流体（１０４）を制御し、或いは中継ポンプ（２０６）によって圧送する流体（２０４）を制御することによって、周期的に正方向または逆方向に切替えることによって、流体（１０４）或いは流体（２０４）の流向をポンピングし、その作動方式は連続ポンピング作動或いは間欠ポンピング作動を含む。及び制御ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助する。及びシステム温度が異常になったとき、システムを制御し、負荷を低減させるか断電する。その制御作動は下記を含む：
制御ユニット（１１０）を通してポンプ（１０６）を制御し、流体（１０４）に対して周期的に正方向または逆方向へ圧送し、中継均熱装置（２０２）、流体輸送配管（１０５）、半導体応用装置（１０３）の流体（１０４）内部を通過する流向を周期的に切替え、中継均熱器（２０２）及び半導体応用装置（１０３）の流体流入口と流出口の流体（１０４）は、流向を周期的に切替えることによって、温度均一化の効果が高くなり、二方向流動の温度均一化を制御する。
制御ユニット（１１０）を通して中継ポンプ（２０６）を制御し、流体（２０４）に対して周期的に正方向または逆方向へ圧送し、均熱装置（１０２）、流体輸送配管（２０５）、中継均熱器（２０２）の流体（２０４）内部を通過する流向を周期的に切替え、中継均熱器（２０２）及び均熱装置（１０２）の流体流入口と流出口の流体（２０４）は、流向を周期的に切替えることによって、温度均一化の効果が高くなり、二方向流動の温度均一化を制御する。
もし半導体応用装置（１０３）に分流配管（１１９）、分流制御バルブ（１２０）、分流補助ポンプ（１２１）を選択的に設置するとき、制御ユニット（１１０）より分流制御バルブ（１２０）及び分流補助ポンプ（１２１）の作動を制御し、各流体分流配管（１１９）中の流体（１０４）を圧送または圧送を停止させ、及びその流量或いはその他関連機能の作動を制御する。
本項の制御ユニット（１１０）はニーズによって機能を設定し、またニーズによって、設置或いは設置しないことを選択することができる。
【請求項５】
システムの均熱装置（１０２）と半導体応用装置（１０３）間の均熱作動方式は、均熱装置（１０２）と半導体応用装置（１０３）の間に、少なくとも一個の流体輸送配管（１０５）と少なくとも一個ポンプ（１０６）を設置して閉鎖流路を形成し、ポンプ（１０６）を通して良好な熱伝導特性を有する流体（１０４）を圧送し、一方向流動を連続或いは間欠圧送し、或いはその圧送流量を制御することによって、均熱装置（１０２）と半導体応用装置（１０３）間の温度均一化機能を作動させることを特徴とする請求項１記載の半導体応用装置の温度均一化システム。
【請求項６】
システムの均熱装置（１０２）と半導体応用装置（１０３）間の均熱作動方式は、均熱装置（１０２）と半導体応用装置（１０３）の間に、流体（１０４）を通過する流体輸送配管（１０５）及びポンプ（１０６）を設け、制御ポンプ（１０６）の流体（１０４）のポンピングを制御することによって、連続或いは間欠ポンピングを行い、その流体のポンピング流向を周期的に切替えることによって、均熱装置（１０２）と半導体応用装置（１０３）間の温度差を均衡することを特徴とする請求項３記載の半導体応用装置の温度均一化システム。
【請求項７】
伝熱性が良く使用可能なヒートパイプを直接的に均熱装置（１０２）と半導体応用装置（１０３）の間に設置することによって、流体輸送配管（１０５）を取り換え、或いは選択的に設置する分流配管（１１９）を取り換えることによって、温度均一化機能を作動させることを特徴とする請求項５或いは請求項６記載の半導体応用装置の温度均一化システム。
【請求項８】
そのシステムの均熱装置（１０２）と中継均熱器（２０２）間の均熱作動方式は、均熱装置（１０２）と中継均熱器（２０２）の間に、少なくとも一個の流体（２０４）を流れる流体輸送配管（２０５）を設け、及び少なくとも一個の中継ポンプ（２０６）によって閉鎖流路を形成し、中継ポンプ（２０６）を通して、良好な熱伝導特性を有する流体（２０４）を圧送し、一方向流動の連続或いは間欠圧送を行い、或いはその圧送流量を制御することによって、均熱装置（１０２）と中継均熱器（２０２）の間に、温度均一化機能を作動させる。システムの中継均熱器（２０２）と半導体応用装置（１０３）間の均熱作動方式は、中継均熱器（２０２）と半導体応用装置（１０３）の間に、少なくとも一個の流体輸送配管（１０５）を設け、及び少なくとも一個のポンプ（１０６）によって閉鎖流路を形成し、ポンプ（１０６）を通して、良好な熱伝導特性を有する流体（１０４）を圧送し、一方向流動の連続或いは間欠圧送を行い、或いはその圧送流量を制御することによって、中継均熱器（２０２）と半導体応用装置（１０３）の間に、温度均一化機能を作動させることを特徴とする請求項２記載の半導体応用装置の温度均一化システム。
【請求項９】
その均熱装置（１０２）と中継均熱器（２０２）間の均熱作動方式は、少なくとも一個中継均熱器（２０２）と少なくとも１セットの均熱装置（１０２）の間に、少なくとも一個の流体（２０４）を流れる流体輸送配管（２０５）及び中継ポンプ（２０６）を設け、中継ポンプ（２０６）の流体（２０４）のポンピングを制御し、連続或いは間欠ポンピングを行い、その流体のポンピング流向を周期的に切替えることによって、中継均熱器（２０２）和均熱装置（１０２）間の温度差を均衡し、
システムの中継均熱器（２０２）と半導体応用装置（１０３）間の均熱作動方式は、中継均熱器（２０２）と半導体応用装置（１０３）の間に、流体（１０４）を通過させる流体輸送配管（１０５）及びポンプ（１０６）を設け、ポンプ（１０６）の流体（１０４）のポンピングを制御し、連続或いは間欠ポンピングを行い、その流体のポンピング流向を周期的に切替えることによって、中継均熱器（２０２）と半導体応用装置（１０３）間の温度差を均衡することを特徴とする請求項４記載の半導体応用装置の温度均一化システム。
【請求項１０】
伝熱性が良く使用可能なヒートパイプを直接的に均熱装置（１０２）と中継均熱器（２０２）の間に設置することによって、流体輸送配管（２０５）を取り換え、或いは中継均熱器（２０２）と半導体応用装置（１０３）の間に設置することによって、流体輸送配管（１０５）を取り換え、或いは選択的に設置する分流配管（１１９）を取り換えることによって、温度均一化機能を作動させることを特徴とする請求項２或いは請求項４記載の半導体応用装置の温度均一化システム。
【請求項１１】
均熱装置（１０２）と中継均熱器（２０２）の間に配置する中継ポンプ（２０６）が流体（２０４）に対するポンピングは、及び中継均熱器（２０２）と半導体応用装置（１０３）の間に配置するポンプ（１０６）が流体（１０４）に対するポンピングの作動時期は、流体（１０４）及び流体（２０４）に対して、同時或いは異なる時期にポンピングを行い、周期的にポンピング流向の二方向流動のポンピングへ切替え、またニーズによってポンプ（１０６）或いは中継ポンプ（２０６）の中の一つを選択し、一方向流動の連続或いは間欠ポンピングを行い、もう一つのポンプは、周期的に流向の連続或いは間欠ポンピングを切替えることを特徴とする請求項２或いは請求項４記載の半導体応用装置の温度均一化システム。
【請求項１２】
そのポンプ（１０６）或いは中継ポンプ（２０６）は、
（１）単一ポンプによって、一方向流動の連続ポンピングを行う、
（２）単一ポンプによって、一方向流動の間欠ポンピングを行う、
（３）単一ポンプによって、一方向流動のポンピングを行い、流向変更可能なバルブによって制御し、周期によってポンピング流体の流向を変換する、
（４）多セットの異なる動力源のポンプを通して、同時に流向が異なるポンピングを行い、或いは別々に周期によってポンピング流体の流向を変換する、
（５）同一動力源を通して、同時に異なる流向のポンプを駆動し、連続的に異なる流向のポンピングを行い、或いは更に周期によってポンピング流体の流向を変換する、
（６）二方向回転ポンピング機能の二方向流動のポンプを使用し、動力源の回転方向を変更するにより、周期によってポンピング流体の流向を変換する、
のいずれか一つ以上の構成とすることができることを特徴とする請求項１、請求項２、請求項３、請求項４のいずれか一項記載の半導体応用装置の温度均一化システム。
【請求項１３】
その流体輸送配管（１０５）或いは流体輸送配管（２０５）、また選択的に設置する分流配管（１１９）は、貯熱性が高い材料で長さ及び特定の幾何形状構造によって構成することが可能で、例えばジグザグ形、迷路形、渦巻き形によって構成することが可能で、自然貯温ユニット（１０１）の中に埋め込むことによって、均熱装置（１０２）の構成と自然貯温ユニット（１０１）間の均熱機能を取り換える或いは協力することを特徴とする請求項１、請求項２、請求項３、請求項４のいずれか一項記載の半導体応用装置の温度均一化システム。
【請求項１４】
ニーズによって下記の補助制御装置を選択的に設置することが可能であることを特徴とする請求項１、請求項２、請求項３、請求項４のいずれか一項記載の半導体応用装置の温度均一化システム。
−−ろ過装置（１０８）：配管の閉塞を防ぎ及び清潔機能を持つろ過装置であって、システムの各項装置の流体吸入口或いは流出口に装置し、或いは流体輸送配管の中に設置する。ろ過装置はフィルター或いはその他よく使われるろ過装置によって構成することができる。本項の装置はニーズによって、設置或いは設置しないことを選択することができる。
−−分流制御バルブ（１２０）：人力、機械力、流力、電磁力によって、流量の大小を制御する。本項の装置はニーズによって、設置或いは設置しないことを選択することができる。
【請求項１５】
請求項１或いは請求項３記載の半導体応用装置の温度均一化システムであって、
請求項１或いは請求項３に係る均熱装置（１０２）、半導体応用装置（１０３）、流体（１０４）、流体輸送配管（１０５）、ポンプ（１０６）、及び選択的に設置する温度測定装置（１０７）、ろ過装置（１０８）、温度調節補助装置（１０９）、制御ユニット（１１０）、流体分流配管（１１９）、分流制御バルブ（１２０）、分流補助ポンプ（１２１）等の設置数量は、各一個或いは一個以上とすることができ、
二個或いは二個以上を用いるとき、その規格或いは材料はニーズによって、同じ或いは異なるものを選択することができることを特徴とする半導体応用装置の温度均一化システム。
【請求項１６】
請求項２或いは請求項４記載の半導体応用装置の温度均一化システムであって、
請求項２或いは請求項４に係る均熱装置（１０２）、半導体応用装置（１０３）、流体（１０４）、流体輸送配管（１０５）、ポンプ（１０６）、中継均熱器（２０２）、流体（２０４）、中継ポンプ（２０６）、及び選択する温度測定装置（１０７）、ろ過装置（１０８）、温度調節補助装置（１０９）、制御ユニット（１１０）、流体分流配管（１１９）、分流制御バルブ（１２０）、分流補助ポンプ（１２１）等の設置数量は、各一個或いは一個以上とすることができ、
二個或いは二個以上を用いるとき、その規格或いは材料はニーズによって、同じ或いは異なるものを選択することができることを特徴とする半導体応用装置の温度均一化システム。
【請求項１７】
請求項１記載の半導体応用装置の温度均一化システムであって、
背面に散熱構造を持つ発光二極体（ＬＥＤ）或いはガス灯の構成を持つ半導体応用装置へ応用し、路灯を構成することを含む。比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス（１０１）の温度エネルギーを通して、発光二極体（ＬＥＤ）によって構成する背面に散熱構造を持つ発光二極体（ＬＥＤ）或いはガス灯の構成を持つ半導体応用装置（１０３１）に対して、熱エネルギーを産生することによって、温度均一化を保つ。その主な構成は少なくとも１ヶ所に流体輸送配管（１０５）を設け、ポンプ（１０６）のポンピングを通して、或いは流体の温かい空気は上昇し、冷たい空気は下降する対流効果によって駆動され、或いは流体を通して、流体が背面に散熱構造を持つ発光二極体（ＬＥＤ）或いはガス灯の構成を持つ半導体応用装置（１０３１）に流れてから、再び流体輸送配管（１０５）を経て、自然貯温ユニット（１０１）に設置する均熱装置（１０２）へ戻ることによって、流体循環を構成し、その主な構成は下記を含むことを特徴とする半導体応用装置の温度均一化システム。
−−均熱装置（１０２）：良好な熱伝導特性を有する材料によって構成され、また自然貯温ユニット（１０１）と良好な熱伝導特性を有する構造であって、均熱装置（１０２）本体に流体流入口、流体流出口及び内部流体通路を有する。或いは自然貯温ユニット（１０１）の内部に流体が流通する空間を通して、直接的に均熱装置（１０２）の貯温機能を構成することによって、良好な熱伝導特性を有する材料に取り換え、均熱装置（１０２）を形成し、或いは二個同時に設置する。均熱装置（１０２）はまたサポーター（６００）を自然貯温ユニット（１０１）のパイプに埋め込むことによって構成することができる。一個或いは一個以上の均熱装置（１０２）が、同一の背面に散熱構造を持つ発光二極体（ＬＥＤ）或いはガス灯の構成を持つ半導体応用装置（１０３１）によって構成する半導体応用装置に対して、自然貯温ユニットの温度均一化システムを通して、温度均一化を保つ。また一個の均熱装置（１０２）が、一個或いは一個以上の独立に設置する背面に散熱構造を持つ発光二極体（ＬＥＤ）或いはガス灯の構成を持つ半導体応用装置（１０３１）によって構成する半導体応用装置に対して、自然貯温ユニットの温度均一化システムを通して、温度均一化を保つ。また二個或いは二個以上の均熱装置（１０２）が、二個或いは二個以上の独立に設置する背面に散熱構造を持つ発光二極体（ＬＥＤ）或いはガス灯の構成を持つ半導体応用装置（１０３１）によって構成する半導体応用装置に対して、自然貯温ユニットの温度均一化システムを通して、温度均一化を保つ。
−−背面に散熱構造を持つ発光二極体（ＬＥＤ）或いはガス灯の構成を持つ半導体応用装置（１０３１）：発光二極体（ＬＥＤ）或いはガス灯（３００）及び散熱装置の配置によって構成し、また散熱装置に流体輸送配管（１０５）を配置することによって、流体（１０４）を通過する。
−−ドライブ制御回路（３１０）：入力電気エネルギーのオン／オフ機能を制御し、及び発光二極体（ＬＥＤ）或いはガス灯（３００）を駆動し、または設定機能によってオン／オフし、または明度を制御し、またはオン／オフ時期を制御し、及び温度測定装置（１０７）の信号を受け、システム温度が異常になったとき、システムの負荷低減或いは断電を制御する。上述の電気エネルギー負荷を低減する方式は、電源電圧或いは負荷抵抗を変動することによって、入力電気エネルギーを低減させ或いは一部の負荷を切断することを含む。ドライブ制御回路（３１０）の送電起動システムの時期は、人工操作、定時設定、信号ランダムドライブ、環境の明るさを参考条件とし、特に環境が明から暗に変わることによって、システムを起動する場合は、システムのオン／オフ時間は、人工操作、定時操作、信号ランダムドライブ、環境の明るさを参考条件とし、特に環境によって暗から明に変わるとき、システムをオフする。ドライブ制御回路（３１０）を独立或いは背面に散熱構造を持つ発光二極体（ＬＥＤ）に設置し、或いはガス灯の構成を持つ半導体応用装置（１０３１）の散熱装置に設置することによって、自然貯温ユニット（１０１）を通して、温度均一化を共同維持する。
−−流体（１０４）：熱伝送機能を持つ気体或いは液体等の流体が、システム作動中にポンプ（１０６）のポンピングを受け、流体が自然貯温ユニット（１０１）の中に設置する均熱装置（１０２）を通過してから、及び流体輸送配管（１０５）を通過してから、及びニーズによって選択的に設置する背面に散熱構造を持つ発光二極体（ＬＥＤ）或いはガス灯の構成を持つ半導体応用装置（１０３１）を通過してから、再び流体輸送配管（１０５）を経て、均熱装置（１０２）へ戻り、循環を形成することによって、温度均一化機能を作動させる。または温かい空気が上昇し、冷たい空気は下降する効果により、循環を形成し、温度均一化機能を作動させる。
−−流体輸送配管（１０５）：流体（１０４）が流動する配管構造によって構成し、均熱装置（１０２）と背面に散熱構造を持つ発光二極体（ＬＥＤ）或いはガス灯の構成を持つ半導体応用装置（１０３１）の間に設置し、またポンプ（１０６）を連続設置する。流体輸送配管（１０５）はニーズによってオープン式或いは引き抜ける構造を選択的に設置することによって、整備作業が便利になる。
−−ポンプ（１０６）：電力、機械力、人力、その他自然力を動力源とし、流体ポンプを駆動することによって構成され、流体輸送配管（１０５）に連続的に設置する。制御ユニット（１１０）の制御を受けることによって、流体（１０４）をポンピングする。本項のポンピング機能を流体の温かい空気は上昇し、冷たい空気は下降する対流効果に取り換える。
−−温度測定装置（１０７）：各種のよく使われるアナログ或いはデジタル機械電気或いは固相電子装置によって構成され、背面に散熱構造を持つ発光二極体（ＬＥＤ）或いはガス灯の構成を持つ半導体応用装置（１０３１）に設置する。温度を指示し、或いは制御信号を制御ユニット（１１０）及び／或いはドライブ制御回路（３１０）へフィードバックし、及び制御ポンプ（１０６）を通して、システムを設定温度範囲内に作動或いは停止させ、及びシステムに温度調節補助装置（１０９）を設置し、ポンプ（１０６）が設定時間に作動しても、温度は設定範囲内に到達できないとき、温度調節補助装置（１０９）を起動する。本項の装置はニーズによって、設置或いは設置しないことを選択することができる。
−−ろ過装置（１０８）：流体の雑質をろ過し、配管の閉塞を防ぐ。流体の清潔度を確保するために、のろ過装置を流体循環回路の各項装置の流体吸入口或いは流出口に装置し、或いは流体輸送配管（１０５）の中の選定位置に設置する。本項のろ過装置（１０８）はニーズによって、設置或いは設置しないことを選択することができる。
−−温度調節補助装置（１０９）：流体（１０４）に対して加熱或いは冷却する機械電気式の固相、気相、液相調温装置によって構成され、或いは固相または半導体によって構成する電気エネルギーの加熱或いは冷却装置によって構成され、制御ユニット（１１０）の制御を受け、システム温度が設定範囲から外れたとき、温度調節補助装置（１０９）を起動することによって、流体（１０４）に対して加熱或いは冷却の位置で、加熱或いは冷却温度制御を作動させる。本項の装置はニーズによって、設置或いは設置しないことを選択することができる。
−−制御ユニット（１１０）：機械電気或いは固体素子回路及びソフトウェア関連によって構成され、その機能は温度測定装置（１０７）の温度測定信号及びシステムの温度設定値、流体制御ポンプ（１０６）、流体（１０４）を圧送することによって、一方向流動の連続圧送を作動させ、或いは間欠圧送を作動させ、均熱装置（１０２）と背面に散熱構造を持つ発光二極体（ＬＥＤ）或いはガス灯の構成を持つ半導体応用装置（１０３１）間の流体（１０４）の流向と流量を制御する。及び制御ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助する。及びシステム温度が異常になったとき、システムを制御し、負荷を低減させるか断電する。
−−サポーター（６００）：一個或いは一個以上の柱状或いは支え台の構造によって構成し、その低い端に均熱装置（１０２）を設け、自然貯温ユニット（１０１）の中に設置する均熱装置（１０２）は、ニーズによって温度伝達バネ（６０１）を設置することによって導熱効果を高め、サポーター（６００）に発光二極体（ＬＥＤ）或いはガス灯（３００）及び背面に散熱構造を持つ発光二極体（ＬＥＤ）或いはガス灯の構成を持つ半導体応用装置（１０３１）を設置し、及び関連灯の光学及びシェール構造（４００）と下記の一部の或いは全部ユニット装置を含む。制御ユニット（１１０）、ポンプ（１０６）、温度測定装置（１０７）、ろ過装置（１０８）。上述のサポーター（６００）の背面に散熱構造を持つ発光二極体（ＬＥＤ）或いはガス灯の構成を持つ半導体応用装置（１０３１）は、流体輸送配管を持ち、及び流体の流入口と流出口は別々に流体輸送配管（１０５）と連結し、均熱装置（１０２）と繋ぐことによって閉鎖流路を構成する。流体輸送配管（１０５）の内部は流体（１０４）が流通する。流体（１０４）を通して流体の温かい空気は上昇し、冷たい空気は下降する対流効果により循環を行い、或いはニーズによって加設するポンプ（１０６）を通してポンピングすることによって、均熱装置（１０２）と背面に散熱構造を持つ発光二極体（ＬＥＤ）或いはガス灯の構成を持つ半導体応用装置（１０３１）の間に、流体（１０４）を通して、均一な温度を伝送する。
−−耐熱物質（７００）：各種の耐熱物質を自然貯温ユニット（１０１）に露出するサポーター（６００）と内部流体輸送配管（１０５）の間に入れ込むことによって、外部に対して耐熱効果を持ち、温度エネルギーロスを減少する。本項の耐熱物質（７００）はニーズによって、入れ込むことを選択することができる。また耐熱物質を抽出空気の真空効果によって取り換え、サポーター（６００）は比較的良い耐熱材料によって製成し、或いは流体輸送配管（１０５）は耐熱効果を持つ配管構造によって構成されるとき、設置しないことができる。
−−導熱体（８００）：導熱物質をサポーター（６００）に設置する自然貯温ユニット（１０１）内のパイプ内部と流体輸送配管（１０５）の間に入れ込むことによって構成し、流体輸送配管（１０５）の流体（１０４）が均熱装置（１０２）と自然貯温ユニット（１０１）を経過する温度均一化を保つ効果が高くなる。導熱体はまた均熱装置（１０２）の本体構造を一体構成することができる。
【請求項１８】
請求項１記載の半導体応用装置の温度均一化システムであって、
背面に散熱構造を持つ発光二極体（ＬＥＤ）或いはガス灯の構成を持つ半導体応用装置へ応用し、路灯及び電気エネルギー貯蔵装置を構成することを含む。構成する半導体応用装置で路灯を構成し、比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス（１０１）の温度エネルギーを通して、発光二極体（ＬＥＤ）によって構成する背面に散熱構造を持つ発光二極体（ＬＥＤ）或いはガス灯の構成を持つ半導体応用装置（１０３１）及び電気エネルギー貯蔵装置（９００）に対して、熱エネルギーを産生することによって、温度均一化を保つ。その主な構成は少なくとも１ヶ所に流体輸送配管（１０５）を設け、ポンプ（１０６）のポンピングを通して、或いは流体の温かい空気は上昇し、冷たい空気は下降する対流効果によって駆動され、或いは流体を通して、流体が背面に散熱構造を持つ発光二極体（ＬＥＤ）或いはガス灯の構成を持つ半導体応用装置（１０３１）及び電気エネルギー貯蔵装置（９００）に流れてから、再び流体輸送配管（１０５）を経て、自然貯温ユニット（１０１）に設置する均熱装置（１０２）へ戻ることによって、流体循環を構成し、その主な構成は下記を含むことを特徴とする半導体応用装置の温度均一化システム。
−−均熱装置（１０２）：良好な熱伝導特性を有する材料によって構成され、また自然貯温ユニット（１０１）と良好な熱伝導特性を有する構造であって、均熱装置（１０２）本体に流体流入口、流体流出口及び内部流体通路を有する。或いは自然貯温ユニット（１０１）の内部に流体が流通する空間を通して、直接的に均熱装置（１０２）の貯温機能を構成することによって、良好な熱伝導特性を有する材料に取り換え、均熱装置（１０２）を形成し、或いは二個同時に設置する。均熱装置（１０２）はまたサポーター（６００）を自然貯温ユニット（１０１）のパイプに埋め込むことによって構成することができる。一個或いは一個以上の均熱装置（１０２）が、同一の背面に散熱構造を持つ発光二極体（ＬＥＤ）或いはガス灯の構成を持つ半導体応用装置（１０３１）及び／或いは電気エネルギー貯蔵装置（９００）によって構成する半導体応用装置に対して、自然貯温ユニットの温度均一化システムを通して、温度均一化を保つ。或いは一個の均熱装置（１０２）によって、一個或いは一個以上の背面に散熱構造を持つ発光二極体（ＬＥＤ）或いはガス灯の構成を持つ半導体応用装置（１０３１）及び／或いは電気エネルギー貯蔵装置（９００）によって、独立設置する半導体応用装置の設置を通して、自然貯温ユニットの温度均一化システムを通して、温度均一化を保つ。或いは二個或いは二個以上の均熱装置（１０２）によって、二個或いは二個以上の背面に散熱構造を持つ発光二極体（ＬＥＤ）或いはガス灯の構成を持つ半導体応用装置（１０３１）及び／或いは電気エネルギー貯蔵装置（９００）によって独立設置する半導体応用装置の設置を通して、自然貯温ユニットの温度均一化システムを通して、温度均一化を保つ。
−−背面に散熱構造を持つ発光二極体（ＬＥＤ）或いはガス灯の構成を持つ半導体応用装置（１０３１）：発光二極体（ＬＥＤ）或いはガス灯（３００）及び散熱装置の配置によって構成し、また散熱装置に流体輸送配管（１０５）を配置することによって、流体（１０４）を通過する。
−−ドライブ制御回路（３１０）：入力電気エネルギーのオン／オフ機能を制御し、及び発光二極体（ＬＥＤ）或いはガス灯（３００）を駆動し、または設定機能によってオン／オフし、または明度を制御し、またはオン／オフ時期を制御し、及び温度測定装置（１０７）の信号を受け、システム温度が異常になったとき、システムの負荷低減或いは断電を制御する。上述の電気エネルギー負荷を低減する方式は、電源電圧或いは負荷抵抗を変動することによって、入力電気エネルギーを低減させ或いは一部の負荷を切断することを含む。ドライブ制御回路（３１０）の送電起動システムの時期は、人工操作、定時設定、信号ランダムドライブ、環境の明るさを参考条件とし、特に環境が明から暗に変わることによって、システムを起動する場合は、システムのオン／オフ時間は、人工操作、定時操作、信号ランダムドライブ、環境の明るさを参考条件とし、特に環境によって暗から明に変わるとき、システムをオフする。ドライブ制御回路（３１０）を独立或いは背面に散熱構造を持つ発光二極体（ＬＥＤ）に設置し、或いはガス灯の構成を持つ半導体応用装置（１０３１）の散熱装置に設置することによって、自然貯温ユニット（１０１）を通して、温度均一化を共同維持する。
−−電気エネルギー貯蔵装置（９００）：各種の充放電可能な二次電池或いはコンデンサやスーパーコンデンサによって構成し、電気エネルギーを貯蔵し、及び発光二極体（ＬＥＤ）或いはガス灯（３００）に対して給電する。電気エネルギー貯蔵装置（９００）はニーズによって、温度測定装置（１０７）及び流体輸送配管（１０５）を設置することができる。
−−流体（１０４）：熱伝送機能を持つ気体或いは液体等の流体が、システム作動中にポンプ（１０６）のポンピングを受け、流体が自然貯温ユニット（１０１）の中に設置する均熱装置（１０２）を通過してから、及び流体輸送配管（１０５）を通過してから、混合流或いは分流方式を選択し、背面に散熱構造を持つ発光二極体（ＬＥＤ）或いはガス灯の構成を持つ半導体応用装置（１０３１）及び／或いは電気エネルギー貯蔵装置（９００）を通過し、再び流体輸送配管（１０５）を経て、均熱装置（１０２）へ戻り、循環を形成することによって、温度均一化機能を作動させる。または温かい空気が上昇し、冷たい空気は下降する効果により、循環を形成し、温度均一化機能を作動させる。
−−流体輸送配管（１０５）：流体（１０４）が流動する配管構造によって構成し、均熱装置（１０２）と背面に散熱構造を持つ発光二極体（ＬＥＤ）或いはガス灯の構成を持つ半導体応用装置（１０３１）及び／或いは電気エネルギー貯蔵装置（９００）の間に設置し、またポンプ（１０６）を連続設置する。流体輸送配管（１０５）はニーズによってオープン式或いは引き抜ける構造を選択的に設置することによって、整備作業が便利になる。
−−ポンプ（１０６）：電力、機械力、人力、その他自然力を動力源とし、流体ポンプを駆動することによって構成され、流体輸送配管（１０５）に連続的に設置する。制御ユニット（１１０）の制御を受けることによって、流体（１０４）をポンピングする。本項のポンピング機能を流体の温かい空気は上昇し、冷たい空気は下降する対流効果に取り換える。
−−温度測定装置（１０７）：各種のよく使われるアナログ或いはデジタル機械電気或いは固相電子装置によって構成され、背面に散熱構造を持つ発光二極体（ＬＥＤ）或いはガス灯の構成を持つ半導体応用装置（１０３１）及び／或いは電気エネルギー貯蔵装置（９００）に設置する。温度を指示し、或いは制御信号を制御ユニット（１１０）及び／或いはドライブ制御回路（３１０）へフィードバックし、及び制御ポンプ（１０６）を通して、システムを設定温度範囲内に作動或いは停止させ、及びシステムに温度調節補助装置（１０９）を設置し、ポンプ（１０６）が設定時間に作動しても、温度は設定範囲内に到達できないとき、温度調節補助装置（１０９）を起動する。本項の装置はニーズによって、設置或いは設置しないことを選択することができる。
−−ろ過装置（１０８）：流体の雑質をろ過し、配管の閉塞を防ぐ。流体の清潔度を確保するために、のろ過装置を流体循環回路の各項装置の流体吸入口或いは流出口に装置し、或いは流体輸送配管（１０５）の中の選定位置に設置する。本項のろ過装置（１０８）はニーズによって、設置或いは設置しないことを選択することができる。
−−温度調節補助装置（１０９）：流体（１０４）に対して加熱或いは冷却する機械電気式の固相、気相、液相調温装置によって構成され、或いは固相または半導体によって構成する電気エネルギーの加熱或いは冷却装置によって構成され、制御ユニット（１１０）の制御を受け、システム温度が設定範囲から外れたとき、温度調節補助装置（１０９）を起動することによって、流体（１０４）に対して加熱或いは冷却の位置で、加熱或いは冷却温度制御を作動させる。本項の装置はニーズによって、設置或いは設置しないことを選択することができる。
−−制御ユニット（１１０）：機械電気或いは固体素子回路及びソフトウェア関連によって構成され、その機能は温度測定装置（１０７）の温度測定信号及びシステムの温度設定値、流体制御ポンプ（１０６）、流体（１０４）を圧送することによって、一方向流動の連続圧送を作動させ、或いは間欠圧送を作動させ、均熱装置（１０２）と背面に散熱構造を持つ発光二極体（ＬＥＤ）或いはガス灯の構成を持つ半導体応用装置（１０３１）及び／或いは電気エネルギー貯蔵装置（９００）間の流体（１０４）の流向と流量を制御する。及び制御ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助する。及びシステム温度が異常になったとき、システムを制御し、負荷を低減させるか断電する。
−−サポーター（６００）：一個或いは一個以上の柱状或いは支え台の構造によって構成し、その低い端に均熱装置（１０２）を設け、自然貯温ユニット（１０１）の中に設置する均熱装置（１０２）は、ニーズによって温度伝達バネ（６０１）を設置することによって導熱効果を高め、サポーター（６００）に発光二極体（ＬＥＤ）或いはガス灯（３００）及び背面に散熱構造を持つ発光二極体（ＬＥＤ）或いはガス灯の構成を持つ半導体応用装置（１０３１）を設置し、及び関連灯の光学及びシェール構造（４００）及び電気エネルギー貯蔵装置（９００）と下記の一部の或いは全部ユニット装置を含む。制御ユニット（１１０）、ポンプ（１０６）、温度測定装置（１０７）、ろ過装置（１０８）。上述の電気エネルギー貯蔵装置（９００）及び／或いは背面に散熱構造を持つ発光二極体（ＬＥＤ）或いはガス灯の構成を持つ半導体応用装置（１０３１）及び／或いは電気エネルギー貯蔵装置（９００）を持つ流体輸送配管、及び流体の流入口と流出口は別々に流体輸送配管（１０５）と連結し、均熱装置（１０２）と繋ぐことによって閉鎖流路を構成する。流体輸送配管（１０５）の内部は流体（１０４）が流通する。流体（１０４）を通して流体の温かい空気は上昇し、冷たい空気は下降する対流効果により循環を行い、或いはニーズによって加設するポンプ（１０６）を通してポンピングすることによって、均熱装置（１０２）と背面に散熱構造を持つ発光二極体（ＬＥＤ）或いはガス灯の構成を持つ半導体応用装置（１０３１）及び／或いは電気エネルギー貯蔵装置（９００）の間に、流体（１０４）を通して、均一な温度を伝送する。
−−耐熱物質（７００）：各種の耐熱物質を自然貯温ユニット（１０１）に露出するサポーター（６００）と内部流体輸送配管（１０５）の間に入れ込むことによって、外部に対して耐熱効果を持ち、温度エネルギーロスを減少する。本項の耐熱物質（７００）はニーズによって、入れ込むことを選択することができる。また耐熱物質を抽出空気の真空効果によって取り換え、サポーター（６００）は比較的良い耐熱材料によって製成し、或いは流体輸送配管（１０５）は耐熱効果を持つ配管構造によって構成されるとき、設置しないことができる。
−−導熱体（８００）：導熱物質をサポーター（６００）に設置する自然貯温ユニット（１０１）内のパイプ内部と流体輸送配管（１０５）の間に入れ込むことによって構成し、流体輸送配管（１０５）の流体（１０４）が均熱装置（１０２）と自然貯温ユニット（１０１）を経過する温度均一化を保つ効果が高くなる。導熱体はまた均熱装置（１０２）の本体構造を一体構成することができる。
【請求項１９】
請求項１８記載の半導体応用装置の温度均一化システムであって、
更に光エネルギーを電気エネルギー（ｐｈｏｔｏｖｏｌｔａｉｃ）に転換する光電発電装置を配置し、比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス（１０１）の温度エネルギーを通して、発光二極体（ＬＥＤ）或いはガス灯（３００）によって構成する背面に散熱構造を持つ発光二極体（ＬＥＤ）或いはガス灯の構成を持つ半導体応用装置（１０３１）及び／或いは光エネルギーを電気エネルギー（ｐｈｏｔｏｖｏｌｔａｉｃ）に転換する光電発電装置（１０００）によって背面に散熱構造を持つ光エネルギーを電気エネルギー（ｐｈｏｔｏｖｏｌｔａｉｃ）に転換する光電発電装置を構成する半導体応用装置（１０３２）及び電気エネルギー貯蔵装置（９００）に対して、熱エネルギーを産生することによって、温度均一化を保つ。その主な構成は少なくとも１ヶ所に流体輸送配管（１０５）を設け、ポンプ（１０６）のポンピングを通して、或いは流体の温かい空気は上昇し、冷たい空気は下降する対流効果によって駆動され、或いは流体を通して、流体が背面に散熱構造を持つ発光二極体（ＬＥＤ）或いはガス灯の構成を持つ半導体応用装置（１０３１）及び／或いは光エネルギーを電気エネルギー（ｐｈｏｔｏｖｏｌｔａｉｃ）に転換する光電発電装置（１０００）によって背面に散熱構造を持つ光エネルギーを電気エネルギー（ｐｈｏｔｏｖｏｌｔａｉｃ）に転換する光電発電装置を構成する半導体応用装置（１０３２）及び電気エネルギー貯蔵装置（９００）に流れてから、再び流体輸送配管（１０５）を経て、自然貯温ユニット（１０１）に設置する均熱装置（１０２）へ戻ることによって、流体循環を構成し、その主な構成は下記を含むことを特徴とする半導体応用装置の温度均一化システム。
−−均熱装置（１０２）：良好な熱伝導特性を有する材料によって構成され、また自然貯温ユニット（１０１）と良好な熱伝導特性を有する構造であって、均熱装置（１０２）本体に流体流入口、流体流出口及び内部流体通路を有する。或いは自然貯温ユニット（１０１）の内部に流体が流通する空間を通して、直接的に均熱装置（１０２）の貯温機能を構成することによって、良好な熱伝導特性を有する材料に取り換え、均熱装置（１０２）を形成し、或いは二個同時に設置する。均熱装置（１０２）はまたサポーター（６００）を自然貯温ユニット（１０１）のパイプに埋め込むことによって構成することができる。一個或いは一個以上の均熱装置（１０２）が、同一の背面に散熱構造を持つ発光二極体（ＬＥＤ）或いはガス灯の構成を持つ半導体応用装置（１０３１）及び／或いは背面に散熱構造を持つ光エネルギーを電気エネルギー（ｐｈｏｔｏｖｏｌｔａｉｃ）に転換する光電発電装置を構成する半導体応用装置（１０３２）及び／或いは電気エネルギー貯蔵装置（９００）によって構成する半導体応用装置に対して、自然貯温ユニットの温度均一化システムを通して、温度均一化を保つ。温度均一化を保つ。或いは一個の均熱装置（１０２）によって、一個或いは一個以上の背面に散熱構造を持つ発光二極体（ＬＥＤ）或いはガス灯の構成を持つ半導体応用装置（１０３１）及び／或いは背面に散熱構造を持つ光エネルギーを電気エネルギー（ｐｈｏｔｏｖｏｌｔａｉｃ）に転換する光電発電装置を構成する半導体応用装置（１０３２）及び／或いは電気エネルギー貯蔵装置（９００）によって、独立設置する半導体応用装置の設置を通して、自然貯温ユニットの温度均一化システムを通して、温度均一化を保つ。或いは二個或いは二個以上の均熱装置（１０２）によって、二個或いは二個以上の背面に散熱構造を持つ発光二極体（ＬＥＤ）或いはガス灯の構成を持つ半導体応用装置（１０３１）及び／或いは背面に散熱構造を持つ光エネルギーを電気エネルギー（ｐｈｏｔｏｖｏｌｔａｉｃ）に転換する光電発電装置を構成する半導体応用装置（１０３２）及び／或いは電気エネルギー貯蔵装置（９００）によって独立設置する半導体応用装置の設置を通して、自然貯温ユニットの温度均一化システムを通して、温度均一化を保つ。
−−背面に散熱構造を持つ発光二極体（ＬＥＤ）或いはガス灯の構成を持つ半導体応用装置（１０３１）：発光二極体（ＬＥＤ）或いはガス灯（３００）及び散熱装置の配置によって構成し、また散熱装置に流体輸送配管（１０５）を配置することによって、流体（１０４）を通過する。
−−ドライブ制御回路（３１０）：入力電気エネルギーのオン／オフ機能を制御し、及び発光二極体（ＬＥＤ）或いはガス灯（３００）を駆動し、または設定機能によってオン／オフし、または明度を制御し、またはオン／オフ時期を制御し、及び温度測定装置（１０７）の信号を受け、システム温度が異常になったとき、システムの負荷低減或いは断電を制御する。上述の電気エネルギー負荷を低減する方式は、電源電圧或いは負荷抵抗を変動することによって、入力電気エネルギーを低減させ或いは一部の負荷を切断することを含む。ドライブ制御回路（３１０）の送電起動システムの時期は、人工操作、定時設定、信号ランダムドライブ、環境の明るさを参考条件とし、特に環境が明から暗に変わることによって、システムを起動する場合は、システムのオン／オフ時間は、人工操作、定時操作、信号ランダムドライブ、環境の明るさを参考条件とし、特に環境によって暗から明に変わるとき、システムをオフする。ドライブ制御回路（３１０）を独立或いは背面に散熱構造を持つ発光二極体（ＬＥＤ）に設置し、或いはガス灯の構成を持つ半導体応用装置（１０３１）の散熱装置に設置することによって、自然貯温ユニット（１０１）を通して、温度均一化を共同維持する。
−−電気エネルギー貯蔵装置（９００）：各種の充放電可能な二次電池或いはコンデンサやスーパーコンデンサによって構成し、電気エネルギーを貯蔵し、及び発光二極体（ＬＥＤ）或いはガス灯（３００）に対して給電する。電気エネルギー貯蔵装置（９００）はニーズによって、温度測定装置（１０７）及び流体輸送配管（１０５）を設置することができる。
−−背面に散熱構造を持つ光エネルギーを電気エネルギー（ｐｈｏｔｏｖｏｌｔａｉｃ）に転換する光電発電装置を構成する半導体応用装置（１０３２）：光エネルギーを電気エネルギー（ｐｈｏｔｏｖｏｌｔａｉｃ）に転換する半導体のガラス基板或いはセクションで、流体輸送配管の散熱構造を持つ光エネルギーを電気エネルギー（ｐｈｏｔｏｖｏｌｔａｉｃ）に転換する光電発電装置（１０００）によって構成し、受光するとき、発電する電気エネルギーを電気エネルギー貯蔵装置（９００）へ輸送し、或いは発光二極体（ＬＥＤ）或いはガス灯（３００）に対して給電する。
−−電気エネルギー制御装置（１００５）：機械電気或いは固相半導体回路コンポネント或いはインテグレートサーキットによって構成し、光エネルギーを電気エネルギー（ｐｈｏｔｏｖｏｌｔａｉｃ）に転換する光電発電装置（１０００）の出力電圧電流を制御する。
−−流体（１０４）：熱伝送機能を持つ気体或いは液体等の流体が、システム作動中にポンプ（１０６）のポンピングを受け、流体が自然貯温ユニット（１０１）の中に設置する均熱装置（１０２）を通過してから、及び流体輸送配管（１０５）を通過してから、混合流或いは分流方式を選択し、背面に散熱構造を持つ発光二極体（ＬＥＤ）或いはガス灯の構成を持つ半導体応用装置（１０３１）や電気エネルギー貯蔵装置（９００）や背面に散熱構造を持つ光エネルギーを電気エネルギー（ｐｈｏｔｏｖｏｌｔａｉｃ）に転換する光電発電を構成する半導体応用装置（１０３２）の三つの中で、少なくともその中の一を通過し、流体輸送配管（１０５）を経て、均熱装置（１０２）へ戻り、循環を形成することによって、温度均一化機能を作動させる。または温かい空気が上昇し、冷たい空気は下降する効果により、循環を形成し、温度均一化機能を作動させる。
−−流体輸送配管（１０５）：流体（１０４）が流動する配管構造によって構成し、均熱装置（１０２）と背面に散熱構造を持つ発光二極体（ＬＥＤ）やガス灯の構成を持つ半導体応用装置（１０３１）、背面に散熱構造を持つ光エネルギーを電気エネルギー（ｐｈｏｔｏｖｏｌｔａｉｃ）に転換する光電発電を構成する半導体応用装置（１０３２）や電気エネルギー貯蔵装置（９００）の三つの中で、少なくともその中の一つの間に設置し、またポンプ（１０６）を連続設置する。流体輸送配管（１０５）はニーズによって、オープン式或いは引き抜ける構造を選択的に設置することによって、整備作業が便利になる。
−−ポンプ（１０６）：電力、機械力、人力、その他自然力を動力源とし、流体ポンプを駆動することによって構成され、流体輸送配管（１０５）に連続的に設置する。制御ユニット（１１０）の制御を受けることによって、流体（１０４）をポンピングする。本項のポンピング機能を流体の温かい空気は上昇し、冷たい空気は下降する対流効果に取り換える。
−−温度測定装置（１０７）：各種のよく使われるアナログ或いはデジタル機械電気或いは固相電子装置によって構成され、背面に散熱構造を持つ発光二極体（ＬＥＤ）或いはガス灯の構成を持つ半導体応用装置（１０３１）及び／或いは背面に散熱構造を持つ光エネルギーを電気エネルギー（ｐｈｏｔｏｖｏｌｔａｉｃ）に転換する光電発電を構成する半導体応用装置（１０３２）及び／或いは電気エネルギー貯蔵装置（９００）に設置する。温度を指示し、或いは制御信号を制御ユニット（１１０）及び／或いは電気エネルギー制御装置（１００５）へフィードバックし、及び制御ポンプ（１０６）を通して、システムを設定温度範囲内に作動或いは停止させ、及びシステムに温度調節補助装置（１０９）を設置し、ポンプ（１０６）が設定時間に作動しても、温度は設定範囲内に到達できないとき、温度調節補助装置（１０９）を起動する。本項の装置はニーズによって、設置或いは設置しないことを選択することができる。
−−ろ過装置（１０８）：流体の雑質をろ過し、配管の閉塞を防ぐ。流体の清潔度を確保するために、のろ過装置を流体循環回路の各項装置の流体吸入口或いは流出口に装置し、或いは流体輸送配管（１０５）の中の選定位置に設置する。本項のろ過装置（１０８）はニーズによって、設置或いは設置しないことを選択することができる。
−−温度調節補助装置（１０９）：流体（１０４）に対して加熱或いは冷却する機械電気式の固相、気相、液相調温装置によって構成され、或いは固相または半導体によって構成する電気エネルギーの加熱或いは冷却装置によって構成され、制御ユニット（１１０）の制御を受け、システム温度が設定範囲から外れたとき、温度調節補助装置（１０９）を起動することによって、流体（１０４）に対して加熱或いは冷却の位置で、加熱或いは冷却温度制御を作動させる。本項の装置はニーズによって、設置或いは設置しないことを選択することができる。
−−制御ユニット（１１０）：機械電気或いは固体素子回路及びソフトウェア関連によって構成され、その機能は温度測定装置（１０７）の温度測定信号及びシステムの温度設定値、流体制御ポンプ（１０６）、流体（１０４）を圧送することによって、一方向流動の連続圧送を作動させ、或いは間欠圧送を作動させ、均熱装置（１０２）と背面に散熱構造を持つ発光二極体（ＬＥＤ）或いはガス灯の構成を持つ半導体応用装置（１０３１）及び／或いは背面に散熱構造を持つ光エネルギーを電気エネルギー（ｐｈｏｔｏｖｏｌｔａｉｃ）に転換する光電発電を構成する半導体応用装置（１０３２）及び／或いは電気エネルギー貯蔵装置（９００）間の流体（１０４）の流向と流量を制御する。及び制御ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助する。及びシステム温度が異常になったとき、システムを制御し、負荷を低減させるか断電する。
−−サポーター（６００）：一個或いは一個以上の柱状或いは支え台の構造によって構成し、その低い端に均熱装置（１０２）を設け、自然貯温ユニット（１０１）の中に設置する均熱装置（１０２）は、ニーズによって温度伝達バネ（６０１）を設置することによって導熱効果を高め、サポーター（６００）に発光二極体（ＬＥＤ）或いはガス灯（３００）及び背面に散熱構造を持つ発光二極体（ＬＥＤ）或いはガス灯の構成を持つ半導体応用装置（１０３１）を設置し、及び関連灯の光学及びシェール構造（４００）及び／或いは背面に散熱構造を持つ光エネルギーを電気エネルギー（ｐｈｏｔｏｖｏｌｔａｉｃ）に転換する光電発電を構成する半導体応用装置（１０３２）及び電気エネルギー貯蔵装置（９００）と下記の一部の或いは全部ユニット装置を含む。制御ユニット（１１０）、ポンプ（１０６）、温度測定装置（１０７）、ろ過装置（１０８）、その中の背面に散熱構造を持つ光エネルギーを電気エネルギー（ｐｈｏｔｏｖｏｌｔａｉｃ）に転換する光電発電を構成する半導体応用装置（１０３２）にサポーターの高い端或いは中間段に設置することを選択し、或いは別に補助アーム（１１００）、別に光線追跡装置（１２００）の補助アーム（１１００）を設置し、光源を追跡することによって、背面に散熱構造を持つ光エネルギーを電気エネルギー（ｐｈｏｔｏｖｏｌｔａｉｃ）に転換する光電発電を構成する半導体応用装置（１０３２）の光エネルギーを電気エネルギーに転換する効率を高める。上述のサポーター（６００）の背面に設置する散熱構造を持つ発光二極体（ＬＥＤ）或いはガス灯の構成を持つ半導体応用装置（１０３１）及び／或いは背面に散熱構造を持つ光エネルギーを電気エネルギー（ｐｈｏｔｏｖｏｌｔａｉｃ）に転換する光電発電を構成する半導体応用装置（１０３２）及び／或いは電気エネルギー貯蔵装置（９００）を持つ流体輸送配管、及び流体の流入口と流出口は別々に流体輸送配管（１０５）と連結し、均熱装置（１０２）と繋ぐことによって閉鎖流路を構成する。流体輸送配管（１０５）の内部は流体（１０４）が流通する。流体（１０４）を通して流体の温かい空気は上昇し、冷たい空気は下降する対流効果により循環を行い、或いはニーズによって加設するポンプ（１０６）を通してポンピングすることによって、均熱装置（１０２）と背面に散熱構造を持つ発光二極体（ＬＥＤ）或いはガス灯の構成を持つ半導体応用装置（１０３１）及び／或いは背面に散熱構造を持つ光エネルギーを電気エネルギー（ｐｈｏｔｏｖｏｌｔａｉｃ）に転換する光電発電を構成する半導体応用装置（１０３２）及び／或いは電気エネルギー貯蔵装置（９００）の間に、流体（１０４）を通して、均一な温度を伝送する。
−−耐熱物質（７００）：各種の耐熱物質を自然貯温ユニット（１０１）に露出するサポーター（６００）と内部流体輸送配管（１０５）の間に入れ込むことによって、外部に対して耐熱効果を持ち、温度エネルギーロスを減少する。本項の耐熱物質（７００）はニーズによって、入れ込むことを選択することができる。また耐熱物質を抽出空気の真空効果によって取り換え、サポーター（６００）は比較的良い耐熱材料によって製成し、或いは流体輸送配管（１０５）は耐熱効果を持つ配管構造によって構成されるとき、設置しないことができる。
−−導熱体（８００）：導熱物質をサポーター（６００）に設置する自然貯温ユニット（１０１）内のパイプ内部と流体輸送配管（１０５）の間に入れ込むことによって構成し、流体輸送配管（１０５）の流体（１０４）が均熱装置（１０２）と自然貯温ユニット（１０１）を経過する温度均一化を保つ効果が高くなる。導熱体はまた均熱装置（１０２）の本体構造を一体構成することができる。
【請求項２０】
請求項１記載の半導体応用装置の温度均一化システムであって、
光エネルギーを電気エネルギー（ｐｈｏｔｏｖｏｌｔａｉｃ）に転換する光電発電装置へ応用し、比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス（１０１）の温度エネルギーを通して、光エネルギーを電気エネルギー（ｐｈｏｔｏｖｏｌｔａｉｃ）に転換する光電発電装置（１０００）によって背面に散熱構造を持つ光エネルギーを電気エネルギー（ｐｈｏｔｏｖｏｌｔａｉｃ）に転換する光電発電装置を構成する半導体応用装置（１０３２）に対して、熱エネルギーを産生することによって、温度均一化を保つ。その主な構成は少なくとも１ヶ所に流体輸送配管（１０５）を設け、ポンプ（１０６）のポンピングを通して、或いは流体の温かい空気は上昇し、冷たい空気は下降する対流効果によって駆動され、流体が背面に散熱構造を持つ光エネルギーを電気エネルギー（ｐｈｏｔｏｖｏｌｔａｉｃ）に転換する光電発電装置を構成する半導体応用装置（１０３２）に流れてから、再び流体輸送配管（１０５）を経て、自然貯温ユニット（１０１）に設置する均熱装置（１０２）へ戻ることによって、流体循環を構成し、その主な構成は下記を含むことを特徴とする半導体応用装置の温度均一化システム。
−−均熱装置（１０２）：良好な熱伝導特性を有する材料によって構成され、また自然貯温ユニット（１０１）と良好な熱伝導特性を有する構造であって、均熱装置（１０２）本体に流体流入口、流体流出口及び内部流体通路を有する。或いは自然貯温ユニット（１０１）の内部に流体が流通する空間を通して、直接的に均熱装置（１０２）の貯温機能を構成することによって、良好な熱伝導特性を有する材料に取り換え、均熱装置（１０２）を形成し、或いは二個同時に設置する。均熱装置（１０２）はまたサポーター（６００）を自然貯温ユニット（１０１）のパイプに埋め込むことによって構成することができる。一個或いは一個以上の均熱装置（１０２）が、同一の背面に散熱構造を持つ光エネルギーを電気エネルギー（ｐｈｏｔｏｖｏｌｔａｉｃ）に転換する光電発電装置を構成する半導体応用装置（１０３２）によって構成する半導体応用装置に対して、自然貯温ユニットの温度均一化システムを通して、温度均一化を保つ。或いは一個の均熱装置（１０２）によって、一個或いは一個以上の背面に散熱構造を持つ光エネルギーを電気エネルギー（ｐｈｏｔｏｖｏｌｔａｉｃ）に転換する光電発電装置を構成する半導体応用装置（１０３２）によって、独立設置する半導体応用装置の設置を通して、自然貯温ユニットの温度均一化システムを通して、温度均一化を保つ。或いは二個或いは二個以上の均熱装置（１０２）によって、二個或いは二個以上の背面に散熱構造を持つ光エネルギーを電気エネルギー（ｐｈｏｔｏｖｏｌｔａｉｃ）に転換する光電発電装置を構成する半導体応用装置（１０３２）によって独立設置する半導体応用装置の設置を通して、自然貯温ユニットの温度均一化システムを通して、温度均一化を保つ。
−−ドライブ制御回路（３１０）：光エネルギーを電気エネルギー（ｐｈｏｔｏｖｏｌｔａｉｃ）に転換する光電発電装置（１０００）の発電の出力電圧或いは電流を制御する。
−−背面に散熱構造を持つ光エネルギーを電気エネルギー（ｐｈｏｔｏｖｏｌｔａｉｃ）に転換する光電発電装置を構成する半導体応用装置（１０３２）：光エネルギーを電気エネルギー（ｐｈｏｔｏｖｏｌｔａｉｃ）に転換する半導体のガラス基板或いはセクションで、流体輸送配管の散熱構造を持つ光エネルギーを電気エネルギー（ｐｈｏｔｏｖｏｌｔａｉｃ）に転換する光電発電装置（１０００）によって構成し、受光するとき、発電する電気エネルギーを電気エネルギー制御装置（１００５）へ輸送してから、再び外部に対して電気エネルギーを出力する。
−−電気エネルギー制御装置（１００５）：機械電気或いは固相半導体回路コンポネント或いはインテグレートサーキットによって構成し、光エネルギーを電気エネルギー（ｐｈｏｔｏｖｏｌｔａｉｃ）に転換する光電発電装置（１０００）の出力電圧電流を制御する。
−−流体（１０４）：熱伝送機能を持つ気体或いは液体等の流体が、システム作動中にポンプ（１０６）のポンピングを受け、流体が自然貯温ユニット（１０１）の中に設置する均熱装置（１０２）を通過してから、及び／或いは流体輸送配管（１０５）、及び／或いは背面に散熱構造を持つ光エネルギーを電気エネルギー（ｐｈｏｔｏｖｏｌｔａｉｃ）に転換する光電発電装置を構成する半導体応用装置（１０３２）を通過してから、流体輸送配管（１０５）を経て、均熱装置（１０２）へ戻り、循環を形成することによって、温度均一化機能を作動させる。または温かい空気が上昇し、冷たい空気は下降する効果により、循環を形成し、温度均一化機能を作動させる。
−−流体輸送配管（１０５）：流体（１０４）が流動する配管構造によって構成し、均熱装置（１０２）と背面に散熱構造を持つ光エネルギーを電気エネルギー（ｐｈｏｔｏｖｏｌｔａｉｃ）に転換する光電発電装置を構成する半導体応用装置（１０３２）の間に設置し、またポンプ（１０６）を連続設置する。流体輸送配管（１０５）はニーズによって、オープン式或いは引き抜ける構造を選択的に設置することによって、整備作業が便利になる。
−−ポンプ（１０６）：光エネルギーを電気エネルギー（ｐｈｏｔｏｖｏｌｔａｉｃ）に転換する光電発電装置（１０００）によって発電する電気エネルギー或いは電気エネルギー貯蔵装置の電気エネルギーを連結する、或いはその他電力、機械力、人力、その他自然力を動力源とし、流体ポンプを駆動することによって構成され、流体輸送配管（１０５）に連続的に設置する。制御ユニット（１１０）の制御を受けることによって、流体（１０４）をポンピングする。本項のポンピング機能を流体の温かい空気は上昇し、冷たい空気は下降する対流効果に取り換える。
−−温度測定装置（１０７）：各種のよく使われるアナログ或いはデジタル機械電気或いは固相電子装置によって構成され、背面に散熱構造を持つ光エネルギーを電気エネルギー（ｐｈｏｔｏｖｏｌｔａｉｃ）に転換する光電発電を構成する半導体応用装置（１０３２）に設置する。温度を指示し、或いは制御信号を制御ユニット（１１０）及び／或いは電気エネルギー制御装置（１００５）へフィードバックし、及び制御ポンプ（１０６）を通して、システムを設定温度範囲内に作動或いは停止させ、及びシステムに温度調節補助装置（１０９）を設置し、ポンプ（１０６）が設定時間に作動しても、温度は設定範囲内に到達できないとき、温度調節補助装置（１０９）を起動する。本項の装置はニーズによって、設置或いは設置しないことを選択することができる。
−−ろ過装置（１０８）：流体の雑質をろ過し、配管の閉塞を防ぐ。流体の清潔度を確保するために、のろ過装置を流体循環回路の各項装置の流体吸入口或いは流出口に装置し、或いは流体輸送配管（１０５）の中の選定位置に設置する。本項のろ過装置（１０８）はニーズによって、設置或いは設置しないことを選択することができる。
−−温度調節補助装置（１０９）：流体（１０４）に対して加熱或いは冷却する機械電気式の固相、気相、液相調温装置によって構成され、或いは固相または半導体によって構成する電気エネルギーの加熱或いは冷却装置によって構成され、制御ユニット（１１０）の制御を受け、システム温度が設定範囲から外れたとき、温度調節補助装置（１０９）を起動することによって、流体（１０４）に対して加熱或いは冷却の位置で、加熱或いは冷却温度制御を作動させる。本項の装置はニーズによって、設置或いは設置しないことを選択することができる。
−−制御ユニット（１１０）：機械電気或いは固体素子回路及びソフトウェア関連によって構成され、その機能は温度測定装置（１０７）の温度測定信号及びシステムの温度設定値、流体制御ポンプ（１０６）、流体（１０４）を圧送することによって、一方向流動の連続圧送を作動させ、或いは間欠圧送を作動させ、均熱装置（１０２）及び／或いは背面に散熱構造を持つ光エネルギーを電気エネルギー（ｐｈｏｔｏｖｏｌｔａｉｃ）に転換する光電発電を構成する半導体応用装置（１０３２）間の流体（１０４）の流向と流量を制御する。及び制御ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助する。及びシステム温度が異常になったとき、システムを制御し、負荷を低減させるか断電する。
−−サポーター（６００）：一個或いは一個以上の柱状或いは支え台の構造によって構成し、その低い端に均熱装置（１０２）を設け、自然貯温ユニット（１０１）の中に設置する均熱装置（１０２）は、ニーズによって温度伝達バネ（６０１）を設置することによって導熱効果を高め、サポーター（６００）に背面に散熱構造を持つ光エネルギーを電気エネルギー（ｐｈｏｔｏｖｏｌｔａｉｃ）に転換する光電発電を構成する半導体応用装置（１０３２）を設置し、及び下記の一部或いは全部のユニット装置を含む。制御ユニット（１１０）、ポンプ（１０６）、温度測定装置（１０７）、ろ過装置（１０８）、その中の背面に散熱構造を持つ光エネルギーを電気エネルギー（ｐｈｏｔｏｖｏｌｔａｉｃ）に転換する光電発電を構成する半導体応用装置（１０３２）に、サポーター或いは別に補助アーム（１１００）を設け、別に光線追跡装置（１２００）の補助アーム（１１００）を設けることによって、光源追跡の設置を選択することによって、光エネルギーを電気エネルギー（ｐｈｏｔｏｖｏｌｔａｉｃ）に転換する効率を高める。上述のサポーター（６００）の背面に散熱構造を持つ光エネルギーを電気エネルギー（ｐｈｏｔｏｖｏｌｔａｉｃ）に転換する光電発電を構成する半導体応用装置（１０３２）を持つ流体輸送配管、及び流体の流入口と流出口は別々に流体輸送配管（１０５）と連結し、均熱装置（１０２）と繋ぐことによって閉鎖流路を構成する。流体輸送配管（１０５）の内部は流体（１０４）が流通する。流体（１０４）を通して流体の温かい空気は上昇し、冷たい空気は下降する対流効果により循環を行い、或いはニーズによって加設するポンプ（１０６）を通してポンピングすることによって、均熱装置（１０２）と背面に散熱構造を持つ光エネルギーを電気エネルギー（ｐｈｏｔｏｖｏｌｔａｉｃ）に転換する光電発電を構成する半導体応用装置（１０３２）の間に、流体（１０４）を通して、均一な温度を伝送する。
−−耐熱物質（７００）：各種の耐熱物質を自然貯温ユニット（１０１）に露出するサポーター（６００）と内部流体輸送配管（１０５）の間に入れ込むことによって、外部に対して耐熱効果を持ち、温度エネルギーロスを減少する。本項の耐熱物質（７００）はニーズによって、入れ込むことを選択することができる。また耐熱物質を抽出空気の真空効果によって取り換え、サポーター（６００）は比較的良い耐熱材料によって製成し、或いは流体輸送配管（１０５）は耐熱効果を持つ配管構造によって構成されるとき、設置しないことができる。
−−導熱体（８００）：導熱物質をサポーター（６００）に設置する自然貯温ユニット（１０１）内のパイプ内部と流体輸送配管（１０５）の間に入れ込むことによって構成し、流体輸送配管（１０５）の流体（１０４）が均熱装置（１０２）と自然貯温ユニット（１０１）を経過する温度均一化を保つ効果が高くなる。導熱体はまた均熱装置（１０２）の本体構造を一体構成することができる。
【請求項２１】
請求項２０記載の半導体応用装置の温度均一化システムであって、
光エネルギーを電気エネルギー（ｐｈｏｔｏｖｏｌｔａｉｃ）の光電発電装置に転換し、また電気エネルギー貯蔵装置の設置へ応用することを含み、比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス（１０１）の温度エネルギーを通して、光エネルギーを電気エネルギー（ｐｈｏｔｏｖｏｌｔａｉｃ）に転換する光電発電装置（１０００）によって背面に散熱構造を持つ光エネルギーを電気エネルギー（ｐｈｏｔｏｖｏｌｔａｉｃ）に転換する光電発電装置を構成する半導体応用装置（１０３２）及び／或いは電気エネルギー貯蔵装置（９００）に対して、熱エネルギーを産生することによって、温度均一化を保つ。その主な構成は少なくとも１ヶ所に流体輸送配管（１０５）を設け、ポンプ（１０６）のポンピングを通して、或いは流体の温かい空気は上昇し、冷たい空気は下降する対流効果によって駆動され、流体が背面に散熱構造を持つ光エネルギーを電気エネルギー（ｐｈｏｔｏｖｏｌｔａｉｃ）に転換する光電発電装置を構成する半導体応用装置（１０３２）及び／或いは電気エネルギー貯蔵装置（９００）に流れてから、再び流体輸送配管（１０５）を経て、自然貯温ユニット（１０１）に設置する均熱装置（１０２）へ戻ることによって、流体循環を構成し、その主な構成は下記を含むことを特徴とする半導体応用装置の温度均一化システム。
−−均熱装置（１０２）：良好な熱伝導特性を有する材料によって構成され、また自然貯温ユニット（１０１）と良好な熱伝導特性を有する構造であって、均熱装置（１０２）本体に流体流入口、流体流出口及び内部流体通路を有する。或いは自然貯温ユニット（１０１）の内部に流体が流通する空間を通して、直接的に均熱装置（１０２）の貯温機能を構成することによって、良好な熱伝導特性を有する材料に取り換え、均熱装置（１０２）を形成し、或いは二個同時に設置する。均熱装置（１０２）はまたサポーター（６００）を自然貯温ユニット（１０１）のパイプに埋め込むことによって構成することができる。一個或いは一個以上の均熱装置（１０２）が、同一の背面に散熱構造を持つ光エネルギーを電気エネルギー（ｐｈｏｔｏｖｏｌｔａｉｃ）に転換する光電発電装置を構成する半導体応用装置（１０３２）及び／或いは電気エネルギー貯蔵装置（９００）によって構成する半導体応用装置に対して、自然貯温ユニットの温度均一化システムを通して、温度均一化を保つ。或いは一個の均熱装置（１０２）によって、一個或いは一個以上の背面に散熱構造を持つ光エネルギーを電気エネルギー（ｐｈｏｔｏｖｏｌｔａｉｃ）に転換する光電発電装置を構成する半導体応用装置（１０３２）及び／或いは電気エネルギー貯蔵装置（９００）によって、独立設置する半導体応用装置の設置を通して、自然貯温ユニットの温度均一化システムを通して、温度均一化を保つ。或いは二個或いは二個以上の均熱装置（１０２）によって、二個或いは二個以上の背面に散熱構造を持つ光エネルギーを電気エネルギー（ｐｈｏｔｏｖｏｌｔａｉｃ）に転換する光電発電装置を構成する半導体応用装置（１０３２）及び／或いは電気エネルギー貯蔵装置（９００）によって独立設置する半導体応用装置の設置を通して、自然貯温ユニットの温度均一化システムを通して、温度均一化を保つ。
−−背面に散熱構造を持つ光エネルギーを電気エネルギー（ｐｈｏｔｏｖｏｌｔａｉｃ）に転換する光電発電装置を構成する半導体応用装置（１０３２）：光エネルギーを電気エネルギー（ｐｈｏｔｏｖｏｌｔａｉｃ）に転換する半導体のガラス基板或いはセクションで、流体輸送配管の散熱構造を持つ光エネルギーを電気エネルギー（ｐｈｏｔｏｖｏｌｔａｉｃ）に転換する光電発電装置（１０００）によって構成し、受光するとき、発電する電気エネルギーを電気エネルギー貯蔵装置（９００）へ輸送し、或いは外部に対して給電する。
−−電気エネルギー貯蔵装置（９００）：各種の充放電可能な二次電池或いはコンデンサやスーパーコンデンサによって構成し、背面に散熱構造を持つ光エネルギーを電気エネルギー（ｐｈｏｔｏｖｏｌｔａｉｃ）に転換する光電発電を構成する半導体応用装置（１０３２）が発電する電気エネルギーを貯蔵し、及び外部に対して出力する。電気エネルギー貯蔵装置（９００）はニーズによって、温度測定装置（１０７）及び流体輸送配管（１０５）を設置することができる。
−−電気エネルギー制御装置（１００５）：機械電気或いは固相半導体回路コンポネント或いはインテグレートサーキットによって構成し、光エネルギーを電気エネルギー（ｐｈｏｔｏｖｏｌｔａｉｃ）に転換する光電発電装置（１０００）の出力電圧電流を制御する。
−−流体（１０４）：熱伝送機能を持つ気体或いは液体等の流体が、システム作動中にポンプ（１０６）のポンピングを受け、流体が自然貯温ユニット（１０１）の中に設置する均熱装置（１０２）を通過してから、及び／或いは流体輸送配管（１０５）、及び／或いは背面に散熱構造を持つ光エネルギーを電気エネルギー（ｐｈｏｔｏｖｏｌｔａｉｃ）に転換する光電発電装置を構成する半導体応用装置（１０３２）を通過してから、流体輸送配管（１０５）を経て、均熱装置（１０２）へ戻り、循環を形成することによって、温度均一化機能を作動させる。または温かい空気が上昇し、冷たい空気は下降する効果により、循環を形成し、温度均一化機能を作動させる。
−−流体輸送配管（１０５）：流体（１０４）が流動する配管構造によって構成し、均熱装置（１０２）と背面に散熱構造を持つ光エネルギーを電気エネルギー（ｐｈｏｔｏｖｏｌｔａｉｃ）に転換する光電発電装置を構成する半導体応用装置（１０３２）の間に設置し、またポンプ（１０６）を連続設置する。流体輸送配管（１０５）はニーズによって、オープン式或いは引き抜ける構造を選択的に設置することによって、整備作業が便利になる。
−−ポンプ（１０６）：光エネルギーを電気エネルギー（ｐｈｏｔｏｖｏｌｔａｉｃ）に転換する光電発電装置（１０００）によって発電する電気エネルギー或いは電気エネルギー貯蔵装置の電気エネルギーを連結する、或いはその他電力、機械力、人力、その他自然力を動力源とし、流体ポンプを駆動することによって構成され、流体輸送配管（１０５）に連続的に設置する。制御ユニット（１１０）の制御を受けることによって、流体（１０４）をポンピングする。本項のポンピング機能を流体の温かい空気は上昇し、冷たい空気は下降する対流効果に取り換える。
−−温度測定装置（１０７）：各種のよく使われるアナログ或いはデジタル機械電気或いは固相電子装置によって構成され、背面に散熱構造を持つ光エネルギーを電気エネルギー（ｐｈｏｔｏｖｏｌｔａｉｃ）に転換する光電発電を構成する半導体応用装置（１０３２）及び／或いは電気エネルギー貯蔵装置（９００）に設置する。温度を指示し、或いは制御信号を制御ユニット（１１０）及び／或いは電気エネルギー制御装置（１００５）へフィードバックし、及び制御ポンプ（１０６）を通して、システムを設定温度範囲内に作動或いは停止させ、及びシステムに温度調節補助装置（１０９）を設置し、ポンプ（１０６）が設定時間に作動しても、温度は設定範囲内に到達できないとき、温度調節補助装置（１０９）を起動する。本項の装置はニーズによって、設置或いは設置しないことを選択することができる。
−−ろ過装置（１０８）：流体の雑質をろ過し、配管の閉塞を防ぐ。流体の清潔度を確保するために、のろ過装置を流体循環回路の各項装置の流体吸入口或いは流出口に装置し、或いは流体輸送配管（１０５）の中の選定位置に設置する。本項のろ過装置（１０８）はニーズによって、設置或いは設置しないことを選択することができる。
−−温度調節補助装置（１０９）：流体（１０４）に対して加熱或いは冷却する機械電気式の固相、気相、液相調温装置によって構成され、或いは固相または半導体によって構成する電気エネルギーの加熱或いは冷却装置によって構成され、制御ユニット（１１０）の制御を受け、システム温度が設定範囲から外れたとき、温度調節補助装置（１０９）を起動することによって、流体（１０４）に対して加熱或いは冷却の位置で、加熱或いは冷却温度制御を作動させる。本項の装置はニーズによって、設置或いは設置しないことを選択することができる。
−−制御ユニット（１１０）：機械電気或いは固体素子回路及びソフトウェア関連によって構成され、その機能は温度測定装置（１０７）の温度測定信号及びシステムの温度設定値、流体制御ポンプ（１０６）、流体（１０４）を圧送することによって、一方向流動の連続圧送を作動させ、或いは間欠圧送を作動させ、均熱装置（１０２）及び／或いは背面に散熱構造を持つ光エネルギーを電気エネルギー（ｐｈｏｔｏｖｏｌｔａｉｃ）に転換する光電発電を構成する半導体応用装置（１０３２）及び／或いは電気エネルギー貯蔵装置（９００）間の流体（１０４）の流向と流量を制御する。及び制御ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助する。及びシステム温度が異常になったとき、システムを制御し、負荷を低減させるか断電する。
−−サポーター（６００）：一個或いは一個以上の柱状或いは支え台の構造によって構成し、その低い端に均熱装置（１０２）を設け、自然貯温ユニット（１０１）の中に設置する均熱装置（１０２）は、ニーズによって温度伝達バネ（６０１）を設置することによって導熱効果を高め、サポーター（６００）に背面に散熱構造を持つ光エネルギーを電気エネルギー（ｐｈｏｔｏｖｏｌｔａｉｃ）に転換する光電発電を構成する半導体応用装置（１０３２）及び／或いは電気エネルギー貯蔵装置（９００）を設置し、及び下記の一部或いは全部のユニット装置を含む。制御ユニット（１１０）、ポンプ（１０６）、温度測定装置（１０７）、ろ過装置（１０８）、その中の背面に散熱構造を持つ光エネルギーを電気エネルギー（ｐｈｏｔｏｖｏｌｔａｉｃ）に転換する光電発電を構成する半導体応用装置（１０３２）に、サポーター或いは別に補助アーム（１１００）を設け、別に光線追跡装置（１２００）の補助アーム（１１００）を設けることによって、光源追跡の設置を選択することによって、光エネルギーを電気エネルギー（ｐｈｏｔｏｖｏｌｔａｉｃ）に転換する効率を高める。上述のサポーター（６００）の背面に散熱構造を持つ光エネルギーを電気エネルギー（ｐｈｏｔｏｖｏｌｔａｉｃ）に転換する光電発電を構成する半導体応用装置（１０３２）及び／或いは電気エネルギー貯蔵装置（９００）を持つ流体輸送配管、及び流体の流入口と流出口は別々に流体輸送配管（１０５）と連結し、均熱装置（１０２）と繋ぐことによって閉鎖流路を構成する。流体輸送配管（１０５）の内部は流体（１０４）が流通する。流体（１０４）を通して流体の温かい空気は上昇し、冷たい空気は下降する対流効果により循環を行い、或いはニーズによって加設するポンプ（１０６）を通してポンピングすることによって、均熱装置（１０２）と背面に散熱構造を持つ光エネルギーを電気エネルギー（ｐｈｏｔｏｖｏｌｔａｉｃ）に転換する光電発電を構成する半導体応用装置（１０３２）の間に、流体（１０４）を通して、均一な温度を伝送する。
−−耐熱物質（７００）：各種の耐熱物質を自然貯温ユニット（１０１）に露出するサポーター（６００）と内部流体輸送配管（１０５）の間に入れ込むことによって、外部に対して耐熱効果を持ち、温度エネルギーロスを減少する。本項の耐熱物質（７００）はニーズによって、入れ込むことを選択することができる。また耐熱物質を抽出空気の真空効果によって取り換え、サポーター（６００）は比較的良い耐熱材料によって製成し、或いは流体輸送配管（１０５）は耐熱効果を持つ配管構造によって構成されるとき、設置しないことができる。
−−導熱体（８００）：導熱物質をサポーター（６００）に設置する自然貯温ユニット（１０１）内のパイプ内部と流体輸送配管（１０５）の間に入れ込むことによって構成し、流体輸送配管（１０５）の流体が均熱装置（１０２）と自然貯温ユニット（１０１）を経過する温度均一化を保つ効果が高くなる。導熱体はまた均熱装置（１０２）の本体構造を一体構成することができる。
【請求項２２】
そのサポーター（６００）は一個或いは一個以上のＵ型配管によってサポーターの支柱を構成することが可能で、Ｕ型配管の上端を支え台構造と結合することによって、半導体関連応用装置と制御関連回路装置を設置し、Ｕ型配管の上端の流体配管は、半導体応用装置に設置する或いは選択的に設置する電気エネルギー貯蔵装置（９００）の流体輸送配管（１０５）と連結することによって、一つの閉鎖流体回路を構成し、流体を通過して、均熱装置（１０２）間の温度エネルギーを伝送し、更に設置する半導体装置の機能によって、ポンプろ過装置や光線追跡装置（１２００）等の設置を選択することができ、
Ｕ型配管は耐熱材料によって構成し、或いは耐熱材料を覆い、或いは耐熱層の管材を覆うことによって構成し、或いは直徑が比較的大きい外管（６２０）によってサポーター（６００）の構造を構成し、内部に直徑が比較的小さい内部流体輸送配管（１０５）貫通して設置するによって、流体が流通する、Ｕ型配管は自然貯温ユニット（１０１）以上の一部に露出し、その外管（６２０）の外部は耐熱材料を覆い、外管（６２０）の内壁と内部流体輸送配管（１０５）間の空間に耐熱物質（７００）を詰込み、Ｕ型配管の上端に設置する支え台構造と結合することによって、Ｕ型配管本体は流体配管機能の構造を持つ。その構成方式は下記（１）〜（３）の一種或いは一種以上を含み、
（１）自然貯温ユニット（１０１）内の配管に入れ込む配管は、良好な熱伝導特性を有する材料によって構成し、自然貯温ユニット（１０１）と良好な熱伝導特性を有する構造によって均熱機能を構成し、また外管（６２０）を自然貯温ユニット（１０１）に入れ込む部分と内部流体輸送配管の間に、導熱体（８００）を詰込む構成、
（２）別に均熱装置（１０２）を設け、自然貯温ユニット（１０１）の中に設置し、均熱装置（１０２）は流体流入口と流体流出口を有し、別々にＵ型配管の内部に設置する流体輸送配管（１０５）と連接することによって流体回路を構成し、均熱装置（１０２）の内部に流体配管を設置し、均熱装置（１０２）はニーズによって、温度伝達バネ（６０１）を設置することによって、均熱効果を高める構成、
（３）外管を通して、直接的に自然貯温ユニット（１０１）の内部に流体が流通する空間と連接することによって、自然貯温ユニットの空間で均熱装置（１０２）の貯温機能を構成することによって、良好な熱伝導特性によって製成する均熱装置（１０２）を取り換える構成、
上述のＵ型配管の内部に自然貯温ユニット（１０１）に設置する均熱装置（１０２）へ通じる流体輸送配管（１０５）を持つ、その上端に流体流入口を持ち、流体流出口は外部に設置する流体輸送配管（１０５）を通して、気相或いは液相半導体応用装置に設置し、或いは選択的に設置する電気エネルギー貯蔵装置（９００）の流体輸送配管（１０５）と連接し、また流体の温かい空気は上昇し、冷たい空気は下降する自然対流或いはポンプ（１０６）を設置することによって、流体を圧送して、均熱循環のポンピングを行うことを特徴とする請求項１記載の半導体応用装置の温度均一化システム。
【請求項２３】
オープン式の流体の温度均一化回路構造の採用を含み、即ち外部流体がろ過装置（１０８）を流れてから、再び自然貯温ユニット（１０１）の中に設置する均熱装置（１０２）に入ることによって、サポーター（６００）に設置する流体輸送配管（１０５）が発光二極体（ＬＥＤ）或いはガス灯（３００）の背面に散熱構造を持つ発光二極体（ＬＥＤ）或いはガス灯の構成を持つ半導体応用装置（１０３１）、及び／或いは光エネルギーを電気エネルギー（ｐｈｏｔｏｖｏｌｔａｉｃ）に転換する光電発電装置（１０００）の背面に散熱構造を持つ光エネルギーを電気エネルギー（ｐｈｏｔｏｖｏｌｔａｉｃ）に転換する光電発電を構成する半導体応用装置（１０３２）へ通じ、及び／或いは電気エネルギー貯蔵装置（９００）は、再びろ過装置（１０８）或いは網穴状カバーを通過し、外部に対して流体を排出し、或いは直接的に排出することを含み、
自然貯温ユニット（１０１）の中に入れ込む配管は、良好な熱伝導特性を有する材料によって構成し、自然貯温ユニット（１０１）と良好な熱伝導特性を有する構造によって均熱機能を構成し、また外管（６２０）を自然貯温ユニット（１０１）に入れ込む部分と内部流体輸送配管の間に、導熱体（８００）を詰込み、
別に均熱装置（１０２）を設け、自然貯温ユニット（１０１）の中に設置し、均熱装置（１０２）は流体流入口と流体流出口を有し、別々にＵ型配管の内部に設置する流体輸送配管（１０５）と連接することによって流体回路を構成し、均熱装置（１０２）の内部に流体配管を設置し、均熱装置（１０２）はニーズによって、温度伝達バネ（６０１）を設置することによって、均熱効果を高め、
外管を通して、直接的に自然貯温ユニット（１０１）の内部に流体が流通する空間と連接することによって、自然貯温ユニットの空間で均熱装置（１０２）の貯温機能を構成することによって、良好な熱伝導特性によって製成する均熱装置（１０２）を取り換えることを特徴とする請求項１記載の半導体応用装置の温度均一化システム。
【考案の詳細な説明】
【技術分野】
【０００１】
本考案は、自然貯温ユニットを利用して半導体応用装置の温度を均一化するシステムに関する。
【背景技術】
【０００２】
従来、固相或いは気相半導体応用装置の温度の保持、冷却或いは加熱には、通常、受動温調装置の設置を必要とした。
【考案の概要】
【考案が解決しようとする課題】
【０００３】
従来の受動温調装置の設置は、コストが高く、比較的大きなエネルギーを消耗する。
【課題を解決するための手段】
【０００４】
本考案の半導体応用装置の温度均一化システムは、比較的大きいかつ安定している貯温容量を持つ固相或いは液相の自然貯温ユニットの中に、流体が流通する均熱装置及び流体輸送配管を設置する。流体が再び固相或いは気相半導体応用装置を流れることによって、固相或いは気相半導体応用装置に対して、温度を均一に調節してから、流体は再び自然貯温ユニットの中に設置する均熱装置に戻るとき、自然貯温ユニットと良好な熱伝導機能を有する均熱装置によって、戻る流体に対して温度均一化機能を作動させる。
【０００５】
本考案の半導体応用装置の温度均一化システムは、比較的大きいかつ安定している貯温容量を持つ地層、地表、貯水池、湖泊、河川、砂漠、氷山、海洋等の固相或いは液相の自然貯温ユニットの中に、均熱装置及び流体輸送配管を設置する。これによって、均熱装置本体を通して、直接的に流通しまた固相或いは気相半導体応用装置を流れる温度差を示す流体に対して、温度均一化調節機能を作動させ、或いは加設する受動均熱装置と良好な熱伝導性を有する中継均熱器を通して、流れる温度差を示す流体に対して、温度均一化機能を作動させる。そのため、従来の受動温調装置を設置する必要がなく、固相或いは気相半導体応用装置の温度を維持、冷却、加熱することができる。
【図面の簡単な説明】
【０００６】
【図１】本考案による、一方向流動する流体が直接的に温度均一化を行うシステムを示す説明図である。
【図２】本考案による、一方向流動する流体が接的に温度均一化を行うシステムを示す説明図である。
【図３】本考案による、二方向流動する流体が直接的に温度均一化を行うシステムを示す説明図である。
【図４】本考案による、二方向流動が間接的に温度均一化を行う調節システムを示す説明図である。
【図５】本考案の背面に散熱構造を持つ発光二極体（ＬＥＤ）或いはガス灯の構成を持つ半導体応用装置によって路灯を構成する応用実施例を示す説明図である。
【図６】図５の背面に散熱構造を持つ発光二極体（ＬＥＤ）或いはガス灯の構成を持つ半導体応用装置によって路灯を構成し、及び電気エネルギー貯蔵装置を設置する実施例を示す説明図である。
【図７】図６の実施例を更に光エネルギーを電気エネルギー（ｐｈｏｔｏｖｏｌｔａｉｃ）に転換する光電発電装置を配置する実施例を示す説明図である。
【図８】図７に別に光線追跡装置の補助アームを設置する実施例を示す説明図である。
【図９】本考案の光エネルギーを電気エネルギー（ｐｈｏｔｏｖｏｌｔａｉｃ）に転換する光電発電装置への応用実施例を示す説明図である。
【図１０】図９に別に光線追跡装置の補助アームを設置する実施例を示す説明図である。
【図１１】本考案の光エネルギーを電気エネルギー（ｐｈｏｔｏｖｏｌｔａｉｃ）に転換する光電発電装置への応用また電気エネルギー貯蔵装置を設置する実施例を示す説明図である。
【図１２】図１１に別に光線追跡装置の補助アームを設置する実施例を示す説明図である。
【図１３】内部に流体配管の支柱と均熱装置１０２を持つことによってＵ型配管を構成する実施例を示す説明図である。
【図１４】Ｕ型配管に別に均熱装置１０２を設け、自然貯温ユニット１０１に設置するＵ型配管内部の流体輸送配管１０５と連接することによってＵ型配管を構成する実施例を示す説明図である。
【図１５】Ｕ型配管は内部に流体配管の支柱と自然貯温ユニット１０１を持ち、内部に流体が流通する空間によって構成する実施例を示す説明図である。
【図１６】本考案のオープン式の流体が温度均一化を保つ回路の構造説明図の一である。
【図１７】本考案のオープン式の流体が温度均一化を保つ回路の構造説明図の二である。
【図１８】本考案のオープン式の流体が温度均一化を保つ回路の構造説明図の三である。
【考案を実施するための形態】
【０００７】
一種の自然貯温ユニットを利用する半導体応用装置の温度均一化システムは、自然界の中に貯蔵している自然界の相対的に安定な温度エネルギーを持つ地層、地表、貯水池、湖泊、河川等の固相或いは液相の自然貯温ユニットの中に、良好な熱伝導特性を有する均熱装置を設置する。これによって、固相或いは気相半導体を流れる温度差を示す流体に対して、温度均一化調節機能を作動させ、或いは自然貯温ユニット本体によって、流体収容空間を有し、或いは直接的に流体輸送配管を構成し、流体が直接的に自然貯温ユニットと接触することによって、通過する流体に対して、温度均一化機能を作動させる。
【０００８】
本項の半導体応用装置の温度均一化システムは、環境、効果とコストを考慮することによって、下記システムの構成を含む。
（１）一方向流動する流体を通して、直接的に温度均一化システムによって構成する。
（２）一方向流動する流体を通して、間接的に温度均一化システムによって構成する。
（３）二方向流動する流体を通して、直接的に温度均一化システムによって構成する。
（４）二方向流動する流体を通して，間接的に温度均一化システムによって構成する。
【０００９】
図１に本考案が一方向流動する流体を通して、直接的に温度均一化システムの説明図を示す。システムは少なくとも１ヶ所に流体輸送配管１０５を設け、ポンプ１０６のポンピングを通して、流体が半導体応用装置１０３に流れてから、再び流体輸送配管１０５を通って、比較的大きいかつ相対的に安定している貯温容量を持つ地層、地表、貯水池、湖泊、河川、砂漠、氷山、海洋等の固相或いは液相の自然貯温ユニットによって構成する自然貯温ユニット１０１に設置する均熱装置１０２へ戻り、流体流路を構成する。システムの主な構成は下記を含む。
【００１０】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。一個或いは一個以上の均熱装置１０２に対して、同一半導体応用装置によって、自然貯温ユニットの温度均一化システムに対して、温度均一化を保つことを含む。或いは一個の均熱装置１０２によって、一個或いは一個以上の独立設置する自然貯温ユニットの温度均一化システムを通して半導体応用装置の温度均一化を保つ。或いは二個或いは二個以上の均熱装置１０２によって、二個或いは二個以上の独立設置する自然貯温ユニットの温度均一化システムを通して半導体応用装置の温度均一化を保つ。
【００１１】
−−半導体応用装置１０３：半導体応用装置によって固相或いは気相半導体によって構成する、或いは散熱装置の半導体に結合することによって構成し、或いは半導体パッケージによって構成し、或いは散熱装置パッケージと結合している半導体によって構成することを含む。半導体によって結合の散熱装置に含まれる液相、気相、固相、或いはヒートパイプを持つ散熱装置を含む。半導体応用装置の半導体種類は、下記の一種或いは一種以上によって構成することを含む。各種発光二極体（ＬＥＤ）、気相半導体の電気エネルギーを光エネルギーへ転換する発光装置、光エネルギーを電気エネルギー（ｐｈｏｔｏｖｏｌｔａｉｃ）へ転換する発電装置、パワートランジスター、整流ダイオード、サイリスタ、ＭＯＳＦＥＴ、ＩＧＢＴ、ＧＴＯ、ＳＣＲ、ＴＲＩＡＣ、及び線式トランジスター、各種半導体インテグレートサーキット、メモリー、中央処理装置（ＣＰＵ）、サーボ、或いは半導体応用装置、例えば発光二極体（ＬＥＤ）の照明装置、応用光エネルギーを電気エネルギー（ｐｈｏｔｏｖｏｌｔａｉｃ）へ転換する光エネルギー発電装置、半導体コンポネントを構成する中央処理装置（ＣＰＵ）、大型ホストコンピュータ、サーボ、電源供給装置、モータ駆動制御装置、コンバーター（ｃｏｎｖｅｒｔｅｒ）、インバーター（ｉｎｖｅｒｔｅｒ）、充電装置、電熱エネルギー制御装置、電磁エネルギー制御器、電気エネルギーを光エネルギーへ転換する駆動制御装置を含む。上述の半導体応用装置は、また温度均一化を保とうとする構成或いは上記の各種半導体応用装置１０３本体によって冷却或いは加熱装置の散熱器を配置し、温度均一化を保つ構成を含む。
【００１２】
半導体応用装置１０３本体の内部に、流体１０４を流通する配管を持ち、及び半導体応用装置１０３に温度を均一に保とうとする標的構造の位置に、流体１０４温度均一化調節構造を設置し、或いは直接的に流体１０４を流通する配管に、温度均一化調節の標的位置を通過するときに、直接的に温度均一化調節機能を作動させ、またニーズによって流体分流配管１１９、分流制御バルブ１２０、分流補助ポンプ１２１等の装置を選択的に設置し、自然貯温ユニット１０１の中に設置する均熱装置１０２を通過する流体１０４を導入し、半導体応用装置１０３を通過することによって、選定する個別温度を均一に保とうとする一部の温度を均一に調節し、また再び均熱装置１０２へ戻り、循環を形成することによって、温度均一化機能を作動させる。
【００１３】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び流体輸送配管１０５を通過してから、及びニーズによって選択的に設置する半導体応用装置１０３の分流配管１１９を通過してから、再び流体輸送配管１０５を経て、均熱装置１０２へ戻り、循環を形成することによって、温度均一化機能を作動させる。
【００１４】
−−流体輸送配管１０５：流体１０４が流動する配管構造によって構成し、均熱装置１０２と半導体応用装置１０３の間に設置し、またポンプ１０６を連続設置する。流体輸送配管１０５はニーズによってオープン式或いは引き抜ける構造を選択的に設置することによって、整備作業が便利になる。
【００１５】
上記の流体輸送配管１０５は、更に比較的耐熱性が良い材料によって構成し、或いは少なくとも一層の耐熱性材料によって構成し、或いは耐熱性材料の塗布層によって構成することによって、内部流体が流体輸送配管１０５を通過するとき、比較的周辺温度に影響されない。
【００１６】
−−ポンプ１０６：電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【００１７】
−−温度測定装置１０７：各種のよく使われるアナログ或いはデジタル機械電気或いは固相電子装置によって構成され、半導体応用装置１０３に設置する。温度を指示し、或いは制御信号を制御ユニット１１０へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【００１８】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【００１９】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【００２０】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２と半導体応用装置１０３間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【００２１】
もし半導体応用装置１０３に流体分流配管１１９、分流制御バルブ１２０、分流補助ポンプ１２１を選択的に設置するとき、制御ユニット１１０より分流制御バルブ１２０及び分流補助ポンプ１２１の作動を制御し、各流体分流配管１１９中の流体１０４を圧送または圧送を停止させ、及びその流量或いはその他関連機能の作動を制御する。
本項の制御ユニット１１０はニーズによって機能を設定し、またニーズによって設置或いは設置しないことを選択することができる。
【００２２】
図２に本考案の一方向流動する流体を通して、間接的に温度均一化システムの説明図を示す。加設する中継均熱器２０２を通して、間接的に温度エネルギーを伝送することによって、一方向流動する流体により間接的に温度均一化調節システムを構成し、自然貯温ユニット１０１に均熱装置１０２、半導体応用装置１０３、流体１０４、流体輸送配管１０５、ポンプ１０６、温度測定装置１０７、ろ過装置１０８、制御ユニット１１０を設置する以外に、また温度調節補助装置１０９、分流配管１１９、分流制御バルブ１２０、分流補助ポンプ１２１を選択的に設置することによって、自然貯温ユニット１０１の中に、良好な熱伝導特性を有する均熱装置１０２を設置し、均熱装置１０２と自然貯温ユニット１０１によって、均熱伝送機能を作動させる以外に、本項の一方向流動する流体を通して、間接的に温度均一化調節システムになる。その主な構成は更に下記を含む。
【００２３】
−−中継均熱器２０２、一個或いは一個以上の良好な貯熱及び熱伝導材料によって構成され、中継均熱器２０２本体に流体１０４流入口と流通通路と流出口の第一流体通路と流体２０４流入口、流通通路と流出口の第二流体通路を有し、流体１０４と流体２０４を通して、中継均熱器２０２が互いに温度エネルギーを伝送する。
【００２４】
−−均熱装置１０２と中継均熱器２０２の間に流体輸送配管２０５及び流体中継ポンプ２０６を設け、連続或いは間欠的に一方向流動均熱装置１０２と中継均熱器２０２間の流体２０４を圧送してサイクルポンピングし、閉鎖環状流路を形成することによって、均熱装置１０２と中継均熱器２０２間の温度均一化調節機能を作動させる。
【００２５】
−−半導体応用装置１０３と中継均熱器２０２の間に、流体輸送配管１０５及びポンプ１０６を設け、連続或いは間欠的に単方向に半導体応用装置１０３と中継均熱器２０２間の流体１０４を圧送し、温度均一化機能を作動させる。
【００２６】
−−流体輸送配管１０５：流体１０４が流動している配管構造によって構成する。流体輸送配管１０５はニーズによって、オープン式或いは引き抜ける構造を選択的に設置することによって、整備作業が便利になる。
【００２７】
上記の流体輸送配管１０５は、更に比較的耐熱性が良い材料によって構成し、或いは少なくとも一層の耐熱性材料によって構成し、或いは耐熱性材料の塗布層によって構成することによって、内部流体が流体輸送配管１０５を通過するとき、比較的周辺温度に影響されない。
【００２８】
−−流体１０４：良好な貯熱及び熱伝導性を有する気体或いは液体によって構成することを含む。ポンプ１０６のポンピングを通して、中継均熱器２０２と半導体応用装置１０３間の流体１０４が、流体輸送配管１０５を経過して流路を構成することによって、温度均一化機能を作動させる。流体１０４ニーズによって流体２０４と同じ或いは異なるものを選択することができる。
【００２９】
−−流体輸送配管２０５：流体２０４が流動している配管構造によって構成する。流体輸送配管２０５はニーズによって、オープン式或いは引き抜ける構造を選択的に設置することによって、整備作業が便利になる。
【００３０】
上記の流体輸送配管２０５は、更に比較的耐熱性が良い材料によって構成し、或いは少なくとも一層の耐熱性材料によって構成し、或いは耐熱性材料の塗布層によって構成することによって、内部流体が流体輸送配管２０５を通過するとき、比較的周辺温度に影響されない。
【００３１】
−−流体２０４：良好な貯熱及び熱伝導性を有する気体或いは液体によって構成することを含む。ポンプ２０６のポンピングを通して、均熱装置１０２と中継均熱器２０２間の流体２０４が、流体輸送配管２０５を経過して流路を構成することによって、温度均一化機能を作動させる。流体２０４ニーズによって流体１０４と同じ或いは異なるものを選択することができる。
【００３２】
−−ポンプ１０６：電力或いは機械力で流体ポンプを駆動することによって構成し、流体１０４をポンピングする。本項のポンピング機能を流体の温かい空気は上昇し、冷たい空気は下降する対流効果に取り換える。
【００３３】
−−中継ポンプ２０６：電力或いは機械力で流体ポンプを駆動することによって構成し、流体２０４をポンピングする。本項のポンピング機能を流体の温かい空気は上昇し、冷たい空気は下降する対流効果に取り換える。
【００３４】
−−半導体応用装置１０３と中継均熱器２０２の間に、流体輸送配管１０５及びポンプ１０６を設け、ポンプ１０６を通して半導体応用装置１０３と中継均熱器２０２間の流体１０４をポンピングすることによって、温度均一化機能を作動させる。
【００３５】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、及び半導体応用装置１０３と中継均熱器２０２間の流体１０４の流向及び流量を制御し、また中継均熱器２０２と均熱装置１０２間の流体２０４の流向と流量を制御し、及び流体ポンプ１０６によって圧送する流体１０４を制御し、或いは中継ポンプ２０６によって圧送する流体２０４を制御することによって、一方向流動の連続圧送を作動させ或いは間欠圧送を作動させる。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。その制御作動は下記を含む。
【００３６】
制御ユニット１１０を通して、ポンプ１０６を制御することによって、一方向流動の連続ポンピング作動或いは間欠ポンピングを作動させ、半導体応用装置１０３と中継均熱器２０２間の流体１０４をポンピングすることによって、一方向流動の温度均一化の制御を構成する。
【００３７】
制御ユニット１１０を通して、中継ポンプ２０６を制御することによって、一方向流動の連続ポンピング或いは間欠ポンピングを作動させ、均熱装置１０２と中継均熱器２０２間の流体２０４をポンピングすることによって、一方向流動の温度均一化の制御を構成する。
【００３８】
もし半導体応用装置１０３に分流配管１１９、分流制御バルブ１２０、分流補助ポンプ１２１を選択的に設置するとき、制御ユニット１１０より分流制御バルブ１２０及び分流補助ポンプ１２１の作動を制御し、各流体分流配管１１９中の流体１０４を圧送または圧送を停止させ、及びその流量或いはその他関連機能の作動を制御する。
【００３９】
本項の制御ユニット１１０はニーズによって機能を設定し、またニーズによって、設置或いは設置しないことを選択することができる。
【００４０】
図３に本考案の二方向流動する流体を通して、直接的に温度均一化システム説明図を示す。比較的大きいかつ相対的に安定している貯温容量を持つ地層、地表、貯水池、湖泊、河川、砂漠、氷山、海洋等の固相或いは液相の自然貯温ユニットによって構成する自然貯温ユニット１０１の中に、良好な熱伝導特性を有する均熱装置１０２を設置し、均熱装置１０２と自然貯温ユニット１０１によって、均熱伝送機能を作動させる。図３に示すシステムの主な構成は下記を含む。
【００４１】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。一個或いは一個以上の均熱装置１０２に対して、同一半導体応用装置によって、自然貯温ユニットの温度均一化システムに対して、温度均一化を保つことを含む。或いは一個の均熱装置１０２によって、一個或いは一個以上の独立設置する自然貯温ユニットの温度均一化システムを通して半導体応用装置の温度均一化を保つ。或いは二個或いは二個以上の均熱装置１０２によって、二個或いは二個以上の独立設置する自然貯温ユニットの温度均一化システムを通して半導体応用装置の温度均一化を保つ。
【００４２】
−−半導体応用装置１０３：半導体応用装置によって固相或いは気相半導体によって構成する、或いは散熱装置の半導体に結合することによって構成し、或いは半導体パッケージによって構成し、或いは散熱装置パッケージと結合している半導体によって構成することを含む。半導体によって結合の散熱装置に含まれる液相、気相、固相、或いはヒートパイプを持つ散熱装置を含む。半導体応用装置の半導体種類は、下記の一種或いは一種以上によって構成することを含む：各種発光二極体（ＬＥＤ）、気相半導体の電気エネルギーを光エネルギーへ転換する発光装置、光エネルギーを電気エネルギー（ｐｈｏｔｏｖｏｌｔａｉｃ）へ転換する発電装置、パワートランジスター、整流ダイオード、サイリスタ、ＭＯＳＦＥＴ、ＩＧＢＴ、ＧＴＯ、ＳＣＲ、ＴＲＩＡＣ、及び線式トランジスター、各種半導体インテグレートサーキット、メモリー、中央処理装置（ＣＰＵ）、サーボ、或いは半導体応用装置、例えば発光二極体（ＬＥＤ）の照明装置、応用光エネルギーを電気エネルギー（ｐｈｏｔｏｖｏｌｔａｉｃ）へ転換する光エネルギー発電装置、半導体コンポネントを構成する中央処理装置（ＣＰＵ）、大型ホストコンピュータ、サーボ、電源供給装置、モータ駆動制御装置、コンバーター（ｃｏｎｖｅｒｔｅｒ）、インバーター（ｉｎｖｅｒｔｅｒ）、充電装置、電熱エネルギー制御装置、電磁エネルギー制御器、電気エネルギーを光エネルギーへ転換する駆動制御装置を含む。上述の半導体応用装置は、また温度均一化を保とうとする構成或いは上記の各種半導体応用装置１０３本体によって冷却或いは加熱装置の散熱器を配置し、温度均一化を保つ構成を含む。
【００４３】
半導体応用装置１０３本体の内部に、流体１０４を流通する配管を持ち、及び半導体応用装置１０３に温度を均一に保とうとする標的構造の位置に、流体１０４温度均一化調節構造を設置し、或いは直接的に流体１０４を流通する配管に、温度均一化調節の標的位置を通過するときに、直接的に温度均一化調節機能を作動させ、またニーズによって流体分流配管１１９、分流制御バルブ１２０、分流補助ポンプ１２１等の装置を選択的に設置し、自然貯温ユニット１０１の中に設置する均熱装置１０２を通過する流体１０４を導入し、半導体応用装置１０３を通過することによって、選定する個別温度を均一に保とうとする一部の温度を均一に調節し、また再び均熱装置１０２へ戻り、循環を形成することによって、温度均一化機能を作動させる。
【００４４】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び流体輸送配管１０５を通過してから、及びニーズによって選択的に設置する半導体応用装置１０３の分流配管１１９を通過してから、再び流体輸送配管１０５を経て、均熱装置１０２へ戻り、循環を形成することによって、温度均一化機能を作動させる。
【００４５】
−−流体輸送配管１０５：流体１０４が流動する配管構造によって構成し、均熱装置１０２と半導体応用装置１０３の間に設置し、またポンプ１０６を連続設置する。流体輸送配管１０５はニーズによってオープン式或いは引き抜ける構造を選択的に設置することによって、整備作業が便利になる。
【００４６】
上記の流体輸送配管１０５は、更に比較的耐熱性が良い材料によって構成し、或いは少なくとも一層の耐熱性材料によって構成し、或いは耐熱性材料の塗布層によって構成することによって、内部流体が流体輸送配管１０５を通過するとき、比較的周辺温度に影響されない。
【００４７】
−−ポンプ１０６：電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【００４８】
−−温度測定装置１０７：各種のよく使われるアナログ或いはデジタル機械電気或いは固相電子装置によって構成され、半導体応用装置１０３に設置する。温度を指示し、或いは制御信号を制御ユニット１１０へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【００４９】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【００５０】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【００５１】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２と半導体応用装置１０３間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。周期的に正方向または逆方向に切替えることによって、流体１０４の流向を圧送し、その作動方式連続圧送作動と間欠圧送作動を含む。その制御作動は下記を含む。
【００５２】
−−制御ユニット１１０を通してポンプ１０６を制御し、流体１０４に対して、周期的に正方向または逆方向へ圧送し、均熱装置１０２、流体輸送配管１０５及び半導体応用装置１０３内部を通過する流体１０４の流向を周期的に切替え、均熱装置１０２及び半導体応用装置１０３の流体流入口と流出口を通過する流体１０４は、流向を周期的に切替えることによって、温度均一化を保つ効果が高くなり、二方向流動の温度均一化を制御する。
【００５３】
もし半導体応用装置１０３に流体分流配管１１９、分流制御バルブ１２０、分流補助ポンプ１２１を選択的に設置するとき、制御ユニット１１０より分流制御バルブ１２０及び分流補助ポンプ１２１の作動を制御し、各流体分流配管１１９中の流体１０４を圧送または圧送を停止させ、及びその流量或いはその他関連機能の作動を制御する。
【００５４】
本項の制御ユニット１１０はニーズによって機能を設定し、またニーズによって設置或いは設置しないことを選択することができる。
【００５５】
図４に本考案を通して、二方向流動が間接的に温度均一化調節システム説明図を示す。加設する中継均熱器２０２を通して、間接的に温度エネルギーを伝送することによって、二方向流動の間接的に温度均一化調節システムを構成し、自然貯温ユニット１０１に均熱装置１０２、半導体応用装置１０３、流体１０４、流体輸送配管１０５、ポンプ１０６、温度測定装置１０７、ろ過装置１０８、制御ユニット１１０を設置する以外に、また温度調節補助装置１０９、分流配管１１９、分流制御バルブ１２０、分流補助ポンプ１２１を選択的に設置することによって、比較的大きいかつ相対的に安定している貯温容量を持つ地層、地表、貯水池、湖泊、河川、砂漠、氷山、海洋等の固相或いは液相の自然貯温ユニットによって構成する自然貯温ユニット１０１の中に、良好な熱伝導特性を有する均熱装置１０２を設置し、均熱装置１０２と自然貯温ユニット１０１によって、均熱伝送機能を作動させる以外に、本項の二方向流動する流体を通して、間接的に温度均一化調節システムになる。その主な構成は更に下記を含む。
【００５６】
−−中継均熱器２０２、一個或いは一個以上の良好な貯熱及び熱伝導材料によって構成され、中継均熱器２０２本体に流体１０４流入口と流通通路と流出口の第一流体通路と流体２０４流入口、流通通路と流出口の第二流体通路を有し、流体１０４と流体２０４を通して、中継均熱器２０２が互いに温度エネルギーを伝送する。
【００５７】
−−均熱装置１０２と中継均熱器２０２の間に流体輸送配管２０５及び流体中継ポンプ２０６を設け、連続或いは周期的に正方向または逆方向へ間欠圧送する均熱装置１０２と中継均熱器２０２間の流体２０４を圧送してサイクルポンピングし、閉鎖環状流路を形成することによって、均熱装置１０２と中継均熱器２０２間の温度均一化調節機能を作動させる。
【００５８】
−−半導体応用装置１０３と中継均熱器２０２の間に、流体輸送配管１０５及びポンプ１０６を設け、周期的に正方向または逆方向へ連続或いは間欠圧送する半導体応用装置１０３と中継均熱器２０２間の流体１０４を圧送し、温度均一化機能を作動させる。
【００５９】
−−流体輸送配管１０５：流体１０４が流動している配管構造によって構成する。流体輸送配管１０５はニーズによって、オープン式或いは引き抜ける構造を選択的に設置することによって、整備作業が便利になる。
【００６０】
−−流体輸送配管１０５：流体１０４が流動している配管構造によって構成する。流体輸送配管１０５はニーズによって、オープン式或いは引き抜ける構造を選択的に設置することによって、整備作業が便利になる。
【００６１】
上記の流体輸送配管１０５は、更に比較的耐熱性が良い材料によって構成し、或いは少なくとも一層の耐熱性材料によって構成し、或いは耐熱性材料の塗布層によって構成することによって、内部流体が流体輸送配管１０５を通過するとき、比較的周辺温度に影響されない。
【００６２】
−−流体１０４：良好な貯熱及び熱伝導性を有する気体或いは液体によって構成することを含む。ポンプ１０６のポンピングを通して、中継均熱器２０２と半導体応用装置１０３間の流体１０４が、流体輸送配管１０５を経過して流路を構成することによって、温度均一化機能を作動させる。流体１０４ニーズによって流体２０４と同じ或いは異なるものを選択することができる。
【００６３】
−−流体輸送配管２０５：流体２０４が流動している配管構造によって構成する。流体輸送配管２０５はニーズによって、オープン式或いは引き抜ける構造を選択的に設置することによって、整備作業が便利になる。
【００６４】
上記の流体輸送配管２０５は、更に比較的耐熱性が良い材料によって構成し、或いは少なくとも一層の耐熱性材料によって構成し、或いは耐熱性材料の塗布層によって構成することによって、内部流体が流体輸送配管２０５を通過するとき、比較的周辺温度に影響されない。
【００６５】
−−流体２０４：良好な貯熱及び熱伝導性を有する気体或いは液体によって構成することを含む。ポンプ２０６のポンピングを通して、均熱装置１０２と中継均熱器２０２間の流体２０４が、流体輸送配管２０５を経過して流路を構成することによって、温度均一化機能を作動させる。流体２０４ニーズによって流体１０４と同じ或いは異なるものを選択することができる。
【００６６】
−−ポンプ１０６：電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【００６７】
−−中継ポンプ２０６：電力或いは機械力で流体ポンプを駆動することによって構成し、流体２０４をポンピングする。本項のポンピング機能を流体の温かい空気は上昇し、冷たい空気は下降する対流効果に取り換える。
【００６８】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、及び半導体応用装置１０３と中継均熱器２０２間の流体１０４の流向及び流量を制御し、また中継均熱器２０２と均熱装置１０２間の流体２０４の流向と流量を制御し、及び流体ポンプ１０６によって圧送する流体１０４を制御し、或いは中継ポンプ２０６によって圧送する流体２０４を制御することによって、周期的に正方向または逆方向に切替えることによって、流体１０４或いは流体２０４の流向をポンピングし、その作動方式は連続ポンピング作動或いは間欠ポンピング作動を含む。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。その制御作動は下記を含む。
【００６９】
制御ユニット１１０を通してポンプ１０６を制御し、流体１０４に対して周期的に正方向または逆方向へ圧送し、中継均熱装置２０２、流体輸送配管１０５、半導体応用装置１０３の流体１０４内部を通過する流向を周期的に切替え、中継均熱器２０２及び半導体応用装置１０３の流体流入口と流出口の流体１０４は、流向を周期的に切替えることによって、温度均一化の効果が高くなり、二方向流動の温度均一化を制御する。
【００７０】
制御ユニット１１０を通して中継ポンプ２０６を制御し、流体２０４に対して周期的に正方向または逆方向へ圧送し、均熱装置１０２、流体輸送配管２０５、中継均熱器２０２の流体２０４内部を通過する流向を周期的に切替え、中継均熱器２０２及び均熱装置１０２の流体流入口と流出口の流体２０４は、流向を周期的に切替えることによって、温度均一化の効果が高くなり、二方向流動の温度均一化を制御する。
【００７１】
もし半導体応用装置１０３に分流配管１１９、分流制御バルブ１２０、分流補助ポンプ１２１を選択的に設置するとき、制御ユニット１１０より分流制御バルブ１２０及び分流補助ポンプ１２１の作動を制御し、各流体分流配管１１９中の流体１０４を圧送または圧送を停止させ、及びその流量或いはその他関連機能の作動を制御する。
【００７２】
本項の制御ユニット１１０はニーズによって機能を設定し、またニーズによって、設置或いは設置しないことを選択することができる。
【００７３】
上記の図１に示すシステムの均熱装置１０２と半導体応用装置１０３間の均熱作動方式は、均熱装置１０２と半導体応用装置１０３の間に、少なくとも一個の流体輸送配管１０５を設け、及び少なくとも一個のポンプ１０６によって閉鎖流路を形成し、ポンプ１０６を通して良好な熱伝導特性を有する流体１０４を圧送し、一方向流動の連続或いは間欠圧送を行い、或いはその圧送流量を制御することによって、均熱装置１０２と半導体応用装置１０３の間に、温度均一化機能を作動させる。
【００７４】
図３に示すシステムの均熱装置１０２と半導体応用装置１０３間の均熱作動方式は、均熱装置１０２と半導体応用装置１０３の間に、流体１０４を通過する流体輸送配管１０５及びポンプ１０６を設け、制御ポンプ１０６の流体１０４のポンピングを制御することによって、連続或いは間欠ポンピングを行い、その流体のポンピング流向を周期的に切替えることによって、均熱装置１０２と半導体応用装置１０３間の温度差を均衡する。
【００７５】
図１及び図３に示すシステムは、伝熱性が良くまたよく使われるヒートパイプを直接的に均熱装置１０２と半導体応用装置１０３の間に設置することによって、流体輸送配管１０５を取り換え、或いは選択的に設置する分流配管１１９を取り換えることによって、温度均一化機能を作動させる。
【００７６】
上記の図２に示すシステムの均熱装置１０２と中継均熱器２０２の間の均熱作動方式は、均熱装置１０２と中継均熱器２０２の間に、少なくとも一個の流体２０４を通過させる流体輸送配管２０５を設け、及び少なくとも一個の中継ポンプ２０６によって閉鎖流路を形成し、中継ポンプ２０６を通して、良好な熱伝導特性を有する流体２０４を圧送し、一方向流動の連続或いは間欠圧送を行い、或いはその圧送流量を制御することによって、均熱装置１０２と中継均熱器２０２の間に、温度均一化機能を作動させる。
【００７７】
図２に示すシステムの中継均熱器２０２と半導体応用装置１０３間の均熱作動方式は、中継均熱器２０２と半導体応用装置１０３の間に、少なくとも一個の流体輸送配管１０５を設け、及び少なくとも一個のポンプ１０６によって閉鎖流路を形成し、ポンプ１０６を通して、良好な熱伝導特性を有する流体１０４を圧送し、一方向流動の連続或いは間欠圧送を行い、或いはその圧送流量を制御することによって、中継均熱器２０２と半導体応用装置１０３の間に、温度均一化機能を作動させる。
【００７８】
図４に示すシステムの均熱装置１０２と中継均熱器２０２間の均熱作動方式は、少なくとも一個の中継均熱器２０２と少なくとも１セットの均熱装置１０２の間に、流体２０４を通過させる流体輸送配管２０５及び中継ポンプ２０６を設け、中継ポンプ２０６の流体２０４のポンピングを制御し、連続或いは間欠ポンピングを行い、その流体のポンピング流向を周期的に切替えることによって、中継均熱器２０２和均熱装置１０２間の温度差を均衡する。
【００７９】
図４に示すシステムの中継均熱器２０２と半導体応用装置１０３間の均熱作動方式は、中継均熱器２０２と半導体応用装置１０３の間に、流体１０４を通過させる流体輸送配管１０５及びポンプ１０６を設け、ポンプ１０６の流体１０４のポンピングを制御し、連続或いは間欠ポンピングを行い、その流体のポンピング流向を周期的に切替えることによって、中継均熱器２０２と半導体応用装置１０３間の温度差を均衡する。
【００８０】
図２及び図４に示すシステムは、伝熱性が良くまたよく使われるヒートパイプを直接的に均熱装置１０２と中継均熱器２０２の間に設置することによって、流体輸送配管２０５を取り換え、或いは中継均熱器２０２と半導体応用装置１０３の間に設置することによって、流体輸送配管１０５を取り換え、或いは選択的に設置する分流配管１１９を取り換えることによって、温度均一化機能を作動させる。
【００８１】
上記の図２及び図４に示す及び関連説明で述べた均熱装置１０２と中継均熱器２０２の間に配置する中継ポンプ２０６が流体２０４に対するポンピングは、及び中継均熱器２０２と半導体応用装置１０３の間に配置するポンプ１０６が流体１０４に対するポンピングの作動時期は、流体１０４及び流体２０４に対して、同時或いは異なる時期にポンピングを行い、周期的にポンピング流向の二方向流動のポンピングへ切替え、またニーズによってポンプ１０６或いは中継ポンプ２０６の中の一つを選択し、一方向流動の連続或いは間欠ポンピングを行い、もう一つのポンプは、周期的に流向の連続或いは間欠ポンピングを切替える。
【００８２】
本項の半導体応用装置の温度均一化システムの関連説明で述べたポンプ１０６或いは中継ポンプ２０６は、下記からなることができる。
（１）単一ポンプによって、一方向流動の連続ポンピングを行う。或いは、
（２）単一ポンプによって、一方向流動の間欠ポンピングを行う。或いは、
（３）単一ポンプによって、一方向流動のポンピングを行い、流向変更可能なバルブによって制御し、周期によってポンピング流体の流向を変換する。或いは、
（４）多セットの異なる動力源のポンプを通して、同時に流向が異なるポンピングを行い、或いは別々に周期によってポンピング流体の流向を変換する。或いは、
（５）同一動力源を通して、同時に異なる流向のポンプを駆動し、連続的に異なる流向のポンピングを行い、或いは更に周期によってポンピング流体の流向を変換する。或いは
（６）二方向回転ポンピング機能の二方向流動のポンプを使用し、動力源の回転方向を変更するにより、周期によってポンピング流体の流向を変換する。
【００８３】
本項の半導体応用装置の温度均一化システムの関連説明で述べた流体輸送配管１０５或いは流体輸送配管２０５或いは取り換える選択的に設置する分流配管１１９は、貯熱性が高い材料であってよいが、材料は必要な長さ及び特定の幾何形状や構造、例えばジグザグ形、迷路形、渦巻き形によって構成することが可能で、自然貯温ユニット１０１の中に埋め込むことによって、均熱装置１０２の構成と自然貯温ユニット１０１間の均熱機能を取り換える或いは協力する。
【００８４】
本項の半導体応用装置の温度均一化システムの関連説明で述べた半導体応用装置の温度均一化システムは、更にニーズによって、下記を含む補助制御装置を選択的に設置することができる。
【００８５】
−−ろ過装置：配管の閉塞を防ぎ及び清潔機能を持つろ過装置であって、システムの各項装置の流体吸入口或いは流出口に装置し、或いは流体輸送配管の中に設置する。ろ過装置はフィルター或いはその他よく使われるろ過装置によって構成することができる。本項の装置はニーズによって、設置或いは設置しないことを選択することができる。
【００８６】
−−分流制御バルブ：人力、機械力、流力、電磁力によって、流量の大小を制御する。本項の装置はニーズによって、設置或いは設置しないことを選択することができる。
【００８７】
本項の半導体応用装置の温度均一化システムの中の各項目の構造、例えば均熱装置１０２、半導体応用装置１０３、流体１０４、流体輸送配管１０５、ポンプ１０６、温度測定装置１０７を選択的に設置し、ろ過装置１０８、温度調節補助装置１０９、制御ユニット１１０、流体分流配管１１９、分流制御バルブ１２０、分流補助ポンプ１２１等の設置数量は、各一個或いは一個以上であることができる。各項が二個或いは二個以上を用いるとき、その規格或いは材料はニーズによって、同じ或いは異なるものを選択することができる。
【００８８】
本項の半導体応用装置の温度均一化システムの中の各項目の構造、例えば均熱装置１０２、半導体応用装置１０３、流体１０４、流体輸送配管１０５、ポンプ１０６、中継均熱器２０２、流体２０４、中継ポンプ２０６、及び選択する温度測定装置１０７、ろ過装置１０８、温度調節補助装置１０９、制御ユニット１１０、流体分流配管１１９、分流制御バルブ１２０、分流補助ポンプ１２１等の設置数量は、各一個或いは一個以上であることができる。各項が二個或いは二個以上を用いるとき、その規格或いは材料はニーズによって、同じ或いは異なるものを選択することができる。
【００８９】
図５の実施例は、本考案を背面に散熱構造を持つ発光二極体（ＬＥＤ）或いはガス灯の構成を持つ半導体応用装置を路灯へ応用する実施例の説明図である。比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス１０１の温度エネルギーを通して、発光二極体（ＬＥＤ）によって構成する背面に散熱構造を持つ発光二極体（ＬＥＤ）或いはガス灯の構成を持つ半導体応用装置１０３１に対して、熱エネルギーを産生することによって、温度均一化を保つ。その主な構成は少なくとも１ヶ所に流体輸送配管１０５を設け、ポンプ１０６のポンピングを通して、或いは流体の温かい空気は上昇し、冷たい空気は下降する対流効果によって駆動され、或いは流体を通して、流体が背面に散熱構造を持つ発光二極体（ＬＥＤ）或いはガス灯の構成を持つ半導体応用装置１０３１に流れてから、再び流体輸送配管１０５を経て、自然貯温ユニット１０１に設置する均熱装置１０２へ戻ることによって、流体循環を構成する。その主な構成は下記を含む。
【００９０】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。均熱装置１０２はまたサポーター６００を自然貯温ユニット１０１のパイプに埋め込むことによって構成することができる。一個或いは一個以上の均熱装置１０２が、同一の背面に散熱構造を持つ発光二極体（ＬＥＤ）或いはガス灯の構成を持つ半導体応用装置１０３１によって構成する半導体応用装置に対して、自然貯温ユニットの温度均一化システムを通して、温度均一化を保つ。また一個の均熱装置１０２が、一個或いは一個以上の独立に設置する背面に散熱構造を持つ発光二極体（ＬＥＤ）或いはガス灯の構成を持つ半導体応用装置１０３１によって構成する半導体応用装置に対して、自然貯温ユニットの温度均一化システムを通して、温度均一化を保つ。また二個或いは二個以上の均熱装置１０２が、二個或いは二個以上の独立に設置する背面に散熱構造を持つ発光二極体（ＬＥＤ）或いはガス灯の構成を持つ半導体応用装置１０３１によって構成する半導体応用装置に対して、自然貯温ユニットの温度均一化システムを通して、温度均一化を保つ。
【００９１】
−−背面に散熱構造を持つ発光二極体（ＬＥＤ）或いはガス灯の構成を持つ半導体応用装置１０３１：発光二極体（ＬＥＤ）或いはガス灯３００及び散熱装置の配置によって構成し、また散熱装置に流体輸送配管１０５を配置することによって、流体１０４を通過する。
【００９２】
−−ドライブ制御回路３１０：入力電気エネルギーのオン／オフ機能を制御し、及び発光二極体（ＬＥＤ）或いはガス灯３００を駆動し、または設定機能によってオン／オフし、または明度を制御し、またはオン／オフ時期を制御し、及び温度測定装置１０７の信号を受け、システム温度が異常になったとき、システムの負荷低減或いは断電を制御する。上述の電気エネルギー負荷を低減する方式は、電源電圧或いは負荷抵抗を変動することによって、入力電気エネルギーを低減させ或いは一部の負荷を切断することを含む。ドライブ制御回路３１０の送電起動システムの時期は、人工操作、定時設定、信号ランダムドライブ、環境の明るさを参考条件とし、特に環境が明から暗に変わることによって、システムを起動する場合は、システムのオン／オフ時間は、人工操作、定時操作、信号ランダムドライブ、環境の明るさを参考条件とし、特に環境によって暗から明に変わるとき、システムをオフする。ドライブ制御回路３１０を独立或いは背面に散熱構造を持つ発光二極体（ＬＥＤ）に設置し、或いはガス灯の構成を持つ半導体応用装置１０３１の散熱装置に設置することによって、自然貯温ユニット１０１を通して、温度均一化を共同維持する。
【００９３】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び流体輸送配管１０５を通過してから、及びニーズによって選択的に設置する背面に散熱構造を持つ発光二極体（ＬＥＤ）或いはガス灯の構成を持つ半導体応用装置１０３１を通過してから、再び流体輸送配管１０５を経て、均熱装置１０２へ戻り、循環を形成することによって、温度均一化機能を作動させる。または温かい空気が上昇し、冷たい空気は下降する効果により、循環を形成し、温度均一化機能を作動させる。
【００９４】
−−流体輸送配管１０５：流体１０４が流動する配管構造によって構成し、均熱装置１０２と背面に散熱構造を持つ発光二極体（ＬＥＤ）或いはガス灯の構成を持つ半導体応用装置１０３１の間に設置し、またポンプ１０６を連続設置する。流体輸送配管１０５はニーズによってオープン式或いは引き抜ける構造を選択的に設置することによって、整備作業が便利になる。
【００９５】
−−ポンプ１０６：電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【００９６】
−−温度測定装置１０７：各種のよく使われるアナログ或いはデジタル機械電気或いは固相電子装置によって構成され、背面に散熱構造を持つ発光二極体（ＬＥＤ）或いはガス灯の構成を持つ半導体応用装置１０３１に設置する。温度を指示し、或いは制御信号を制御ユニット１１０及び／或いはドライブ制御回路３１０へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【００９７】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【００９８】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【００９９】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２と背面に散熱構造を持つ発光二極体（ＬＥＤ）或いはガス灯の構成を持つ半導体応用装置１０３１間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【０１００】
−−サポーター６００：一個或いは一個以上の柱状或いは支え台の構造によって構成し、その低い端に均熱装置１０２を設け、自然貯温ユニット１０１の中に設置する均熱装置１０２は、ニーズによって温度伝達バネ６０１を設置することによって導熱効果を高め、サポーター６００に発光二極体（ＬＥＤ）或いはガス灯３００及び背面に散熱構造を持つ発光二極体（ＬＥＤ）或いはガス灯の構成を持つ半導体応用装置１０３１を設置し、及び関連灯の光学及びシェール構造４００と下記の一部の或いは全部ユニット装置を含む。制御ユニット１１０、ポンプ１０６、温度測定装置１０７、ろ過装置１０８。上述のサポーター６００の背面に散熱構造を持つ発光二極体（ＬＥＤ）或いはガス灯の構成を持つ半導体応用装置１０３１は、流体輸送配管を持ち、及び流体の流入口と流出口は別々に流体輸送配管１０５と連結し、均熱装置１０２と繋ぐことによって閉鎖流路を構成する。流体輸送配管１０５の内部は流体１０４が流通する。流体１０４を通して流体の温かい空気は上昇し、冷たい空気は下降する対流効果により循環を行い、或いはニーズによって加設するポンプ１０６を通してポンピングすることによって、均熱装置１０２と背面に散熱構造を持つ発光二極体（ＬＥＤ）或いはガス灯の構成を持つ半導体応用装置１０３１の間に、流体１０４を通して、均一な温度を伝送する。
【０１０１】
−−耐熱物質７００：各種の耐熱物質を自然貯温ユニット１０１に露出するサポーター６００と内部流体輸送配管１０５の間に入れ込むことによって、外部に対して耐熱効果を持ち、温度エネルギーロスを減少する。本項の耐熱物質７００はニーズによって、入れ込むことを選択することができる。また耐熱物質を抽出空気の真空効果によって取り換え、サポーター６００は比較的良い耐熱材料によって製成し、或いは流体輸送配管１０５は耐熱効果を持つ配管構造によって構成されるとき、設置しないことができる。
【０１０２】
−−導熱体８００：導熱物質をサポーター６００に設置する自然貯温ユニット１０１内のパイプ内部と流体輸送配管１０５の間に入れ込むことによって構成し、流体輸送配管１０５の流体１０４が均熱装置１０２と自然貯温ユニット１０１を経過する温度均一化を保つ効果が高くなる。導熱体はまた均熱装置１０２の本体構造を一体構成することができる。
【０１０３】
図６は図５の背面に散熱構造を持つ発光二極体（ＬＥＤ）或いはガス灯の構成を持つ半導体応用装置によって構成する路灯及び電気エネルギー貯蔵装置を設置する実施例を示す説明図である。比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス１０１の温度エネルギーを通して、発光二極体（ＬＥＤ）によって構成する背面に散熱構造を持つ発光二極体（ＬＥＤ）或いはガス灯の構成を持つ半導体応用装置１０３１及び電気エネルギー貯蔵装置９００に対して、熱エネルギーを産生することによって、温度均一化を保つ。その主な構成は少なくとも１ヶ所に流体輸送配管１０５を設け、ポンプ１０６のポンピングを通して、或いは流体の温かい空気は上昇し、冷たい空気は下降する対流効果によって駆動され、或いは流体を通して、流体が背面に散熱構造を持つ発光二極体（ＬＥＤ）或いはガス灯の構成を持つ半導体応用装置１０３１及び電気エネルギー貯蔵装置９００に流れてから、再び流体輸送配管１０５を経て、自然貯温ユニット１０１に設置する均熱装置１０２へ戻ることによって、流体循環を構成する。その主な構成は下記を含む。
【０１０４】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。均熱装置１０２はまたサポーター６００を自然貯温ユニット１０１のパイプに埋め込むことによって構成することができる。一個或いは一個以上の均熱装置１０２が、同一の背面に散熱構造を持つ発光二極体（ＬＥＤ）或いはガス灯の構成を持つ半導体応用装置１０３１及び／或いは電気エネルギー貯蔵装置９００によって構成する半導体応用装置に対して、自然貯温ユニットの温度均一化システムを通して、温度均一化を保つ。或いは一個の均熱装置１０２によって、一個或いは一個以上の背面に散熱構造を持つ発光二極体（ＬＥＤ）或いはガス灯の構成を持つ半導体応用装置１０３１及び／或いは電気エネルギー貯蔵装置９００によって、独立設置する半導体応用装置の設置を通して、自然貯温ユニットの温度均一化システムを通して、温度均一化を保つ。或いは二個或いは二個以上の均熱装置１０２によって、二個或いは二個以上の背面に散熱構造を持つ発光二極体（ＬＥＤ）或いはガス灯の構成を持つ半導体応用装置１０３１及び／或いは電気エネルギー貯蔵装置９００によって独立設置する半導体応用装置の設置を通して、自然貯温ユニットの温度均一化システムを通して、温度均一化を保つ。
【０１０５】
−−背面に散熱構造を持つ発光二極体（ＬＥＤ）或いはガス灯の構成を持つ半導体応用装置１０３１：発光二極体（ＬＥＤ）或いはガス灯３００及び散熱装置の配置によって構成し、また散熱装置に流体輸送配管１０５を配置することによって、流体１０４を通過する。
【０１０６】
−−ドライブ制御回路３１０：入力電気エネルギーのオン／オフ機能を制御し、及び発光二極体（ＬＥＤ）或いはガス灯３００を駆動し、または設定機能によってオン／オフし、または明度を制御し、またはオン／オフ時期を制御し、及び温度測定装置１０７の信号を受け、システム温度が異常になったとき、システムの負荷低減或いは断電を制御する。上述の電気エネルギー負荷を低減する方式は、電源電圧或いは負荷抵抗を変動することによって、入力電気エネルギーを低減させ或いは一部の負荷を切断することを含む。ドライブ制御回路３１０の送電起動システムの時期は、人工操作、定時設定、信号ランダムドライブ、環境の明るさを参考条件とし、特に環境が明から暗に変わることによって、システムを起動する場合は、システムのオン／オフ時間は、人工操作、定時操作、信号ランダムドライブ、環境の明るさを参考条件とし、特に環境によって暗から明に変わるとき、システムをオフする。ドライブ制御回路３１０を独立或いは背面に散熱構造を持つ発光二極体（ＬＥＤ）に設置し、或いはガス灯の構成を持つ半導体応用装置１０３１の散熱装置に設置することによって、自然貯温ユニット１０１を通して、温度均一化を共同維持する。
【０１０７】
−−電気エネルギー貯蔵装置９００：各種の充放電可能な二次電池或いはコンデンサやスーパーコンデンサによって構成し、電気エネルギーを貯蔵し、及び発光二極体（ＬＥＤ）或いはガス灯３００に対して給電する。電気エネルギー貯蔵装置９００はニーズによって、温度測定装置１０７及び流体輸送配管１０５を設置することができる。
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び流体輸送配管１０５を通過してから、混合流或いは分流方式を選択し、背面に散熱構造を持つ発光二極体（ＬＥＤ）或いはガス灯の構成を持つ半導体応用装置１０３１及び／或いは電気エネルギー貯蔵装置９００を通過し、再び流体輸送配管１０５を経て、均熱装置１０２へ戻り、循環を形成することによって、温度均一化機能を作動させる。または温かい空気が上昇し、冷たい空気は下降する効果により、循環を形成し、温度均一化機能を作動させる。
【０１０８】
−−流体輸送配管１０５：流体１０４が流動する配管構造によって構成し、均熱装置１０２と背面に散熱構造を持つ発光二極体（ＬＥＤ）或いはガス灯の構成を持つ半導体応用装置１０３１及び／或いは電気エネルギー貯蔵装置９００の間に設置し、またポンプ１０６を連続設置する。流体輸送配管１０５はニーズによってオープン式或いは引き抜ける構造を選択的に設置することによって、整備作業が便利になる。
【０１０９】
−−ポンプ１０６：電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【０１１０】
−−温度測定装置１０７：各種のよく使われるアナログ或いはデジタル機械電気或いは固相電子装置によって構成され、背面に散熱構造を持つ発光二極体（ＬＥＤ）或いはガス灯の構成を持つ半導体応用装置１０３１及び／或いは電気エネルギー貯蔵装置９００に設置する。温度を指示し、或いは制御信号を制御ユニット１１０及び／或いはドライブ制御回路３１０へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【０１１１】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【０１１２】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【０１１３】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２と背面に散熱構造を持つ発光二極体（ＬＥＤ）或いはガス灯の構成を持つ半導体応用装置１０３１及び／或いは電気エネルギー貯蔵装置９００間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【０１１４】
−−サポーター６００：一個或いは一個以上の柱状或いは支え台の構造によって構成し、その低い端に均熱装置１０２を設け、自然貯温ユニット１０１の中に設置する均熱装置１０２は、ニーズによって温度伝達バネ６０１を設置することによって導熱効果を高め、サポーター６００に発光二極体（ＬＥＤ）或いはガス灯３００及び背面に散熱構造を持つ発光二極体（ＬＥＤ）或いはガス灯の構成を持つ半導体応用装置１０３１を設置し、及び関連灯の光学及びシェール構造４００及び電気エネルギー貯蔵装置９００と下記の一部の或いは全部ユニット装置を含む。制御ユニット１１０、ポンプ１０６、温度測定装置１０７、ろ過装置１０８。上述の電気エネルギー貯蔵装置９００及び／或いは背面に散熱構造を持つ発光二極体（ＬＥＤ）或いはガス灯の構成を持つ半導体応用装置１０３１及び／或いは電気エネルギー貯蔵装置９００を持つ流体輸送配管、及び流体の流入口と流出口は別々に流体輸送配管１０５と連結し、均熱装置１０２と繋ぐことによって閉鎖流路を構成する。流体輸送配管１０５の内部は流体１０４が流通する。流体１０４を通して流体の温かい空気は上昇し、冷たい空気は下降する対流効果により循環を行い、或いはニーズによって加設するポンプ１０６を通してポンピングすることによって、均熱装置１０２と背面に散熱構造を持つ発光二極体（ＬＥＤ）或いはガス灯の構成を持つ半導体応用装置１０３１及び／或いは電気エネルギー貯蔵装置９００の間に、流体１０４を通して、均一な温度を伝送する。
【０１１５】
−−耐熱物質７００：各種の耐熱物質を自然貯温ユニット１０１に露出するサポーター６００と内部流体輸送配管１０５の間に入れ込むことによって、外部に対して耐熱効果を持ち、温度エネルギーロスを減少する。本項の耐熱物質７００はニーズによって、入れ込むことを選択することができる。また耐熱物質を抽出空気の真空効果によって取り換え、サポーター６００は比較的良い耐熱材料によって製成し、或いは流体輸送配管１０５は耐熱効果を持つ配管構造によって構成されるとき、設置しないことができる。
【０１１６】
−−導熱体８００：導熱物質をサポーター６００に設置する自然貯温ユニット１０１内のパイプ内部と流体輸送配管１０５の間に入れ込むことによって構成し、流体輸送配管１０５の流体１０４が均熱装置１０２と自然貯温ユニット１０１を経過する温度均一化を保つ効果が高くなる。導熱体はまた均熱装置１０２の本体構造を一体構成することができる。
【０１１７】
図７は図６の実施例に更に光エネルギーを電気エネルギー（ｐｈｏｔｏｖｏｌｔａｉｃ）に転換する光電発電装置を配置する実施例を示す説明図である。比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス１０１の温度エネルギーを通して、発光二極体（ＬＥＤ）或いはガス灯３００によって構成する背面に散熱構造を持つ発光二極体（ＬＥＤ）或いはガス灯の構成を持つ半導体応用装置１０３１及び／或いは光エネルギーを電気エネルギー（ｐｈｏｔｏｖｏｌｔａｉｃ）に転換する光電発電装置１０００によって背面に散熱構造を持つ光エネルギーを電気エネルギー（ｐｈｏｔｏｖｏｌｔａｉｃ）に転換する光電発電装置を構成する半導体応用装置１０３２及び電気エネルギー貯蔵装置９００に対して、熱エネルギーを産生することによって、温度均一化を保つ。その主な構成は少なくとも１ヶ所に流体輸送配管１０５を設け、ポンプ１０６のポンピングを通して、或いは流体の温かい空気は上昇し、冷たい空気は下降する対流効果によって駆動され、或いは流体を通して、流体が背面に散熱構造を持つ発光二極体（ＬＥＤ）或いはガス灯の構成を持つ半導体応用装置１０３１及び／或いは光エネルギーを電気エネルギー（ｐｈｏｔｏｖｏｌｔａｉｃ）に転換する光電発電装置１０００によって背面に散熱構造を持つ光エネルギーを電気エネルギー（ｐｈｏｔｏｖｏｌｔａｉｃ）に転換する光電発電装置を構成する半導体応用装置１０３２及び電気エネルギー貯蔵装置９００に流れてから、再び流体輸送配管１０５を経て、自然貯温ユニット１０１に設置する均熱装置１０２へ戻ることによって、流体循環を構成する。その主な構成は下記を含む。
【０１１８】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。均熱装置１０２はまたサポーター６００を自然貯温ユニット１０１のパイプに埋め込むことによって構成することができる。一個或いは一個以上の均熱装置１０２が、同一の背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって構成する半導体応用装置に対して、自然貯温ユニットの温度均一化システムを通して、温度均一化を保つ。或いは一個の均熱装置１０２によって、一個或いは一個以上の背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって、独立設置する半導体応用装置の設置を通して、自然貯温ユニットの温度均一化システムを通して、温度均一化を保つ。或いは二個或いは二個以上の均熱装置１０２によって、二個或いは二個以上の背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって独立設置する半導体応用装置の設置を通して、自然貯温ユニットの温度均一化システムを通して、温度均一化を保つ。
【０１１９】
−−背面に散熱構造を持つ発光二極体（ＬＥＤ）或いはガス灯の構成を持つ半導体応用装置１０３１：発光二極体（ＬＥＤ）或いはガス灯３００及び散熱装置の配置によって構成し、また散熱装置に流体輸送配管１０５を配置することによって、流体１０４を通過する。
【０１２０】
−−ドライブ制御回路３１０：入力電気エネルギーのオン／オフ機能を制御し、及び発光二極体（ＬＥＤ）或いはガス灯３００を駆動し、または設定機能によってオン／オフし、または明度を制御し、またはオン／オフ時期を制御し、及び温度測定装置１０７の信号を受け、システム温度が異常になったとき、システムの負荷低減或いは断電を制御する。上述の電気エネルギー負荷を低減する方式は、電源電圧或いは負荷抵抗を変動することによって、入力電気エネルギーを低減させ或いは一部の負荷を切断することを含む。ドライブ制御回路３１０の送電起動システムの時期は、人工操作、定時設定、信号ランダムドライブ、環境の明るさを参考条件とし、特に環境が明から暗に変わることによって、システムを起動する場合は、システムのオン／オフ時間は、人工操作、定時操作、信号ランダムドライブ、環境の明るさを参考条件とし、特に環境によって暗から明に変わるとき、システムをオフする。ドライブ制御回路３１０を独立或いは背面に散熱構造を持つ発光二極体（ＬＥＤ）に設置し、或いはガス灯の構成を持つ半導体応用装置１０３１の散熱装置に設置することによって、自然貯温ユニット１０１を通して、温度均一化を共同維持する。
【０１２１】
−−電気エネルギー貯蔵装置９００：各種の充放電可能な二次電池或いはコンデンサやスーパーコンデンサによって構成し、電気エネルギーを貯蔵し、及び発光二極体（ＬＥＤ）或いはガス灯３００に対して給電する。電気エネルギー貯蔵装置９００はニーズによって、温度測定装置１０７及び流体輸送配管１０５を設置することができる。
【０１２２】
−−背面に散熱構造を持つ光エネルギーを電気エネルギー（ｐｈｏｔｏｖｏｌｔａｉｃ）に転換する光電発電装置を構成する半導体応用装置１０３２：光エネルギーを電気エネルギー（ｐｈｏｔｏｖｏｌｔａｉｃ）に転換する半導体のガラス基板或いはセクションで、流体輸送配管の散熱構造を持つ光エネルギーを電気エネルギー（ｐｈｏｔｏｖｏｌｔａｉｃ）に転換する光電発電装置１０００によって構成し、受光するとき、発電する電気エネルギーを電気エネルギー貯蔵装置９００へ輸送し、或いは発光二極体（ＬＥＤ）或いはガス灯３００に対して給電する。
【０１２３】
−−電気エネルギー制御装置１００５：機械電気或いは固相半導体回路コンポネント或いはインテグレートサーキットによって構成し、光エネルギーを電気エネルギー（ｐｈｏｔｏｖｏｌｔａｉｃ）に転換する光電発電装置１０００の出力電圧電流を制御する。
【０１２４】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び流体輸送配管１０５を通過してから、混合流或いは分流方式を選択し、背面に散熱構造を持つ発光二極体（ＬＥＤ）或いはガス灯の構成を持つ半導体応用装置１０３１や電気エネルギー貯蔵装置９００や背面に散熱構造を持つ光エネルギーを電気エネルギー（ｐｈｏｔｏｖｏｌｔａｉｃ）に転換する光電発電を構成する半導体応用装置１０３２の三つの中で、少なくともその中の一を通過し、流体輸送配管１０５を経て、均熱装置１０２へ戻り、循環を形成することによって、温度均一化機能を作動させる。または温かい空気が上昇し、冷たい空気は下降する効果により、循環を形成し、温度均一化機能を作動させる。
【０１２５】
−−流体輸送配管１０５：流体１０４が流動する配管構造によって構成し、均熱装置１０２と背面に散熱構造を持つ発光二極体（ＬＥＤ）やガス灯の構成を持つ半導体応用装置１０３１、背面に散熱構造を持つ光エネルギーを電気エネルギー（ｐｈｏｔｏｖｏｌｔａｉｃ）に転換する光電発電を構成する半導体応用装置１０３２や電気エネルギー貯蔵装置９００の三つの中で、少なくともその中の一つの間に設置し、またポンプ１０６を連続設置する。流体輸送配管１０５はニーズによって、オープン式或いは引き抜ける構造を選択的に設置することによって、整備作業が便利になる。
【０１２６】
−−ポンプ１０６：電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【０１２７】
−−温度測定装置１０７：各種のよく使われるアナログ或いはデジタル機械電気或いは固相電子装置によって構成され、背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００に設置する。温度を指示し、或いは制御信号を制御ユニット１１０及び／或いは電気エネルギー制御装置１００５へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【０１２８】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【０１２９】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【０１３０】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２と背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【０１３１】
−−サポーター６００：一個或いは一個以上の柱状或いは支え台の構造によって構成し、その低い端に均熱装置１０２を設け、自然貯温ユニット１０１の中に設置する均熱装置１０２は、ニーズによって温度伝達バネ６０１を設置することによって導熱効果を高め、サポーター６００に発光二極体（ＬＥＤ）或いはガス灯３００及び背面に散熱構造を持つ発光二極体（ＬＥＤ）或いはガス灯の構成を持つ半導体応用装置１０３１を設置し、及び関連灯の光学及びシェール構造４００、及び／或いは背面に散熱構造を持つ光エネルギーを電気エネルギー（ｐｈｏｔｏｖｏｌｔａｉｃ）に転換する光電発電を構成する半導体応用装置１０３２及び電気エネルギー貯蔵装置９００と下記の一部の或いは全部ユニット装置を含む。制御ユニット１１０、ポンプ１０６、温度測定装置１０７、ろ過装置１０８、その中の背面に散熱構造を持つ光エネルギーを電気エネルギー（ｐｈｏｔｏｖｏｌｔａｉｃ）に転換する光電発電を構成する半導体応用装置１０３２にサポーターの高い端或いは中間段に設置することを選択し、或いは別に補助アーム１１００、或いは図８に示すように、別に光線追跡装置１２００の補助アーム１１００を設置し、光源を追跡することによって、背面に散熱構造を持つ光エネルギーを電気エネルギー（ｐｈｏｔｏｖｏｌｔａｉｃ）に転換する光電発電を構成する半導体応用装置１０３２の光エネルギーを電気エネルギーに転換する効率を高める。上述のサポーター６００の背面に設置する散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００を持つ流体輸送配管、及び流体の流入口と流出口は別々に流体輸送配管１０５と連結し、均熱装置１０２と繋ぐことによって閉鎖流路を構成する。流体輸送配管１０５の内部は流体１０４が流通する。流体１０４を通して流体の温かい空気は上昇し、冷たい空気は下降する対流効果により循環を行い、或いはニーズによって加設するポンプ１０６を通してポンピングすることによって、均熱装置１０２と背面に散熱構造を持つ発光二極体（ＬＥＤ）或いはガス灯の構成を持つ半導体応用装置１０３１及び／或いは背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００の間に、流体１０４を通して、均一な温度を伝送する。
【０１３２】
−−耐熱物質７００：各種の耐熱物質を自然貯温ユニット１０１に露出するサポーター６００と内部流体輸送配管１０５の間に入れ込むことによって、外部に対して耐熱効果を持ち、温度エネルギーロスを減少する。本項の耐熱物質７００はニーズによって、入れ込むことを選択することができる。また耐熱物質を抽出空気の真空効果によって取り換え、サポーター６００は比較的良い耐熱材料によって製成し、或いは流体輸送配管１０５は耐熱効果を持つ配管構造によって構成されるとき、設置しないことができる。
【０１３３】
−−導熱体８００：導熱物質をサポーター６００に設置する自然貯温ユニット１０１内のパイプ内部と流体輸送配管１０５の間に入れ込むことによって構成し、流体輸送配管１０５の流体１０４が均熱装置１０２と自然貯温ユニット１０１を経過する温度均一化を保つ効果が高くなる。導熱体はまた均熱装置１０２の本体構造を一体構成することができる。
【０１３４】
図９は本考案の光エネルギーを電気エネルギー（ｐｈｏｔｏｖｏｌｔａｉｃ）に転換する光電発電装置への応用実施例を示す説明図である。比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス１０１の温度エネルギーを通して、光エネルギーを電気エネルギー（ｐｈｏｔｏｖｏｌｔａｉｃ）に転換する光電発電装置１０００によって背面に散熱構造を持つ光エネルギーを電気エネルギー（ｐｈｏｔｏｖｏｌｔａｉｃ）に転換する光電発電装置を構成する半導体応用装置１０３２に対して、熱エネルギーを産生することによって、温度均一化を保つ。その主な構成は少なくとも１ヶ所に流体輸送配管１０５を設け、ポンプ１０６のポンピングを通して、或いは流体の温かい空気は上昇し、冷たい空気は下降する対流効果によって駆動され、流体が背面に散熱構造を持つ光エネルギーを電気エネルギー（ｐｈｏｔｏｖｏｌｔａｉｃ）に転換する光電発電装置を構成する半導体応用装置１０３２に流れてから、再び流体輸送配管１０５を経て、自然貯温ユニット１０１に設置する均熱装置１０２へ戻ることによって、流体循環を構成する。その主な構成は下記を含む。
【０１３５】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。均熱装置１０２はまたサポーター６００を自然貯温ユニット１０１のパイプに埋め込むことによって構成することができる。一個或いは一個以上の均熱装置１０２が、同一の背面に散熱構造を持つ光エネルギーを電気エネルギー（ｐｈｏｔｏｖｏｌｔａｉｃ）に転換する光電発電装置を構成する半導体応用装置１０３２によって構成する半導体応用装置に対して、自然貯温ユニットの温度均一化システムを通して、温度均一化を保つ。或いは一個の均熱装置１０２によって、一個或いは一個以上の背面に散熱構造を持つ光エネルギーを電気エネルギー（ｐｈｏｔｏｖｏｌｔａｉｃ）に転換する光電発電装置を構成する半導体応用装置１０３２によって、独立設置する半導体応用装置の設置を通して、自然貯温ユニットの温度均一化システムを通して、温度均一化を保つ。或いは二個或いは二個以上の均熱装置１０２によって、二個或いは二個以上の背面に散熱構造を持つ光エネルギーを電気エネルギー（ｐｈｏｔｏｖｏｌｔａｉｃ）に転換する光電発電装置を構成する半導体応用装置１０３２によって独立設置する半導体応用装置の設置を通して、自然貯温ユニットの温度均一化システムを通して、温度均一化を保つ。
【０１３６】
−−ドライブ制御回路３１０：光エネルギーを電気エネルギー（ｐｈｏｔｏｖｏｌｔａｉｃ）に転換する光電発電装置１０００の発電の出力電圧或いは電流を制御する。
【０１３７】
−−背面に散熱構造を持つ光エネルギーを電気エネルギー（ｐｈｏｔｏｖｏｌｔａｉｃ）に転換する光電発電装置を構成する半導体応用装置１０３２：光エネルギーを電気エネルギー（ｐｈｏｔｏｖｏｌｔａｉｃ）に転換する半導体のガラス基板或いはセクションで、流体輸送配管の散熱構造を持つ光エネルギーを電気エネルギー（ｐｈｏｔｏｖｏｌｔａｉｃ）に転換する光電発電装置１０００によって構成し、受光するとき、発電する電気エネルギーを電気エネルギー制御装置１００５へ輸送してから、再び外部に対して電気エネルギーを出力する。
【０１３８】
−−電気エネルギー制御装置１００５：機械電気或いは固相半導体回路コンポネント或いはインテグレートサーキットによって構成し、光エネルギーを電気エネルギー（ｐｈｏｔｏｖｏｌｔａｉｃ）に転換する光電発電装置１０００の出力電圧電流を制御する。
【０１３９】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び／或いは流体輸送配管１０５、及び／或いは背面に散熱構造を持つ光エネルギーを電気エネルギー（ｐｈｏｔｏｖｏｌｔａｉｃ）に転換する光電発電装置を構成する半導体応用装置１０３２を通過してから、び流体輸送配管１０５を経て、均熱装置１０２へ戻り、循環を形成することによって、温度均一化機能を作動させる。または温かい空気が上昇し、冷たい空気は下降する効果により、循環を形成し、温度均一化機能を作動させる。
【０１４０】
−−流体輸送配管１０５：流体１０４が流動する配管構造によって構成し、均熱装置１０２と背面に散熱構造を持つ光エネルギーを電気エネルギー（ｐｈｏｔｏｖｏｌｔａｉｃ）に転換する光電発電装置を構成する半導体応用装置１０３２の間に設置し、またポンプ１０６を連続設置する。流体輸送配管１０５はニーズによって、オープン式或いは引き抜ける構造を選択的に設置することによって、整備作業が便利になる。
【０１４１】
−−ポンプ１０６：光エネルギーを電気エネルギー（ｐｈｏｔｏｖｏｌｔａｉｃ）に転換する光電発電装置１０００によって発電する電気エネルギー或いは電気エネルギー貯蔵装置の電気エネルギーを連結する、或いはその他電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【０１４２】
−−温度測定装置１０７：各種のよく使われるアナログ或いはデジタル機械電気或いは固相電子装置によって構成され、背面に散熱構造を持つ光エネルギーを電気エネルギー（ｐｈｏｔｏｖｏｌｔａｉｃ）に転換する光電発電を構成する半導体応用装置１０３２に設置する。温度を指示し、或いは制御信号を制御ユニット１１０及び／或いは電気エネルギー制御装置１００５へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【０１４３】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
【０１４４】
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【０１４５】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２及び／或いは背面に散熱構造を持つ光エネルギーを電気エネルギー（ｐｈｏｔｏｖｏｌｔａｉｃ）に転換する光電発電を構成する半導体応用装置１０３２間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【０１４６】
−−サポーター６００：一個或いは一個以上の柱状或いは支え台の構造によって構成し、その低い端に均熱装置１０２を設け、自然貯温ユニット１０１の中に設置する均熱装置１０２は、ニーズによって温度伝達バネ６０１を設置することによって導熱効果を高め、サポーター６００に背面に散熱構造を持つ光エネルギーを電気エネルギー（ｐｈｏｔｏｖｏｌｔａｉｃ）に転換する光電発電を構成する半導体応用装置１０３２を設置し、及び下記の一部或いは全部のユニット装置を含む。制御ユニット１１０、ポンプ１０６、温度測定装置１０７、ろ過装置１０８、その中の背面に散熱構造を持つ光エネルギーを電気エネルギー（ｐｈｏｔｏｖｏｌｔａｉｃ）に転換する光電発電を構成する半導体応用装置１０３２に、サポーター或いは別に補助アーム１１００を設け、或いは図１０に示すように別に光線追跡装置１２００の補助アーム１１００を設けることによって、光源追跡の設置を選択することによって、光エネルギーを電気エネルギー（ｐｈｏｔｏｖｏｌｔａｉｃ）に転換する効率を高める。上述のサポーター６００の背面に散熱構造を持つ光エネルギーを電気エネルギー（ｐｈｏｔｏｖｏｌｔａｉｃ）に転換する光電発電を構成する半導体応用装置１０３２を持つ流体輸送配管、及び流体の流入口と流出口は別々に流体輸送配管１０５と連結し、均熱装置１０２と繋ぐことによって閉鎖流路を構成する。流体輸送配管１０５の内部は流体１０４が流通する。流体１０４を通して流体の温かい空気は上昇し、冷たい空気は下降する対流効果により循環を行い、或いはニーズによって加設するポンプ１０６を通してポンピングすることによって、均熱装置１０２と背面に散熱構造を持つ光エネルギーを電気エネルギー（ｐｈｏｔｏｖｏｌｔａｉｃ）に転換する光電発電を構成する半導体応用装置１０３２の間に、流体１０４を通して、均一な温度を伝送する。
【０１４７】
−−耐熱物質７００：各種の耐熱物質を自然貯温ユニット１０１に露出するサポーター６００と内部流体輸送配管１０５の間に入れ込むことによって、外部に対して耐熱効果を持ち、温度エネルギーロスを減少する。本項の耐熱物質７００はニーズによって、入れ込むことを選択することができる。また耐熱物質を抽出空気の真空効果によって取り換え、サポーター６００は比較的良い耐熱材料によって製成し、或いは流体輸送配管１０５は耐熱効果を持つ配管構造によって構成されるとき、設置しないことができる。
【０１４８】
−−導熱体８００：導熱物質をサポーター６００に設置する自然貯温ユニット１０１内のパイプ内部と流体輸送配管１０５の間に入れ込むことによって構成し、流体輸送配管１０５の流体１０４が均熱装置１０２と自然貯温ユニット１０１を経過する温度均一化を保つ効果が高くなる。導熱体はまた均熱装置１０２の本体構造を一体構成することができる。
【０１４９】
図１１は本考案の光エネルギーを電気エネルギー（ｐｈｏｔｏｖｏｌｔａｉｃ）に転換する光電発電装置また電気エネルギー貯蔵装置の設置へ応用する実施例を示す説明図である。比較的大きいかつ相対的に安定している貯温容量を持つ地層、地表、貯水池、湖泊、河川、砂漠、氷山、海洋等の固相或いは液相の自然貯温ユニットによって構成する自然貯温マトリックス１０１の温度エネルギーを通して、光エネルギーを電気エネルギー（ｐｈｏｔｏｖｏｌｔａｉｃ）に転換する光電発電装置１０００によって背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００に対して、熱エネルギーを産生することによって、温度均一化を保つ。その主な構成は少なくとも１ヶ所に流体輸送配管１０５を設け、ポンプ１０６のポンピングを通して、或いは流体の温かい空気は上昇し、冷たい空気は下降する対流効果によって駆動され、流体が背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００に流れてから、再び流体輸送配管１０５を経て、自然貯温ユニット１０１に設置する均熱装置１０２へ戻ることによって、流体循環を構成する。その主な構成は下記を含む。
【０１５０】
−−均熱装置１０２：良好な熱伝導特性を有する材料によって構成され、また自然貯温ユニット１０１と良好な熱伝導特性を有する構造であって、均熱装置１０２本体に流体流入口、流体流出口及び内部流体通路を有する。或いは自然貯温ユニット１０１の内部に流体が流通する空間を通して、直接的に均熱装置１０２の貯温機能を構成することによって、良好な熱伝導特性を有する材料に取り換え、均熱装置１０２を形成し、或いは二個同時に設置する。均熱装置１０２はまたサポーター６００を自然貯温ユニット１０１のパイプに埋め込むことによって構成することができる。一個或いは一個以上の均熱装置１０２が、同一の背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって構成する半導体応用装置に対して、自然貯温ユニットの温度均一化システムを通して、温度均一化を保つ。温度均一化を保つ。或いは一個の均熱装置１０２によって、一個或いは一個以上の背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって、独立設置する半導体応用装置の設置を通して、自然貯温ユニットの温度均一化システムを通して、温度均一化を保つ。或いは二個或いは二個以上の均熱装置１０２によって、二個或いは二個以上の背面に散熱構造を持つ光エネルギーを電気エネルギー（ｐｈｏｔｏｖｏｌｔａｉｃ）に転換する光電発電装置を構成する半導体応用装置１０３２及び／或いは電気エネルギー貯蔵装置９００によって独立設置する半導体応用装置の設置を通して、自然貯温ユニットの温度均一化システムを通して、温度均一化を保つ。
【０１５１】
−−背面に散熱構造を持つ光エネルギーを電気エネルギー（ｐｈｏｔｏｖｏｌｔａｉｃ）に転換する光電発電装置を構成する半導体応用装置１０３２：光エネルギーを電気エネルギー（ｐｈｏｔｏｖｏｌｔａｉｃ）に転換する半導体のガラス基板或いはセクションで、流体輸送配管の散熱構造を持つ光エネルギーを電気エネルギー（ｐｈｏｔｏｖｏｌｔａｉｃ）に転換する光電発電装置１０００によって構成し、受光するとき、発電する電気エネルギーを電気エネルギー貯蔵装置９００へ輸送し、或いは外部に対して給電する。
−−電気エネルギー貯蔵装置９００：各種の充放電可能な二次電池或いはコンデンサやスーパーコンデンサによって構成し、背面に散熱構造を持つ光エネルギーを電気エネルギー（ｐｈｏｔｏｖｏｌｔａｉｃ）に転換する光電発電を構成する半導体応用装置１０３２が発電する電気エネルギーを貯蔵し、及び外部に対して出力する。電気エネルギー貯蔵装置９００はニーズによって、温度測定装置１０７及び流体輸送配管１０５を設置することができる。
【０１５２】
−−電気エネルギー制御装置１００５：機械電気或いは固相半導体回路コンポネント或いはインテグレートサーキットによって構成し、光エネルギーを電気エネルギー（ｐｈｏｔｏｖｏｌｔａｉｃ）に転換する光電発電装置１０００の出力電圧電流を制御する。
【０１５３】
−−流体１０４：熱伝送機能を持つ気体或いは液体等の流体が、システム作動中にポンプ１０６のポンピングを受け、流体が自然貯温ユニット１０１の中に設置する均熱装置１０２を通過してから、及び／或いは流体輸送配管１０５、及び／或いは背面に散熱構造を持つ光エネルギーを電気エネルギー（ｐｈｏｔｏｖｏｌｔａｉｃ）に転換する光電発電装置を構成する半導体応用装置１０３２を通過してから、び流体輸送配管１０５を経て、均熱装置１０２へ戻り、循環を形成することによって、温度均一化機能を作動させる。または温かい空気が上昇し、冷たい空気は下降する効果により、循環を形成し、温度均一化機能を作動させる。
【０１５４】
−−流体輸送配管１０５：流体１０４が流動する配管構造によって構成し、均熱装置１０２と背面に散熱構造を持つ光エネルギーを電気エネルギー（ｐｈｏｔｏｖｏｌｔａｉｃ）に転換する光電発電装置を構成する半導体応用装置１０３２の間に設置し、またポンプ１０６を連続設置する。流体輸送配管１０５はニーズによって、オープン式或いは引き抜ける構造を選択的に設置することによって、整備作業が便利になる。
【０１５５】
−−ポンプ１０６：光エネルギーを電気エネルギー（ｐｈｏｔｏｖｏｌｔａｉｃ）に転換する光電発電装置１０００によって発電する電気エネルギー或いは電気エネルギー貯蔵装置の電気エネルギーを連結する、或いはその他電力、機械力、人力、その他自然力を動力源とし、流体ポンプを駆動することによって構成され、流体輸送配管１０５に連続的に設置する。制御ユニット１１０の制御を受けることによって、流体１０４をポンピングする。本項のポンピング機能を流体の温かい空気は上昇し、冷たい空気は下降する対流効果に取り換える。
【０１５６】
−−温度測定装置１０７：各種のよく使われるアナログ或いはデジタル機械電気或いは固相電子装置によって構成され、背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００に設置する。温度を指示し、或いは制御信号を制御ユニット１１０及び／或いは電気エネルギー制御装置１００５へフィードバックし、及び制御ポンプ１０６を通して、システムを設定温度範囲内に作動或いは停止させ、及びシステムに温度調節補助装置１０９を設置し、ポンプ１０６が設定時間に作動しても、温度は設定範囲内に到達できないとき、温度調節補助装置１０９を起動する。本項の装置はニーズによって、設置或いは設置しないことを選択することができる。
【０１５７】
−−ろ過装置１０８：流体の雑質をろ過し、配管の閉塞を防ぐ。流体の清潔度を確保するために、のろ過装置を流体循環回路の各項装置の流体吸入口或いは流出口に装置し、或いは流体輸送配管１０５の中の選定位置に設置する。本項のろ過装置１０８はニーズによって、設置或いは設置しないことを選択することができる。
−−温度調節補助装置１０９：流体１０４に対して加熱或いは冷却する機械電気式の固相、気相、液相調温装置によって構成され、或いは固相または半導体によって構成する電気エネルギーの加熱或いは冷却装置によって構成され、制御ユニット１１０の制御を受け、システム温度が設定範囲から外れたとき、温度調節補助装置１０９を起動することによって、流体１０４に対して加熱或いは冷却の位置で、加熱或いは冷却温度制御を作動させる。本項の装置はニーズによって、設置或いは設置しないことを選択することができる。
【０１５８】
−−制御ユニット１１０：機械電気或いは固体素子回路及びソフトウェア関連によって構成され、その機能は温度測定装置１０７の温度測定信号及びシステムの温度設定値、流体制御ポンプ１０６、流体１０４を圧送することによって、一方向流動の連続圧送を作動させ、或いは間欠圧送を作動させ、均熱装置１０２及び／或いは背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００間の流体１０４の流向と流量を制御する。及び制御ポンプ１０６を通して作動或いは停止させることによって、システムを設定温度範囲内に作動させ、及びシステムに温度調節補助装置１０９を設置し、ポンプ１０６作動が設定時間に達しても、温度が設定範囲から外れたとき、温度調節補助装置１０９を起動させ、温度調節補助装置１０９を制御し、温度調節を補助する。及びシステム温度が異常になったとき、システムを制御し、負荷を低減させるか断電する。
【０１５９】
−−サポーター６００：一個或いは一個以上の柱状或いは支え台の構造によって構成し、その低い端に均熱装置１０２を設け、自然貯温ユニット１０１の中に設置する均熱装置１０２は、ニーズによって温度伝達バネ６０１を設置することによって導熱効果を高め、サポーター６００に背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００を設置し、及び下記の一部或いは全部のユニット装置を含む。制御ユニット１１０、ポンプ１０６、温度測定装置１０７、ろ過装置１０８、その中の背面に散熱構造を持つ光エネルギーを電気エネルギー（ｐｈｏｔｏｖｏｌｔａｉｃ）に転換する光電発電を構成する半導体応用装置１０３２に、サポーター或いは別に補助アーム１１００を設け、或いは図１２に示すように別に光線追跡装置１２００の補助アーム１１００を設けることによって、光源追跡の設置を選択することによって、光エネルギーを電気エネルギー（ｐｈｏｔｏｖｏｌｔａｉｃ）に転換する効率を高める。上述のサポーター６００の背面に散熱構造を持つ光エネルギーを電気エネルギー（ｐｈｏｔｏｖｏｌｔａｉｃ）に転換する光電発電を構成する半導体応用装置１０３２及び／或いは電気エネルギー貯蔵装置９００を持つ流体輸送配管、及び流体の流入口と流出口は別々に流体輸送配管１０５と連結し、均熱装置１０２と繋ぐことによって閉鎖流路を構成する。流体輸送配管１０５の内部は流体１０４が流通する。流体１０４を通して流体の温かい空気は上昇し、冷たい空気は下降する対流効果により循環を行い、或いはニーズによって加設するポンプ１０６を通してポンピングすることによって、均熱装置１０２と背面に散熱構造を持つ光エネルギーを電気エネルギー（ｐｈｏｔｏｖｏｌｔａｉｃ）に転換する光電発電を構成する半導体応用装置１０３２の間に、流体１０４を通して、均一な温度を伝送する。
【０１６０】
−−耐熱物質７００：各種の耐熱物質を自然貯温ユニット１０１に露出するサポーター６００と内部流体輸送配管１０５の間に入れ込むことによって、外部に対して耐熱効果を持ち、温度エネルギーロスを減少する。本項の耐熱物質７００はニーズによって、入れ込むことを選択することができる。また耐熱物質を抽出空気の真空効果によって取り換え、サポーター６００は比較的良い耐熱材料によって製成し、或いは流体輸送配管１０５は耐熱効果を持つ配管構造によって構成されるとき、設置しないことができる。
【０１６１】
−−導熱体８００：導熱物質をサポーター６００に設置する自然貯温ユニット１０１内のパイプ内部と流体輸送配管１０５の間に入れ込むことによって構成し、流体輸送配管１０５の流体が均熱装置１０２と自然貯温ユニット１０１を経過する温度均一化を保つ効果が高くなる。導熱体はまた均熱装置１０２の本体構造を一体構成することができる。
【０１６２】
本項の半導体応用装置の温度均一化システムのサポーター６００は、また一個或いは一個以上のＵ型配管によってサポーターの支柱を構成し、Ｕ型配管の上端は、例えば図５、６、７、８、９、１０、１１、１２の上端に設置する支え台構造と結合することによって、半導体関連応用装置と制御関連回路装置を設置し、Ｕ型配管の上端の流体配管は、半導体応用装置に設置する或いは選択的に設置する電気エネルギー貯蔵装置９００の流体輸送配管１０５と連結することによって、一つの閉鎖流体回路を構成し、流体を通過して、均熱装置１０２間の温度エネルギーを伝送し、更に設置する半導体装置の機能によって、ポンプろ過装置や光線追跡装置１２００等の設置を選択することができる。
【０１６３】
Ｕ型配管は耐熱材料によって構成し、或いは耐熱材料を覆い、或いは耐熱層の管材を覆うことによって構成し、或いは直徑が比較的大きい外管６２０によってサポーター６００の構造を構成し、内部に直徑が比較的小さい内部流体輸送配管１０５貫通して設置するによって、流体が流通する、Ｕ型配管は自然貯温ユニット１０１以上の一部に露出し、その外管６２０の外部は耐熱材料を覆い、外管６２０の内壁と内部流体輸送配管１０５間の空間に耐熱物質７００を詰込み、Ｕ型配管の上端は、例えば図５、６、７、８、９、１０、１１、１２の上端に設置する支え台構造と結合することによって、Ｕ型配管本体は流体配管機能の構造を持つ。その構成方式は下記の一種或いは一種以上を含む。
【０１６４】
（１）自然貯温ユニット１０１内の配管に入れ込む配管は、良好な熱伝導特性を有する材料によって構成し、自然貯温ユニット１０１と良好な熱伝導特性を有する構造によって均熱機能を構成し、また外管６２０を自然貯温ユニット１０１に入れ込む部分と内部流体輸送配管の間に、導熱体８００を詰込む。（図１３は内部に流体配管の支柱と均熱装置１０２によって構成するＵ型配管の実施例を示す説明図である）。
【０１６５】
（２）別に均熱装置１０２を設け、自然貯温ユニット１０１の中に設置し、均熱装置１０２は流体流入口と流体流出口を有し、別々にＵ型配管の内部に設置する流体輸送配管１０５と連接することによって流体回路を構成し、均熱装置１０２の内部に流体配管を設置し、均熱装置１０２はニーズによって、温度伝達バネ６０１を設置することによって、均熱効果を高める。（図１４は別に均熱装置１０２を設け、自然貯温ユニット１０１を設置し、Ｕ型配管内部の流体輸送配管１０５と連接することによってＵ型配管を構成する実施例を示す説明図である）。
【０１６６】
（３）外管を通して、直接的に自然貯温ユニット１０１の内部に流体が流通する空間と連接することによって、自然貯温ユニットの空間で均熱装置１０２の貯温機能を構成することによって、良好な熱伝導特性によって製成する均熱装置１０２を取り換える。（図１５は内部に流体配管の支柱と自然貯温ユニット１０１の内部に流体が流通する空間によって構成するＵ型配管の実施例を示す説明図である）。
【０１６７】
上述のＵ型配管の内部に自然貯温ユニット１０１に設置する均熱装置１０２へ通じる流体輸送配管１０５を持つ、その上端に流体流入口を持ち、流体流出口は外部に設置する流体輸送配管１０５を通して、気相或いは液相半導体応用装置に設置し、或いは選択的に設置する電気エネルギー貯蔵装置９００の流体輸送配管１０５と連接し、また流体の温かい空気は上昇し、冷たい空気は下降する自然対流或いはポンプ１０６を設置することによって、流体を圧送して、均熱循環のポンピングを行う。
【０１６８】
本項の半導体応用装置の温度均一化システムは、またオープン式の流体の温度均一化を保つ回路構造を採用することも可能で、即ち外部流体がろ過装置１０８を通過してから、再び自然貯温ユニット１０１の中に設置する均熱装置１０２へ進入し、サポーター６００に設置する流体輸送配管１０５が発光二極体（ＬＥＤ）或いはガス灯３００の背面に散熱構造を持つ発光二極体（ＬＥＤ）或いはガス灯の構成を持つ半導体応用装置１０３１、及び／或いは光エネルギーを電気エネルギー（ｐｈｏｔｏｖｏｌｔａｉｃ）に転換する光電発電装置１０００の背面に散熱構造を持つ光エネルギーを電気エネルギー（ｐｈｏｔｏｖｏｌｔａｉｃ）に転換する光電発電を構成する半導体応用装置１０３２へ通じ、及び／或いは電気エネルギー貯蔵装置９００は、再びろ過装置１０８或いは網穴状カバーを通過し、外部に対して流体を排出し、或いは直接的に排出することを含む。図１６は本考案のオープン式流体が温度均一化を保つ回路の構造説明図の一である。その中に、自然貯温ユニット１０１の中に入れ込む配管は、良好な熱伝導特性を有する材料によって構成し、自然貯温ユニット１０１と良好な熱伝導特性を有する構造によって均熱機能を構成し、また外管６２０を自然貯温ユニット１０１に入れ込む部分と内部流体輸送配管の間に、導熱体８００を詰込む。
【０１６９】
図１７は本考案のオープン式流体が温度均一化を保つ回路の構造説明図の二である。その中に、別に均熱装置１０２を設け、自然貯温ユニット１０１の中に設置し、均熱装置１０２は流体流入口と流体流出口を有し、別々にＵ型配管の内部に設置する流体輸送配管１０５と連接することによって流体回路を構成し、均熱装置１０２の内部に流体配管を設置し、均熱装置１０２はニーズによって、温度伝達バネ６０１を設置することによって、均熱効果を高める。
【０１７０】
図１８は本考案のオープン式流体が温度均一化を保つ回路の構造説明図の三である。その中に、外管を通して、直接的に自然貯温ユニット１０１の内部に流体が流通する空間と連接することによって、自然貯温ユニットの空間で均熱装置１０２の貯温機能を構成することによって、良好な熱伝導特性によって製成する均熱装置１０２を取り換える。
【０１７１】
上述をまとめると、本項の半導体応用装置の温度均一化システムは、自然貯温ユニットの長年安定な温度エネルギーを通して、自然貯温ユニットの中に設置する均熱装置１０２が通過する流体１０４を温度エネルギーのキャリアーとして、流体１０４が発光二極体（ＬＥＤ）或いはガス灯３００の背面に散熱構造を持つ発光二極体（ＬＥＤ）或いはガス灯の構成を持つ半導体応用装置１０３１、及び／或いは光エネルギーを電気エネルギー（ｐｈｏｔｏｖｏｌｔａｉｃ）に転換する光電発電装置１０００の背面に散熱構造を持つ光エネルギーを電気エネルギー（ｐｈｏｔｏｖｏｌｔａｉｃ）に転換する光電発電を構成する半導体応用装置１０３２、及び／或いは電気エネルギー貯蔵装置９００を通過するときに均熱機能を産生するので、伝統的加熱或いは加熱温度を制御することによって、必要エネルギーが少なくなることを特徴とする。
【符号の説明】
【０１７２】
１０１：自然貯温ユニット
１０２：均熱装置
１０３：半導体応用装置
１０３１：背面に散熱構造を持つ発光二極体（ＬＥＤ）に設置し、或いはガス灯の構成を持つ半導体応用装置
１０３２：背面に散熱構造を持つ光エネルギーを電気エネルギー（ｐｈｏｔｏｖｏｌｔａｉｃ）に転換する光電発電装置を構成する半導体応用装置
１０４、２０４：流体
１０５、２０５：流体輸送配管
１０６：ポンプ
１０７：温度測定装置
１０８：ろ過装置
１０９：温度調節補助装置
１１０：制御ユニット
１１９：流体分流配管
１２０：分流制御バルブ
１２１：分流補助ポンプ
２０２：中継均熱器
２０６：中継ポンプ
３００：発光二極体（ＬＥＤ）或いはガス灯
３１０：ドライブ制御回路
４００：灯の光学及びシェール構造
６００：サポーター
６０１：温度伝達バネ
６２０：外管
７００：耐熱物質
８００：耐熱物質
９００：電気エネルギー貯蔵装置
１０００：光エネルギーを電気エネルギー（ｐｈｏｔｏｖｏｌｔａｉｃ）に転換する光電発電装置
１００５：電気エネルギー制御装置
１１００：補助アーム
１２００：光線追跡装置
【図１】
0003166157.tif 000003
【図２】
0003166157.tif 000004
【図３】
0003166157.tif 000005
【図４】
0003166157.tif 000006
【図５】
0003166157.tif 000007
【図６】
0003166157.tif 000008
【図７】
0003166157.tif 000009
【図８】
0003166157.tif 000010
【図９】
0003166157.tif 000011
【図１０】
0003166157.tif 000012
【図１１】
0003166157.tif 000013
【図１２】
0003166157.tif 000014
【図１３】
0003166157.tif 000015
【図１４】
0003166157.tif 000016
【図１５】
0003166157.tif 000017
【図１６】
0003166157.tif 000018
【図１７】
0003166157.tif 000019
【図１８】
0003166157.tif 000020
【手続補正書】
【提出日】平成22年12月9日(2010.12.9)
【手続補正１】
【補正対象書類名】実用新案登録請求の範囲
【補正対象項目名】請求項１
【補正方法】変更
【補正の内容】
【請求項１】
一種の自然貯温ユニットを利用する半導体応用装置の温度均一化システムであって、
自然界の中に貯蔵している自然界の相対的に安定な温度エネルギーを持つ地層、地表、貯水池、湖泊、河川等の固相或いは液相の自然貯温ユニットの中に、熱伝導特性を有する均熱装置を設置し、
固相或いは気相半導体を流れる温度差を示す流体に対して、温度均一化調節機能を作動させ、或いは自然貯温ユニット本体によって、流体収容空間を有し、或いは直接的に流体輸送配管を構成し、流体が直接的に自然貯温ユニットと接触することによって、通過する流体に対して、温度均一化機能を作動させ、
少なくとも１ヶ所に流体輸送配管（１０５）を設け、ポンプ（１０６）のポンピングを通して、流体が半導体応用装置（１０３）に流れてから、再び流体輸送配管（１０５）を通って、相対的に安定している貯温容量を持つ地層、地表、貯水池、湖泊、河川、砂漠、氷山、海洋等の固相或いは液相の自然貯温ユニットによって構成する自然貯温ユニット（１０１）に設置する均熱装置（１０２）へ戻り、流体流路を構成することを特徴とする半導体応用装置の温度均一化システムにおいて、
（１）熱伝導特性を有する材料によって構成され、また自然貯温ユニット（１０１）と熱伝導特性を有する構造であり、本体に流体流入口、流体流出口及び内部流体通路を有する均熱装置（１０２）であって、
或いは自然貯温ユニット（１０１）の内部に流体が流通する空間を通して、直接的に均熱装置（１０２）の貯温機能を構成することによって、熱伝導特性を有する材料に取り換え、均熱装置（１０２）を形成し、或いは二個同時に設置される均熱装置（１０２）、
（１ａ）一個以上の均熱装置（１０２）に対して、同一半導体応用装置によって、自然貯温ユニットの温度均一化システムに対して、温度均一化を保つこと、
（１ｂ）或いは一個の均熱装置（１０２）によって、一個以上の独立設置する自然貯温ユニットの温度均一化システムを通して半導体応用装置の温度均一化を保つこと、
（１ｃ）或いは二個以上の均熱装置（１０２）によって、二個以上の独立設置する自然貯温ユニットの温度均一化システムを通して半導体応用装置の温度均一化を保つこと、
（２）半導体応用装置によって固相或いは気相半導体によって構成し、或いは散熱装置の半導体に結合することによって構成し、或いは半導体パッケージによって構成し、或いは散熱装置パッケージと結合している半導体によって構成し、
半導体によって結合の散熱装置に含まれる液相、気相、固相、或いはヒートパイプを持つ散熱装置を含み、
半導体種類は、各種発光二極体（ＬＥＤ）、気相半導体の電気エネルギーを光エネルギーへ転換する発光装置、光エネルギーを電気エネルギーへ転換する発電装置、パワートランジスター、整流ダイオード、サイリスタ、ＭＯＳＦＥＴ、ＩＧＢＴ、ＧＴＯ、ＳＣＲ、ＴＲＩＡＣ、及び線式トランジスター、各種半導体インテグレートサーキット、メモリー、中央処理装置（ＣＰＵ）、サーボ、或いは半導体応用装置、例えば発光二極体（ＬＥＤ）の照明装置、応用光エネルギーを電気エネルギーへ転換する光エネルギー発電装置、半導体コンポネントを構成する中央処理装置（ＣＰＵ）、大型ホストコンピュータ、サーボ、電源供給装置、モータ駆動制御装置、コンバーター、インバーター、充電装置、電熱エネルギー制御装置、電磁エネルギー制御器、電気エネルギーを光エネルギーへ転換する駆動制御装置の一種以上によって構成される半導体応用装置（１０３）であって、
温度均一化を保とうとする構成或いは上記の各種半導体応用装置（１０３）本体によって冷却或いは加熱装置の散熱器を配置し、温度均一化を保つ構成を含み、
半導体応用装置（１０３）本体の内部に、流体（１０４）を流通する配管を持ち、及び半導体応用装置（１０３）に温度を均一に保とうとする標的構造の位置に、流体（１０４）温度均一化調節構造を設置し、或いは直接的に流体（１０４）を流通する配管に、温度均一化調節の標的位置を通過するときに、直接的に温度均一化調節機能を作動させ、
また流体分流配管（１１９）、分流制御バルブ（１２０）、分流補助ポンプ（１２１）等の装置を選択的に設置し、自然貯温ユニット（１０１）の中に設置する均熱装置（１０２）を通過する流体（１０４）を導入し、半導体応用装置（１０３）を通過することによって、選定する個別温度を均一に保とうとする一部の温度を均一に調節し、また再び均熱装置（１０２）へ戻り、循環を形成することによって温度均一化機能を作動させる半導体応用装置（１０３）、
（３）熱伝送機能を持つ気体或いは液体等の流体が、システム作動中にポンプ（１０６）のポンピングを受け、自然貯温ユニット（１０１）の中に設置する均熱装置（１０２）を通過し、及び流体輸送配管（１０５）を通過し、及び選択的に設置する半導体応用装置（１０３）の分流配管（１１９）を通過してから、再び流体輸送配管（１０５）を経て均熱装置（１０２）へ戻り、循環を形成することによって温度均一化機能を作動させる流体（１０４）、
（４）流体（１０４）が流動する配管構造によって構成され、
オープン式或いは引き抜ける構造を選択的に設置することによって、整備作業が便利になる流体輸送配管（１０５）、
（４ａ）流体輸送配管（１０５）は、均熱装置（１０２）と半導体応用装置（１０３）の間に設置し、またポンプ（１０６）が接続されること、
（４ｂ）流体輸送配管（１０５）は、更に比較的耐熱性が良い材料によって構成し、或いは少なくとも一層の耐熱性材料によって構成し、或いは耐熱性材料の塗布層によって構成することによって、内部流体が流体輸送配管（１０５）を通過するとき、比較的周辺温度に影響されないこと、
（５）電力、機械力、人力、その他自然力を動力源とし、流体ポンプを駆動することによって構成され、流体輸送配管（１０５）に連続的に設置され、制御ユニット（１１０）の制御を受けることによって流体（１０４）をポンピングし、ポンピング機能により流体の温かい空気は上昇し、冷たい空気は下降する対流効果に取り換えるポンプ（１０６）、
（６）各種の使用可能なアナログ或いはデジタル機械電気或いは固相電子装置によって構成され、
ポンプ（１０６）を通して、システムを設定温度範囲内に作動或いは停止させ、及びシステムに温度調節補助装置（１０９）を設置し、ポンプ（１０６）が設定時間に作動しても、温度が設定範囲内に到達できないとき、温度調節補助装置（１０９）を起動する温度測定装置（１０７）、
（６ａ）温度測定装置（１０７）は、半導体応用装置（１０３）に設置されること、
（６ｂ）温度測定装置（１０７）は、温度を指示し、或いは制御信号を制御ユニット（１１０）へフィードバックすること、
（７）流体の雑質をろ過し、配管の閉塞を防ぎ、
流体の清潔度を確保するために、ろ過装置を流体循環回路の各項装置の流体吸入口或いは流出口に装置し、或いは流体輸送配管（１０５）の中の選定位置に設置されるろ過装置（１０８）、
（８）流体（１０４）に対して加熱或いは冷却する機械電気式の固相、気相、液相調温装置によって構成され、或いは固相または半導体によって構成する電気エネルギーの加熱或いは冷却装置によって構成され、制御ユニット（１１０）の制御を受け、システム温度が設定範囲から外れたとき、温度調節補助装置（１０９）を起動することによって、流体（１０４）に対して加熱或いは冷却の位置で、加熱或いは冷却温度制御を作動させる温度調節補助装置（１０９）、
（９）機械電気或いは固体素子回路及びソフトウェア関連によって構成され、その機能は温度測定装置（１０７）の温度測定信号及びシステムの温度設定値、ポンプ（１０６）、流体（１０４）を圧送することによって、一方向流動の連続圧送を作動させ、或いは間欠圧送を作動させ、流体（１０４）の流向と流量を制御し、
ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助し、
システム温度が異常になったとき、システムを制御し、負荷を低減させるか断電する制御ユニット（１１０）、
（９ａ）制御ユニット（１１０）は、均熱装置（１０２）と半導体応用装置（１０３）間の流体（１０４）の流向と流量を制御すること、
（９ｄ）制御ユニット（１１０）は、半導体応用装置（１０３）に流体分流配管（１１９）、分流制御バルブ（１２０）、分流補助ポンプ（１２１）を選択的に設置するとき、制御ユニット（１１０）より分流制御バルブ（１２０）及び分流補助ポンプ（１２１）の作動を制御し、各流体分流配管（１１９）中の流体（１０４）を圧送または圧送を停止させ、及びその流量或いはその他関連機能の作動を制御すること、
以上の構成からなる半導体応用装置の温度均一化システム。
【手続補正２】
【補正対象書類名】実用新案登録請求の範囲
【補正対象項目名】請求項２
【補正方法】変更
【補正の内容】
【請求項２】
一方向流動する流体を通して間接的に温度均一化システムを含み、加設する中継均熱器（２０２）を通して間接的に温度エネルギーを伝送することにより、一方向流動を通して間接的に温度均一化調節システムを構成し、
自然貯温ユニット（１０１）に均熱装置（１０２）、半導体応用装置（１０３）、流体（１０４）、流体輸送配管（１０５）、ポンプ（１０６）、温度測定装置（１０７）、ろ過装置（１０８）、制御ユニット（１１０）を設置する以外に、また温度調節補助装置（１０９）、分流配管（１１９）、分流制御バルブ（１２０）、分流補助ポンプ（１２１）を選択的に設置することによって、自然貯温ユニット（１０１）の中に、熱伝導特性を有する均熱装置（１０２）を設置し、
均熱装置（１０２）と自然貯温ユニット（１０１）によって、均熱伝送機能を作動させる以外に、一方向流動する流体を通して、間接的に温度均一化調節システムになることを特徴とする請求項１記載の半導体応用装置の温度均一化システムにおいて、
（１１）一個以上の貯熱及び熱伝導材料によって構成され、
本体に流体（１０４）流入口と流通通路と流出口の第一流体通路と流体（２０４）流入口、流通通路と流出口の第二流体通路を有し、流体（１０４）と流体（２０４）を通して、互いに温度エネルギーを伝送する中継均熱器（２０２）、
（１１ａ）均熱装置（１０２）と中継均熱器（２０２）の間に流体輸送配管（２０５）及び流体中継ポンプ（２０６）を設け、連続或いは間欠的に一方向に均熱装置（１０２）と中継均熱器（２０２）間の流体（２０４）を圧送してサイクルポンピングし、閉鎖環状流路を形成することによって、均熱装置（１０２）と中継均熱器（２０２）間の温度均一化調節機能を作動させること、
（１１ｂ）半導体応用装置（１０３）と中継均熱器（２０２）の間に、流体輸送配管（１０５）及びポンプ（１０６）を設け、ポンプ（１０６）を通して、連続或いは間欠的に一方向に半導体応用装置（１０３）と中継均熱器（２０２）間の流体（１０４）を圧送し、温度均一化機能を作動させること、
（３）貯熱及び熱伝導性を有する気体或いは液体を含む流体（１０４）であって、
ポンプ（１０６）のポンピングを通して、中継均熱器（２０２）と半導体応用装置（１０３）間の流体（１０４）が、流体輸送配管（１０５）を経過して流路を構成することによって温度均一化機能を作動させ、
流体（２０４）と同じ或いは異なるものを選択することができる流体（１０４）、
（４）請求項１記載の流体輸送配管（１０５）、
（４ｂ）流体輸送配管（１０５）は、更に比較的耐熱性が良い材料によって構成し、或いは少なくとも一層の耐熱性材料によって構成し、或いは耐熱性材料の塗布層によって構成することによって、内部流体が流体輸送配管（１０５）を通過するとき、比較的周辺温度に影響されないこと、
（５）請求項１記載のポンプ（１０６）、
（１２）貯熱及び熱伝導性を有する気体或いは液体を含む流体（２０４）であって、
ポンプ（２０６）のポンピングを通して、均熱装置（１０２）と中継均熱器（２０２）間の流体（２０４）が、流体輸送配管（２０５）を経過して流路を構成することによって温度均一化機能を作動させ、
流体（１０４）と同じ或いは異なるものを選択することができる流体（２０４）、
（１３）流体（２０４）が流動している配管構造によって構成され、
オープン式或いは引き抜ける構造を選択的に設置することによって、整備作業が便利になる流体輸送配管（２０５）であって、
更に比較的耐熱性が良い材料によって構成し、或いは少なくとも一層の耐熱性材料によって構成し、或いは耐熱性材料の塗布層によって構成することによって、内部流体が流体輸送配管（２０５）を通過するとき、比較的周辺温度に影響されない流体輸送配管（２０５）、
（１４）電力或いは機械力で流体ポンプを駆動することによって構成し、流体（２０４）をポンピングし、ポンピング機能により流体の温かい空気は上昇し、冷たい空気は下降する対流効果に取り換える中継ポンプ（２０６）、
（９）機械電気或いは固体素子回路及びソフトウェア関連によって構成され、その機能は温度測定装置（１０７）の温度測定信号及びシステムの温度設定値、ポンプ（１０６）、流体（１０４）を圧送することによって、一方向流動の連続圧送を作動させ、或いは間欠圧送を作動させ、流体（１０４）の流向と流量を制御し、
ポンプ（１０６）によって圧送する流体（１０４）を制御し、或いは中継ポンプ（２０６）によって圧送する流体（２０４）を制御することによって、一方向流動の連続圧送を作動させ或いは間欠圧送を作動させ、
ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助し、
システム温度が異常になったとき、システムを制御し、負荷を低減させるか断電する制御ユニット（１１０）、
（９ａ）制御ユニット（１１０）は、半導体応用装置（１０３）と中継均熱器（２０２）間の流体（１０４）の流向及び流量を制御し、また中継均熱器（２０２）と均熱装置（１０２）間の流体（２０４）の流向と流量を制御すること、
（９ｂ）制御ユニット（１１０）を通してポンプ（１０６）を制御することによって、一方向流動の連続ポンピング作動或いは間欠ポンピングを作動させ、半導体応用装置（１０３）と中継均熱器（２０２）間の流体（１０４）をポンピングすることによって、一方向流動の温度均一化の制御を構成する制御作動を含むこと、
（９ｃ）制御ユニット（１１０）を通して中継ポンプ（２０６）を制御することによって、一方向流動の連続ポンピング或いは間欠ポンピングを作動させ、均熱装置（１０２）と中継均熱器（２０２）間の流体（２０４）をポンピングすることによって、一方向流動の温度均一化の制御を構成する制御作動を含むこと、
（９ｄ）制御ユニット（１１０）は、半導体応用装置（１０３）に流体分流配管（１１９）、分流制御バルブ（１２０）、分流補助ポンプ（１２１）を選択的に設置するとき、制御ユニット（１１０）より分流制御バルブ（１２０）及び分流補助ポンプ（１２１）の作動を制御し、各流体分流配管（１１９）中の流体（１０４）を圧送または圧送を停止させ、及びその流量或いはその他関連機能の作動を制御すること、
更に以上の構成からなる半導体応用装置の温度均一化システム。
【手続補正３】
【補正対象書類名】実用新案登録請求の範囲
【補正対象項目名】請求項３
【補正方法】変更
【補正の内容】
【請求項３】
二方向流動する流体を通して直接的に温度均一化システムを含み、
相対的に安定している貯温容量を持つ地層、地表、貯水池、湖泊、河川、砂漠、氷山、海洋等の固相或いは液相の自然貯温ユニットによって構成する自然貯温ユニット（１０１）の中に、熱伝導特性を有する均熱装置（１０２）を設置し、均熱装置（１０２）と自然貯温ユニット（１０１）によって、均熱を伝送する機能を作動させることを特徴とする請求項１記載の半導体応用装置の温度均一化システムにおいて、
（１）請求項１記載の均熱装置（１０２）、
（１ａ）一個以上の均熱装置（１０２）に対して、同一半導体応用装置によって、自然貯温ユニットの温度均一化システムに対して、温度均一化を保つこと、
（１ｂ）或いは一個の均熱装置（１０２）によって、一個以上の独立設置する自然貯温ユニットの温度均一化システムを通して半導体応用装置の温度均一化を保つこと、
（１ｃ）或いは二個以上の均熱装置（１０２）によって、二個以上の独立設置する自然貯温ユニットの温度均一化システムを通して半導体応用装置の温度均一化を保つこと、
（２）請求項１記載の半導体応用装置（１０３）、
（３）請求項１記載の流体（１０４）、
（４）流体（１０４）が流動する配管構造によって構成され、
オープン式或いは引き抜ける構造を選択的に設置することによって、整備作業が便利になる流体輸送配管（１０５）、
（４ａ）流体輸送配管（１０５）は、均熱装置（１０２）と半導体応用装置（１０３）の間に設置し、またポンプ（１０６）が接続されること、
（４ｂ）少なくとも一層の耐熱性材料によって構成し、或いは耐熱性材料の塗布層によって構成することによって、内部流体が流体輸送配管（１０５）を通過するとき、周辺温度に影響されない流体輸送配管（１０５）、
（５）請求項１記載のポンプ（１０６）、
（６）請求項１記載の温度測定装置（１０７）、
（６ａ）温度測定装置（１０７）は、半導体応用装置（１０３）に設置されること、
（６ｂ）温度測定装置（１０７）は、温度を指示し、或いは制御信号を制御ユニット（１１０）へフィードバックすること、
（７）請求項１記載のろ過装置（１０８）、 
（８）請求項１記載の温度調節補助装置（１０９）、
（９）請求項１記載の制御ユニット（１１０）であって、周期的に正方向または逆方向に切替えることによって、流体（１０４）の流向を圧送し、その作動方式連続圧送作動と間欠圧送作動を含む制御ユニット（１１０）、
（９ａ）制御ユニット（１１０）は、均熱装置（１０２）と半導体応用装置（１０３）間の流体（１０４）の流向と流量を制御すること、
（９ｂ）制御ユニット（１１０）を通してポンプ（１０６）を制御し、流体（１０４）に対して、周期的に正方向または逆方向へ圧送し、均熱装置（１０２）、流体輸送配管（１０５）及び半導体応用装置（１０３）内部を通過する流体（１０４）の流向を周期的に切替え、均熱装置（１０２）及び半導体応用装置（１０３）の流体流入口と流出口を通過する流体（１０４）は、流向を周期的に切替えることによって、温度均一化を保つ効果が高くなり、二方向流動の温度均一化を制御する制御作動を含むこと、
（９ｄ）制御ユニット（１１０）は、半導体応用装置（１０３）に流体分流配管（１１９）、分流制御バルブ（１２０）、分流補助ポンプ（１２１）を選択的に設置するとき、制御ユニット（１１０）より分流制御バルブ（１２０）及び分流補助ポンプ（１２１）の作動を制御し、各流体分流配管（１１９）中の流体（１０４）を圧送または圧送を停止させ、及びその流量或いはその他関連機能の作動を制御すること、
以上の構成からなる半導体応用装置の温度均一化システム。
【手続補正４】
【補正対象書類名】実用新案登録請求の範囲
【補正対象項目名】請求項４
【補正方法】変更
【補正の内容】
【請求項４】
二方向流動を通して、間接的に温度均一化調節システムを含み、加設する中継均熱器（２０２）を通して、間接的に温度エネルギーを伝送することにより、二方向流動を通して間接的に温度均一化調節システムを構成し、
自然貯温ユニット（１０１）に均熱装置（１０２）、半導体応用装置（１０３）、流体（１０４）、流体輸送配管（１０５）、ポンプ（１０６）、温度測定装置（１０７）、ろ過装置（１０８）、制御ユニット（１１０）を設置する以外に、また温度調節補助装置（１０９）、分流配管（１１９）、分流制御バルブ（１２０）、分流補助ポンプ（１２１）を選択的に設置することによって、相対的に安定している貯温容量を持つ地層、地表、貯水池、湖泊、河川、砂漠、氷山、海洋等の固相或いは液相の自然貯温ユニットによって構成する自然貯温ユニット（１０１）の中に、熱伝導特性を有する均熱装置（１０２）を設置し、
均熱装置（１０２）と自然貯温ユニット（１０１）によって、均熱伝送機能を作動させる以外に、本項の二方向流動する流体を通して、間接的に温度均一化調節システムになることを特徴とする請求項１記載の半導体応用装置の温度均一化システムにおいて、
（１１）一個以上の貯熱及び熱伝導材料によって構成され、
中継均熱器（２０２）本体に流体（１０４）流入口と流通通路と流出口の第一流体通路と流体（２０４）流入口、流通通路と流出口の第二流体通路を有し、流体（１０４）と流体（２０４）を通して、中継均熱器（２０２）が互いに温度エネルギーを伝送する中継均熱器（２０２）、
（１１ａ）均熱装置（１０２）と中継均熱器（２０２）の間に流体輸送配管（２０５）及び流体中継ポンプ（２０６）を設け、連続或いは周期的に正方向または逆方向へ間欠圧送する均熱装置（１０２）と中継均熱器（２０２）間の流体（２０４）を圧送してサイクルポンピングし、閉鎖環状流路を形成することによって、均熱装置（１０２）と中継均熱器（２０２）間の温度均一化調節機能を作動させること、
（１１ｂ）半導体応用装置（１０３）と中継均熱器（２０２）の間に、流体輸送配管（１０５）及びポンプ（１０６）を設け、周期的に正方向または逆方向へ連続或いは間欠圧送する半導体応用装置（１０３）と中継均熱器（２０２）間の流体（１０４）を圧送し、温度均一化機能を作動させること、
（３）貯熱及び熱伝導性を有する気体或いは液体を含む流体（１０４）であって、
ポンプ（１０６）のポンピングを通して、中継均熱器（２０２）と半導体応用装置（１０３）間の流体（１０４）が、流体輸送配管（１０５）を経過して流路を構成することによって温度均一化機能を作動させ、
流体（２０４）と同じ或いは異なるものを選択することができる流体（１０４）、
（４）請求項１記載の流体輸送配管（１０５）、
（４ｂ）流体輸送配管（１０５）は、少なくとも一層の耐熱性材料によって構成し、或いは耐熱性材料の塗布層によって構成することによって、内部流体が流体輸送配管（１０５）を通過するとき、周辺温度に影響されないこと、
（５）請求項１記載のポンプ（１０６）、
（１２）貯熱及び熱伝導性を有する気体或いは液体を含む流体（２０４）であって、
ポンプ（２０６）のポンピングを通して、均熱装置（１０２）と中継均熱器（２０２）間の流体（２０４）が、流体輸送配管（２０５）を経過して流路を構成することによって温度均一化機能を作動させ、
流体（１０４）と同じ或いは異なるものを選択することができる流体（２０４）、
（１３）流体（２０４）が流動している配管構造によって構成され、
オープン式或いは引き抜ける構造を選択的に設置することによって、整備作業が便利になる流体輸送配管（２０５）であって、
少なくとも一層の耐熱性材料によって構成し、或いは耐熱性材料の塗布層によって構成することによって、内部流体が流体輸送配管（２０５）を通過するとき、比較的周辺温度に影響されない流体輸送配管（２０５）、
（１４）電力或いは機械力で流体ポンプを駆動することによって構成し、流体（２０４）をポンピングし、ポンピング機能により流体の温かい空気は上昇し、冷たい空気は下降する対流効果に取り換える中継ポンプ（２０６）、
（９）機械電気或いは固体素子回路及びソフトウェア関連によって構成され、その機能は温度測定装置（１０７）の温度測定信号及びシステムの温度設定値、ポンプ（１０６）、流体（１０４）を圧送することによって、一方向流動の連続圧送を作動させ、或いは間欠圧送を作動させ、流体（１０４）の流向と流量を制御し、
ポンプ（１０６）によって圧送する流体（１０４）を制御し、或いは中継ポンプ（２０６）によって圧送する流体（２０４）を制御することによって、周期的に正方向または逆方向に切替えることによって、流体（１０４）或いは流体（２０４）の流向をポンピングし、その作動方式は連続ポンピング作動或いは間欠ポンピング作動を含み、
ポンプ（１０６）を通して作動或いは停止させることによって、システムを設定温度範囲内に作動させ、及びシステムに温度調節補助装置（１０９）を設置し、ポンプ（１０６）作動が設定時間に達しても、温度が設定範囲から外れたとき、温度調節補助装置（１０９）を起動させ、温度調節補助装置（１０９）を制御し、温度調節を補助し、
システム温度が異常になったとき、システムを制御し、負荷を低減させるか断電する制御ユニット（１１０）、
（９ａ）制御ユニット（１１０）は、半導体応用装置（１０３）と中継均熱器（２０２）間の流体（１０４）の流向及び流量を制御し、また中継均熱器（２０２）と均熱装置（１０２）間の流体（２０４）の流向と流量を制御すること、
（９ｂ）制御ユニット（１１０）を通してポンプ（１０６）を制御し、流体（１０４）に対して周期的に正方向または逆方向へ圧送し、中継均熱装置（２０２）、流体輸送配管（１０５）、半導体応用装置（１０３）の流体（１０４）内部を通過する流向を周期的に切替え、中継均熱器（２０２）及び半導体応用装置（１０３）の流体流入口と流出口の流体（１０４）は、流向を周期的に切替えることによって、温度均一化の効果が高くなり、二方向流動の温度均一化を制御する制御作動を含むこと、
（９ｃ）制御ユニット（１１０）を通して中継ポンプ（２０６）を制御し、流体（２０４）に対して周期的に正方向または逆方向へ圧送し、均熱装置（１０２）、流体輸送配管（２０５）、中継均熱器（２０２）の流体（２０４）内部を通過する流向を周期的に切替え、中継均熱器（２０２）及び均熱装置（１０２）の流体流入口と流出口の流体（２０４）は、流向を周期的に切替えることによって、温度均一化の効果が高くなり、二方向流動の温度均一化を制御する制御作動を含むこと、
（９ｄ）制御ユニット（１１０）は、半導体応用装置（１０３）に流体分流配管（１１９）、分流制御バルブ（１２０）、分流補助ポンプ（１２１）を選択的に設置するとき、制御ユニット（１１０）より分流制御バルブ（１２０）及び分流補助ポンプ（１２１）の作動を制御し、各流体分流配管（１１９）中の流体（１０４）を圧送または圧送を停止させ、及びその流量或いはその他関連機能の作動を制御すること、
更に以上の構成からなる半導体応用装置の温度均一化システム。
【手続補正５】
【補正対象書類名】実用新案登録請求の範囲
【補正対象項目名】請求項８
【補正方法】変更
【補正の内容】
【請求項８】
均熱装置（１０２）と中継均熱器（２０２）間の均熱作動方式は、均熱装置（１０２）と中継均熱器（２０２）の間に、少なくとも一個の流体（２０４）を流れる流体輸送配管（２０５）を設け、及び少なくとも一個の中継ポンプ（２０６）によって閉鎖流路を形成し、中継ポンプ（２０６）を通して熱伝導特性を有する流体（２０４）を圧送し、一方向流動の連続或いは間欠圧送を行い、或いはその圧送流量を制御することによって、均熱装置（１０２）と中継均熱器（２０２）の間に温度均一化機能を作動させ、
中継均熱器（２０２）と半導体応用装置（１０３）間の均熱作動方式は、中継均熱器（２０２）と半導体応用装置（１０３）の間に、少なくとも一個の流体輸送配管（１０５）を設け、及び少なくとも一個のポンプ（１０６）によって閉鎖流路を形成し、ポンプ（１０６）を通して熱伝導特性を有する流体（１０４）を圧送し、一方向流動の連続或いは間欠圧送を行い、或いはその圧送流量を制御することによって、中継均熱器（２０２）と半導体応用装置（１０３）の間に温度均一化機能を作動させることを特徴とする請求項２記載の半導体応用装置の温度均一化システム。
【手続補正６】
【補正対象書類名】実用新案登録請求の範囲
【補正対象項目名】請求項１４
【補正方法】変更
【補正の内容】
【請求項１４】
請求項１、請求項２、請求項３、請求項４のいずれか一項記載の半導体応用装置の温度均一化システムにおいて、
（７）配管の閉塞を防ぎ及び清潔機能を持つろ過装置であって、半導体応用装置の温度均一化システムを構成する装置の流体吸入口或いは流出口に設置され、或いは流体輸送配管の中に設置され、フィルター或いはその他使用可能なろ過装置によって構成することができるろ過装置（１０８）、
（１０）人力、機械力、流力、電磁力によって、流量の大小を制御する分流制御バルブ（１２０）、
を補助制御装置として選択的に設置することを特徴とする半導体応用装置の温度均一化システム。
【手続補正７】
【補正対象書類名】実用新案登録請求の範囲
【補正対象項目名】請求項１７
【補正方法】変更
【補正の内容】
【請求項１７】
「背面に散熱構造を持つ発光二極体（ＬＥＤ）或いはガス灯の構成を持つ半導体応用装置」へ応用し、路灯を構成することを含み、
相対的に安定している貯温容量を持つ地層、地表、貯水池、湖泊、河川、砂漠、氷山、海洋等の固相或いは液相の自然貯温ユニットによって構成する自然貯温マトリックス（１０１）の温度エネルギーを通して、発光二極体（ＬＥＤ）によって構成する「背面に散熱構造を持つ発光二極体（ＬＥＤ）或いはガス灯の構成を持つ半導体応用装置」（１０３１）に対して、熱エネルギーを産生することによって温度均一化を保ち、
その主な構成は、
少なくとも１ヶ所に流体輸送配管（１０５）を設け、ポンプ（１０６）のポンピングを通して、或いは流体の温かい空気は上昇し、冷たい空気は下降する対流効果によって駆動され、或いは流体を通して、流体が「背面に散熱構造を持つ発光二極体（ＬＥＤ）或いはガス灯の構成を持つ半導体応用装置」（１０３１）に流れてから、再び流体輸送配管（１０５）を経て、自然貯温ユニット（１０１）に設置する均熱装置（１０２）へ戻ることによって、流体循環を構成することを特徴とする請求項１記載の半導体応用装置の温度均一化システムにおいて、
（１）請求項１記載の均熱装置（１０２）、またはサポーター（６００）を自然貯温ユニット（１０１）のパイプに埋め込むことによって構成される均熱装置（１０２）、
（１ａ）一個以上の均熱装置（１０２）が、同一の「背面に散熱構造を持つ発光二極体（ＬＥＤ）或いはガス灯の構成を持つ半導体応用装置」（１０３１）によって構成する半導体応用装置に対して、自然貯温ユニットの温度均一化システムを通して、温度均一化を保つこと、
（１ｂ）或いは一個の均熱装置（１０２）が、一個以上の独立に設置する「背面に散熱構造を持つ発光二極体（ＬＥＤ）或いはガス灯の構成を持つ半導体応用装置」（１０３１）によって構成する半導体応用装置に対して、自然貯温ユニットの温度均一化システムを通して、温度均一化を保つこと、
（１ｃ）或いは二個以上の均熱装置（１０２）が、二個以上の独立に設置する「背面に散熱構造を持つ発光二極体（ＬＥＤ）或いはガス灯の構成を持つ半導体応用装置」（１０３１）によって構成する半導体応用装置に対して、自然貯温ユニットの温度均一化システムを通して、温度均一化を保つこと、
（２１）発光二極体（ＬＥＤ）或いはガス灯（３００）及び散熱装置の配置によって構成し、また散熱装置に流体輸送配管（１０５）を配置することによって、流体（１０４）を通過する「背面に散熱構造を持つ発光二極体（ＬＥＤ）或いはガス灯の構成を持つ半導体応用装置」（１０３１）、
（１５）入力電気エネルギーのオン／オフ機能を制御し、及び発光二極体（ＬＥＤ）或いはガス灯（３００）を駆動し、または設定機能によってオン／オフし、または明度を制御し、またはオン／オフ時期を制御し、及び温度測定装置（１０７）の信号を受け、システム温度が異常になったとき、システムの負荷低減或いは断電を制御し、
上述の電気エネルギー負荷を低減する方式は、電源電圧或いは負荷抵抗を変動することによって、入力電気エネルギーを低減させ或いは一部の負荷を切断することを含み、
送電起動システムの時期は、人工操作、定時設定、信号ランダムドライブ、環境の明るさを参考条件とし、特に環境が明から暗に変わることによってシステムを起動する場合、システムのオン／オフ時間は、人工操作、定時操作、信号ランダムドライブ、環境の明るさを参考条件とし、特に環境が暗から明に変わるとき、システムをオフし、
独立或いは「背面に散熱構造を持つ発光二極体（ＬＥＤ）に設置し、或いはガス灯の構成を持つ半導体応用装置」（１０３１）の散熱装置に設置することによって、自然貯温ユニット（１０１）を通して、温度均一化を共同維持するドライブ制御回路（３１０）、
（３）熱伝送機能を持つ気体或いは液体等の流体であって、システム作動中にポンプ（１０６）のポンピングを受け、自然貯温ユニット（１０１）の中に設置する均熱装置（１０２）を通過してから、及び流体輸送配管（１０５）を通過してから、及び選択的に設置する「背面に散熱構造を持つ発光二極体（ＬＥＤ）或いはガス灯の構成を持つ半導体応用装置」（１０３１）を通過してから、再び流体輸送配管（１０５）を経て均熱装置（１０２）へ戻り、循環を形成することによって温度均一化機能を作動させ、
または温かい空気が上昇し、冷たい空気は下降する効果により、循環を形成し、温度均一化機能を作動させる流体（１０４）、
（４）請求項１記載の流体輸送配管（１０５）、
（４ａ）流体輸送配管（１０５）は、均熱装置（１０２）と「背面に散熱構造を持つ発光二極体（ＬＥＤ）或いはガス灯の構成を持つ半導体応用装置」（１０３１）の間に設置され、またポンプ（１０６）が接続されること、
（５）請求項１記載のポンプ（１０６）、
（６）請求項１記載の温度測定装置（１０７）、
（６ａ）温度測定装置（１０７）は、「背面に散熱構造を持つ発光二極体（ＬＥＤ）或いはガス灯の構成を持つ半導体応用装置」（１０３１）に設置されること、
（６ｂ）温度測定装置（１０７）は、温度を指示し、或いは制御信号を制御ユニット（１１０）及び／或いはドライブ制御回路（３１０）へフィードバックすること、
（７）請求項１記載のろ過装置（１０８）、
（８）請求項１記載の温度調節補助装置（１０９）、
（９）請求項１記載の制御ユニット（１１０）、
（９ａ）制御ユニット（１１０）は、均熱装置（１０２）と「背面に散熱構造を持つ発光二極体（ＬＥＤ）或いはガス灯の構成を持つ半導体応用装置」（１０３１）間の流体（１０４）の流向と流量を制御すること、
（１６）一個以上の柱状或いは支え台の構造によって構成し、その低い端に均熱装置（１０２）を設け、自然貯温ユニット（１０１）の中に設置する均熱装置（１０２）は、温度伝達バネ（６０１）を設置することによって導熱効果を高めるサポーター（６００）であって、
サポーター（６００）に発光二極体（ＬＥＤ）或いはガス灯（３００）及び「背面に散熱構造を持つ発光二極体（ＬＥＤ）或いはガス灯の構成を持つ半導体応用装置」（１０３１）を設置し、及び関連灯の光学及びシェール構造（４００）、及び、制御ユニット（１１０）、ポンプ（１０６）、温度測定装置（１０７）、ろ過装置（１０８）のうちの一部の或いは全部ユニット装置を含むサポーター（６００）、
（１６ｂ）「背面に散熱構造を持つ発光二極体（ＬＥＤ）或いはガス灯の構成を持つ半導体応用装置」（１０３１）を持つ流体輸送配管（１０５）、及び流体の流入口と流出口は別々に流体輸送配管（１０５）と連結し、均熱装置（１０２）と繋ぐことによって閉鎖流路を構成すること、
（１６ｃ）流体輸送配管（１０５）の内部は流体（１０４）が流通し、流体（１０４）を通して流体の温かい空気は上昇し、冷たい空気は下降する対流効果により循環を行い、或いは加設するポンプ（１０６）を通してポンピングすることによって、均熱装置（１０２）と「背面に散熱構造を持つ発光二極体（ＬＥＤ）或いはガス灯の構成を持つ半導体応用装置」（１０３１）の間に流体（１０４）を通して、均一な温度を伝送すること、
（１７）自然貯温ユニット（１０１）に露出するサポーター（６００）と内部流体輸送配管（１０５）の間に入れ込むことによって、外部に対して耐熱効果を持ち、温度エネルギーロスを減少する耐熱物質（７００）であって、
耐熱物質（７００）を抽出空気の真空効果によって取り換え、サポーター（６００）は耐熱材料によって製成し、或いは流体輸送配管（１０５）は耐熱効果を持つ配管構造によって構成される耐熱物質（７００）、
（１８）サポーター（６００）に設置する自然貯温ユニット（１０１）内のパイプ内部と流体輸送配管（１０５）の間に入れ込むことによって構成し、流体輸送配管（１０５）の流体（１０４）が均熱装置（１０２）と自然貯温ユニット（１０１）を経過する温度均一化を保つ効果が高くなり、
また均熱装置（１０２）の本体構造を一体構成することができる導熱体（８００）、
以上の構成からなる半導体装置の温度均一化システム。
【手続補正８】
【補正対象書類名】実用新案登録請求の範囲
【補正対象項目名】請求項１８
【補正方法】変更
【補正の内容】
【請求項１８】
「背面に散熱構造を持つ発光二極体（ＬＥＤ）或いはガス灯の構成を持つ半導体応用装置」へ応用し、路灯及び電気エネルギー貯蔵装置を構成することを含み、
構成する半導体応用装置で路灯を構成し、
相対的に安定している貯温容量を持つ地層、地表、貯水池、湖泊、河川、砂漠、氷山、海洋等の固相或いは液相の自然貯温ユニットによって構成する自然貯温マトリックス（１０１）の温度エネルギーを通して、発光二極体（ＬＥＤ）によって構成する「背面に散熱構造を持つ発光二極体（ＬＥＤ）或いはガス灯の構成を持つ半導体応用装置」（１０３１）及び電気エネルギー貯蔵装置（９００）に対して、熱エネルギーを産生することによって温度均一化を保ち、
その主な構成は、
少なくとも１ヶ所に流体輸送配管（１０５）を設け、ポンプ（１０６）のポンピングを通して、或いは流体の温かい空気は上昇し、冷たい空気は下降する対流効果によって駆動され、或いは流体を通して、流体が「背面に散熱構造を持つ発光二極体（ＬＥＤ）或いはガス灯の構成を持つ半導体応用装置」（１０３１）及び電気エネルギー貯蔵装置（９００）に流れてから、再び流体輸送配管（１０５）を経て、自然貯温ユニット（１０１）に設置する均熱装置（１０２）へ戻ることによって、流体循環を構成することを特徴とする請求項１記載の半導体応用装置の温度均一化システムにおいて、
（１）請求項１記載の均熱装置（１０２）、またはサポーター（６００）を自然貯温ユニット（１０１）のパイプに埋め込むことによって構成される均熱装置（１０２）、
（１ａ）一個以上の均熱装置（１０２）が、同一の「背面に散熱構造を持つ発光二極体（ＬＥＤ）或いはガス灯の構成を持つ半導体応用装置」（１０３１）及び／或いは電気エネルギー貯蔵装置（９００）によって構成する半導体応用装置に対して、自然貯温ユニットの温度均一化システムを通して、温度均一化を保つこと、
（１ｂ）或いは一個の均熱装置（１０２）によって、一個以上の「背面に散熱構造を持つ発光二極体（ＬＥＤ）或いはガス灯の構成を持つ半導体応用装置」（１０３１）及び／或いは電気エネルギー貯蔵装置（９００）によって、独立設置する半導体応用装置の設置を通して、自然貯温ユニットの温度均一化システムを通して、温度均一化を保つこと、
（１ｃ）或いは二個以上の均熱装置（１０２）によって、二個以上の「背面に散熱構造を持つ発光二極体（ＬＥＤ）或いはガス灯の構成を持つ半導体応用装置」（１０３１）及び／或いは電気エネルギー貯蔵装置（９００）によって独立設置する半導体応用装置の設置を通して、自然貯温ユニットの温度均一化システムを通して、温度均一化を保つこと、
（２１）発光二極体（ＬＥＤ）或いはガス灯（３００）及び散熱装置の配置によって構成し、また散熱装置に流体輸送配管（１０５）を配置することによって、流体（１０４）を通過する「背面に散熱構造を持つ発光二極体（ＬＥＤ）或いはガス灯の構成を持つ半導体応用装置」（１０３１）、
（１５）入力電気エネルギーのオン／オフ機能を制御し、及び発光二極体（ＬＥＤ）或いはガス灯（３００）を駆動し、または設定機能によってオン／オフし、または明度を制御し、またはオン／オフ時期を制御し、及び温度測定装置（１０７）の信号を受け、システム温度が異常になったとき、システムの負荷低減或いは断電を制御し、
電気エネルギー負荷を低減する方式は、電源電圧或いは負荷抵抗を変動することによって、入力電気エネルギーを低減させ或いは一部の負荷を切断することを含み、
送電起動システムの時期は、人工操作、定時設定、信号ランダムドライブ、環境の明るさを参考条件とし、特に環境が明から暗に変わることによってシステムを起動する場合、システムのオン／オフ時間は、人工操作、定時操作、信号ランダムドライブ、環境の明るさを参考条件とし、特に環境が暗から明に変わるとき、システムをオフし、
独立或いは「背面に散熱構造を持つ発光二極体（ＬＥＤ）に設置し、或いはガス灯の構成を持つ半導体応用装置」（１０３１）の散熱装置に設置することによって、自然貯温ユニット（１０１）を通して、温度均一化を共同維持するドライブ制御回路（３１０）、
（１９）各種の充放電可能な二次電池或いはコンデンサやスーパーコンデンサによって構成し、電気エネルギーを貯蔵し、及び発光二極体（ＬＥＤ）或いはガス灯（３００）に対して給電し、電気エネルギー貯蔵装置（９００）は温度測定装置（１０７）及び流体輸送配管（１０５）を設置することができる電気エネルギー貯蔵装置（９００）、
（３）熱伝送機能を持つ気体或いは液体等の流体であって、システム作動中にポンプ（１０６）のポンピングを受け、自然貯温ユニット（１０１）の中に設置する均熱装置（１０２）を通過してから、及び流体輸送配管（１０５）を通過してから、混合流或いは分流方式を選択し、「背面に散熱構造を持つ発光二極体（ＬＥＤ）或いはガス灯の構成を持つ半導体応用装置」（１０３１）及び／或いは電気エネルギー貯蔵装置（９００）を通過し、再び流体輸送配管（１０５）を経て均熱装置（１０２）へ戻り、循環を形成することによって温度均一化機能を作動させ、
または温かい空気が上昇し、冷たい空気は下降する効果により、循環を形成し、温度均一化機能を作動させる流体（１０４）、
（４）請求項１記載の流体輸送配管（１０５）、
（４ａ）流体輸送配管（１０５）は、均熱装置（１０２）と「背面に散熱構造を持つ発光二極体（ＬＥＤ）或いはガス灯の構成を持つ半導体応用装置」（１０３１）及び／或いは電気エネルギー貯蔵装置（９００）の間に設置され、またポンプ（１０６）が接続されること、
（５）請求項１記載のポンプ（１０６）、
（６）請求項１記載の温度測定装置（１０７）、
（６ａ）温度測定装置（１０７）は、「背面に散熱構造を持つ発光二極体（ＬＥＤ）或いはガス灯の構成を持つ半導体応用装置」（１０３１）及び／或いは電気エネルギー貯蔵装置（９００）に設置されること、
（６ｂ）温度測定装置（１０７）は、温度を指示し、或いは制御信号を制御ユニット（１１０）及び／或いはドライブ制御回路（３１０）へフィードバックすること、
（７）請求項１記載のろ過装置（１０８）、
（８）請求項１記載の温度調節補助装置（１０９）、
（９）請求項１記載の制御ユニット（１１０）、
（９ａ）制御ユニット（１１０）は、均熱装置（１０２）と「背面に散熱構造を持つ発光二極体（ＬＥＤ）或いはガス灯の構成を持つ半導体応用装置」（１０３１）及び／或いは電気エネルギー貯蔵装置（９００）間の流体（１０４）の流向と流量を制御すること、
（１６）一個以上の柱状或いは支え台の構造によって構成し、その低い端に均熱装置（１０２）を設け、自然貯温ユニット（１０１）の中に設置する均熱装置（１０２）は、温度伝達バネ（６０１）を設置することによって導熱効果を高めるサポーター（６００）であって、
サポーター（６００）に発光二極体（ＬＥＤ）或いはガス灯（３００）及び「背面に散熱構造を持つ発光二極体（ＬＥＤ）或いはガス灯の構成を持つ半導体応用装置」（１０３１）を設置し、及び関連灯の光学及びシェール構造（４００）及び電気エネルギー貯蔵装置（９００）、及び、制御ユニット（１１０）、ポンプ（１０６）、温度測定装置（１０７）、ろ過装置（１０８）のうちの一部の或いは全部ユニット装置を含むサポーター（６００）、
（１６ｂ）「背面に散熱構造を持つ発光二極体（ＬＥＤ）或いはガス灯の構成を持つ半導体応用装置」（１０３１）及び／或いは電気エネルギー貯蔵装置（９００）を持つ流体輸送配管、及び流体の流入口と流出口は別々に流体輸送配管（１０５）と連結し、均熱装置（１０２）と繋ぐことによって閉鎖流路を構成すること、
（１６ｃ）流体輸送配管（１０５）の内部は流体（１０４）が流通し、流体（１０４）を通して流体の温かい空気は上昇し、冷たい空気は下降する対流効果により循環を行い、或いは加設するポンプ（１０６）を通してポンピングすることによって、均熱装置（１０２）と「背面に散熱構造を持つ発光二極体（ＬＥＤ）或いはガス灯の構成を持つ半導体応用装置」（１０３１）及び／或いは電気エネルギー貯蔵装置（９００）の間に流体（１０４）を通して、均一な温度を伝送すること、
（１７）自然貯温ユニット（１０１）に露出するサポーター（６００）と内部流体輸送配管（１０５）の間に入れ込むことによって、外部に対して耐熱効果を持ち、温度エネルギーロスを減少する耐熱物質（７００）であって、
耐熱物質（７００）を抽出空気の真空効果によって取り換え、サポーター（６００）は耐熱材料によって製成し、或いは流体輸送配管（１０５）は耐熱効果を持つ配管構造によって構成される耐熱物質（７００）、
（１８）サポーター（６００）に設置する自然貯温ユニット（１０１）内のパイプ内部と流体輸送配管（１０５）の間に入れ込むことによって構成し、流体輸送配管（１０５）の流体（１０４）が均熱装置（１０２）と自然貯温ユニット（１０１）を経過する温度均一化を保つ効果が高くなり、
また均熱装置（１０２）の本体構造を一体構成することができる導熱体（８００）、
以上の構成からなる半導体装置の温度均一化システム。
【手続補正９】
【補正対象書類名】実用新案登録請求の範囲
【補正対象項目名】請求項１９
【補正方法】変更
【補正の内容】
【請求項１９】
更に光エネルギーを電気エネルギーに転換する光電発電装置を配置し、
相対的に安定している貯温容量を持つ地層、地表、貯水池、湖泊、河川、砂漠、氷山、海洋等の固相或いは液相の自然貯温ユニットによって構成する自然貯温マトリックス（１０１）の温度エネルギーを通して、発光二極体（ＬＥＤ）或いはガス灯（３００）によって構成する「背面に散熱構造を持つ発光二極体（ＬＥＤ）或いはガス灯の構成を持つ半導体応用装置」（１０３１）及び／或いは光エネルギーを電気エネルギーに転換する光電発電装置（１０００）によって「背面に散熱構造を持つ光エネルギーを電気エネルギーに転換する光電発電装置を構成する半導体応用装置」（１０３２）及び電気エネルギー貯蔵装置（９００）に対して、熱エネルギーを産生することによって温度均一化を保ち、
その主な構成は、
少なくとも１ヶ所に流体輸送配管（１０５）を設け、ポンプ（１０６）のポンピングを通して、或いは流体の温かい空気は上昇し、冷たい空気は下降する対流効果によって駆動され、或いは流体を通して、流体が「背面に散熱構造を持つ発光二極体（ＬＥＤ）或いはガス灯の構成を持つ半導体応用装置」（１０３１）及び／或いは光エネルギーを電気エネルギーに転換する光電発電装置（１０００）によって「背面に散熱構造を持つ光エネルギーを電気エネルギーに転換する光電発電装置を構成する半導体応用装置」（１０３２）及び電気エネルギー貯蔵装置（９００）に流れてから、再び流体輸送配管（１０５）を経て、自然貯温ユニット（１０１）に設置する均熱装置（１０２）へ戻ることによって、流体循環を構成することを特徴とする請求項１８記載の半導体応用装置の温度均一化システムにおいて、
（１）請求項１記載の均熱装置（１０２）、またはサポーター（６００）を自然貯温ユニット（１０１）のパイプに埋め込むことによって構成される均熱装置（１０２）、
（１ａ）一個以上の均熱装置（１０２）が、同一の「背面に散熱構造を持つ発光二極体（ＬＥＤ）或いはガス灯の構成を持つ半導体応用装置」（１０３１）及び／或いは背面に散熱構造を持つ光エネルギーを電気エネルギーに転換する光電発電装置を構成する半導体応用装置（１０３２）及び／或いは電気エネルギー貯蔵装置（９００）によって構成する半導体応用装置に対して、自然貯温ユニットの温度均一化システムを通して、温度均一化を保つこと、
（１ｂ）或いは一個の均熱装置（１０２）によって、一個以上の「背面に散熱構造を持つ発光二極体（ＬＥＤ）或いはガス灯の構成を持つ半導体応用装置」（１０３１）及び／或いは「背面に散熱構造を持つ光エネルギーを電気エネルギーに転換する光電発電装置を構成する半導体応用装置」（１０３２）及び／或いは電気エネルギー貯蔵装置（９００）によって、独立設置する半導体応用装置の設置を通して、自然貯温ユニットの温度均一化システムを通して、温度均一化を保つこと、
（１ｃ）或いは二個以上の均熱装置（１０２）によって、二個以上の「背面に散熱構造を持つ発光二極体（ＬＥＤ）或いはガス灯の構成を持つ半導体応用装置」（１０３１）及び／或いは「背面に散熱構造を持つ光エネルギーを電気エネルギーに転換する光電発電装置を構成する半導体応用装置」（１０３２）及び／或いは電気エネルギー貯蔵装置（９００）によって独立設置する半導体応用装置の設置を通して、自然貯温ユニットの温度均一化システムを通して、温度均一化を保つこと、
（２１）請求項１８記載の「背面に散熱構造を持つ発光二極体（ＬＥＤ）或いはガス灯の構成を持つ半導体応用装置」（１０３１）、 
（１５）請求項１８記載のドライブ制御回路（３１０）、
（１９）請求項１８記載の電気エネルギー貯蔵装置（９００）、
（２２）光エネルギーを電気エネルギーに転換する半導体のガラス基板或いはセクションで、流体輸送配管の散熱構造を持つ光エネルギーを電気エネルギーに転換する光電発電装置（１０００）によって構成し、受光するとき、発電する電気エネルギーを電気エネルギー貯蔵装置（９００）へ輸送し、或いは発光二極体（ＬＥＤ）或いはガス灯（３００）に対して給電する「背面に散熱構造を持つ光エネルギーを電気エネルギーに転換する光電発電装置を構成する半導体応用装置」（１０３２）、
（２０）機械電気或いは固相半導体回路コンポネント或いはインテグレートサーキットによって構成し、光エネルギーを電気エネルギーに転換する光電発電装置（１０００）の出力電圧電流を制御する電気エネルギー制御装置（１００５）、
（３）熱伝送機能を持つ気体或いは液体等の流体であって、システム作動中にポンプ（１０６）のポンピングを受け、自然貯温ユニット（１０１）の中に設置する均熱装置（１０２）を通過してから、及び流体輸送配管（１０５）を通過してから、混合流或いは分流方式を選択し、「背面に散熱構造を持つ発光二極体（ＬＥＤ）或いはガス灯の構成を持つ半導体応用装置」（１０３１）、電気エネルギー貯蔵装置（９００）、「背面に散熱構造を持つ光エネルギーを電気エネルギーに転換する光電発電を構成する半導体応用装置」（１０３２）の三つの中の少なくとも一つを通過し、流体輸送配管（１０５）を経て均熱装置（１０２）へ戻り、循環を形成することによって温度均一化機能を作動させ、
または温かい空気が上昇し、冷たい空気は下降する効果により、循環を形成し、温度均一化機能を作動させる流体（１０４）、
（４）請求項１記載の流体輸送配管（１０５）、
（４ａ）流体輸送配管（１０５）は、均熱装置（１０２）と「背面に散熱構造を持つ発光二極体（ＬＥＤ）或いはガス灯の構成を持つ半導体応用装置」（１０３１）、「背面に散熱構造を持つ光エネルギーを電気エネルギーに転換する光電発電を構成する半導体応用装置」（１０３２）、及び電気エネルギー貯蔵装置（９００）の三つの中の少なくとも一つの間に設置され、またポンプ（１０６）が接続されること、
（５）請求項１記載のポンプ（１０６）、
（６）請求項１記載の温度測定装置（１０７）、
（６ａ）温度測定装置（１０７）は、「背面に散熱構造を持つ発光二極体（ＬＥＤ）或いはガス灯の構成を持つ半導体応用装置」（１０３１）及び／或いは「背面に散熱構造を持つ光エネルギーを電気エネルギーに転換する光電発電を構成する半導体応用装置」（１０３２）及び／或いは電気エネルギー貯蔵装置（９００）に設置されること、
（６ｂ）温度測定装置（１０７）は、温度を指示し、或いは制御信号を制御ユニット（１１０）及び／或いは電気エネルギー制御装置（１００５）へフィードバックすること、
（７）請求項１記載のろ過装置（１０８）、
（８）請求項１記載の温度調節補助装置（１０９）、
（９）請求項１記載の制御ユニット（１１０）、
（９ａ）制御ユニット（１１０）は、均熱装置（１０２）と「背面に散熱構造を持つ発光二極体（ＬＥＤ）或いはガス灯の構成を持つ半導体応用装置」（１０３１）及び／或いは「背面に散熱構造を持つ光エネルギーを電気エネルギーに転換する光電発電を構成する半導体応用装置」（１０３２）及び／或いは電気エネルギー貯蔵装置（９００）間の流体（１０４）の流向と流量を制御すること、
（１６）一個以上の柱状或いは支え台の構造によって構成し、その低い端に均熱装置（１０２）を設け、自然貯温ユニット（１０１）の中に設置する均熱装置（１０２）は、温度伝達バネ（６０１）を設置することによって導熱効果を高めるサポーター（６００）であって、
サポーター（６００）に発光二極体（ＬＥＤ）或いはガス灯（３００）及び「背面に散熱構造を持つ発光二極体（ＬＥＤ）或いはガス灯の構成を持つ半導体応用装置」（１０３１）を設置し、及び関連灯の光学及びシェール構造（４００）及び／或いは「背面に散熱構造を持つ光エネルギーを電気エネルギーに転換する光電発電を構成する半導体応用装置」（１０３２）及び電気エネルギー貯蔵装置（９００）、及び、制御ユニット（１１０）、ポンプ（１０６）、温度測定装置（１０７）、ろ過装置（１０８）のうちの一部の或いは全部ユニット装置を含み、
その中の「背面に散熱構造を持つ光エネルギーを電気エネルギーに転換する光電発電を構成する半導体応用装置」（１０３２）にサポーターの高い端或いは中間段に設置することを選択し、或いは別に補助アーム（１１００）、別に光線追跡装置（１２００）の補助アーム（１１００）を設置し、光源を追跡することによって、「背面に散熱構造を持つ光エネルギーを電気エネルギーに転換する光電発電を構成する半導体応用装置」（１０３２）の光エネルギーを電気エネルギーに転換する効率を高めるサポーター（６００）、
（１６ｂ）「背面に設置する散熱構造を持つ発光二極体（ＬＥＤ）或いはガス灯の構成を持つ半導体応用装置」（１０３１）及び／或いは「背面に散熱構造を持つ光エネルギーを電気エネルギーに転換する光電発電を構成する半導体応用装置」（１０３２）及び／或いは電気エネルギー貯蔵装置（９００）を持つ流体輸送配管、及び流体の流入口と流出口は別々に流体輸送配管（１０５）と連結し、均熱装置（１０２）と繋ぐことによって閉鎖流路を構成すること、
（１６ｃ）流体輸送配管（１０５）の内部は流体（１０４）が流通し、流体（１０４）を通して流体の温かい空気は上昇し、冷たい空気は下降する対流効果により循環を行い、或いはニーズによって加設するポンプ（１０６）を通してポンピングすることによって、均熱装置（１０２）と「背面に散熱構造を持つ発光二極体（ＬＥＤ）或いはガス灯の構成を持つ半導体応用装置」（１０３１）及び／或いは「背面に散熱構造を持つ光エネルギーを電気エネルギーに転換する光電発電を構成する半導体応用装置」（１０３２）及び／或いは電気エネルギー貯蔵装置（９００）の間に流体（１０４）を通して、均一な温度を伝送すること、
（１７）請求項１８記載の耐熱物質（７００）、
（１８）請求項１８記載の導熱体（８００）、
以上の構成からなる半導体装置の温度均一化システム。
【手続補正１０】
【補正対象書類名】実用新案登録請求の範囲
【補正対象項目名】請求項２０
【補正方法】変更
【補正の内容】
【請求項２０】
光エネルギーを電気エネルギーに転換する光電発電装置へ応用し、
相対的に安定している貯温容量を持つ地層、地表、貯水池、湖泊、河川、砂漠、氷山、海洋等の固相或いは液相の自然貯温ユニットによって構成する自然貯温マトリックス（１０１）の温度エネルギーを通して、光エネルギーを電気エネルギーに転換する光電発電装置（１０００）によって背面に散熱構造を持つ光エネルギーを電気エネルギーに転換する光電発電装置を構成する半導体応用装置（１０３２）に対して、熱エネルギーを産生することによって温度均一化を保ち、
その主な構成は、
少なくとも１ヶ所に流体輸送配管（１０５）を設け、ポンプ（１０６）のポンピングを通して、或いは流体の温かい空気は上昇し、冷たい空気は下降する対流効果によって駆動され、流体が「背面に散熱構造を持つ光エネルギーを電気エネルギーに転換する光電発電装置を構成する半導体応用装置」（１０３２）に流れてから、再び流体輸送配管（１０５）を経て、自然貯温ユニット（１０１）に設置する均熱装置（１０２）へ戻ることによって、流体循環を構成することを特徴とする請求項１記載の半導体応用装置の温度均一化システムにおいて、
（１）請求項１記載の均熱装置（１０２）、またはサポーター（６００）を自然貯温ユニット（１０１）のパイプに埋め込むことによって構成される均熱装置（１０２）、
（１ａ）一個以上の均熱装置（１０２）が、同一の「背面に散熱構造を持つ光エネルギーを電気エネルギーに転換する光電発電装置を構成する半導体応用装置」（１０３２）によって構成する半導体応用装置に対して、自然貯温ユニットの温度均一化システムを通して、温度均一化を保つこと、
（１ｂ）或いは一個の均熱装置（１０２）によって、一個以上の「背面に散熱構造を持つ光エネルギーを電気エネルギーに転換する光電発電装置を構成する半導体応用装置」（１０３２）によって、独立設置する半導体応用装置の設置を通して、自然貯温ユニットの温度均一化システムを通して、温度均一化を保つこと、
（１ｃ）或いは二個以上の均熱装置（１０２）によって、二個以上の「背面に散熱構造を持つ光エネルギーを電気エネルギーに転換する光電発電装置を構成する半導体応用装置」（１０３２）によって独立設置する半導体応用装置の設置を通して、自然貯温ユニットの温度均一化システムを通して、温度均一化を保つこと、
（２２）光エネルギーを電気エネルギーに転換する半導体のガラス基板或いはセクションで、流体輸送配管の散熱構造を持つ光エネルギーを電気エネルギーに転換する光電発電装置（１０００）によって構成し、受光するとき、発電する電気エネルギーを電気エネルギー制御装置（１００５）へ輸送してから、再び外部に対して電気エネルギーを出力する「背面に散熱構造を持つ光エネルギーを電気エネルギーに転換する光電発電装置を構成する半導体応用装置」（１０３２）、
（２０）機械電気或いは固相半導体回路コンポネント或いはインテグレートサーキットによって構成し、光エネルギーを電気エネルギーに転換する光電発電装置（１０００）の出力電圧或いは電流を制御する電気エネルギー制御装置（１００５）、
（３）熱伝送機能を持つ気体或いは液体等の流体であって、システム作動中にポンプ（１０６）のポンピングを受け、自然貯温ユニット（１０１）の中に設置する均熱装置（１０２）を通過してから、及び／或いは流体輸送配管（１０５）、及び／或いは「背面に散熱構造を持つ光エネルギーを電気エネルギーに転換する光電発電装置を構成する半導体応用装置」（１０３２）を通過してから、流体輸送配管（１０５）を経て均熱装置（１０２）へ戻り、循環を形成することによって温度均一化機能を作動させ、
または温かい空気が上昇し、冷たい空気は下降する効果により、循環を形成し、温度均一化機能を作動させる流体（１０４）、
（４）請求項１記載の流体輸送配管（１０５）、
（４ａ）流体輸送配管（１０５）は、均熱装置（１０２）と「背面に散熱構造を持つ光エネルギーを電気エネルギーに転換する光電発電装置を構成する半導体応用装置」（１０３２）の間に設置され、またポンプ（１０６）が接続されること、
（５）光エネルギーを電気エネルギーに転換する光電発電装置（１０００）によって発電する電気エネルギー或いは電気エネルギー貯蔵装置（９００）の電気エネルギー、或いは電力、機械力、人力、その他自然力を動力源とし、流体ポンプを駆動することによって構成され、流体輸送配管（１０５）に連続的に設置され、制御ユニット（１１０）の制御を受けることによって、流体（１０４）をポンピングし、ポンピング機能により流体の温かい空気は上昇し、冷たい空気は下降する対流効果に取り換えるポンプ（１０６）、
（６）請求項１記載の温度測定装置（１０７）、
（６ａ）温度測定装置（１０７）は、「背面に散熱構造を持つ光エネルギーを電気エネルギーに転換する光電発電を構成する半導体応用装置」（１０３２）に設置されること、
（６ｂ）温度測定装置（１０７）は、温度を指示し、或いは制御信号を制御ユニット（１１０）及び／或いは電気エネルギー制御装置（１００５）へフィードバックすること、
（７）請求項１記載のろ過装置（１０８）、
（８）請求項１記載の温度調節補助装置（１０９）、
（９）請求項１記載の制御ユニット（１１０）、
（９ａ）制御ユニット（１１０）は、均熱装置（１０２）と「背面に散熱構造を持つ光エネルギーを電気エネルギーに転換する光電発電を構成する半導体応用装置」（１０３２）間の流体（１０４）の流向と流量を制御すること、
（１６）一個以上の柱状或いは支え台の構造によって構成し、その低い端に均熱装置（１０２）を設け、自然貯温ユニット（１０１）の中に設置する均熱装置（１０２）は、温度伝達バネ（６０１）を設置することによって導熱効果を高めるサポーター（６００）であって、
サポーター（６００）に「背面に散熱構造を持つ光エネルギーを電気エネルギーに転換する光電発電を構成する半導体応用装置」（１０３２）を設置し、及び、制御ユニット（１１０）、ポンプ（１０６）、温度測定装置（１０７）、ろ過装置（１０８）のうちの一部の或いは全部ユニット装置を含み、
その中の「背面に散熱構造を持つ光エネルギーを電気エネルギーに転換する光電発電を構成する半導体応用装置」（１０３２）に、サポーター或いは別に補助アーム（１１００）を設け、別に光線追跡装置（１２００）の補助アーム（１１００）を設けることによって、光源追跡の設置を選択することによって、光エネルギーを電気エネルギーに転換する効率を高めるサポーター（６００）、
（１６ｂ）「背面に散熱構造を持つ光エネルギーを電気エネルギーに転換する光電発電を構成する半導体応用装置」（１０３２）を持つ流体輸送配管、及び流体の流入口と流出口は別々に流体輸送配管（１０５）と連結し、均熱装置（１０２）と繋ぐことによって閉鎖流路を構成すること、
（１６ｃ）流体輸送配管（１０５）の内部は流体（１０４）が流通し、流体（１０４）を通して流体の温かい空気は上昇し、冷たい空気は下降する対流効果により循環を行い、或いは加設するポンプ（１０６）を通してポンピングすることによって、均熱装置（１０２）と「背面に散熱構造を持つ光エネルギーを電気エネルギーに転換する光電発電を構成する半導体応用装置」（１０３２）の間に流体（１０４）を通して、均一な温度を伝送すること、
（１７）自然貯温ユニット（１０１）に露出するサポーター（６００）と内部流体輸送配管（１０５）の間に入れ込むことによって、外部に対して耐熱効果を持ち、温度エネルギーロスを減少する耐熱物質（７００）であって、
耐熱物質（７００）を抽出空気の真空効果によって取り換え、サポーター（６００）は耐熱材料によって製成し、或いは流体輸送配管（１０５）は耐熱効果を持つ配管構造によって構成されるとき、設置しないことができる耐熱物質（７００）、
（１８）サポーター（６００）に設置する自然貯温ユニット（１０１）内のパイプ内部と流体輸送配管（１０５）の間に入れ込むことによって構成し、流体輸送配管（１０５）の流体（１０４）が均熱装置（１０２）と自然貯温ユニット（１０１）を経過する温度均一化を保つ効果が高くなり、
また均熱装置（１０２）の本体構造を一体構成することができる導熱体（８００）、
以上の構成からなる半導体装置の温度均一化システム。
【手続補正１１】
【補正対象書類名】実用新案登録請求の範囲
【補正対象項目名】請求項２１
【補正方法】変更
【補正の内容】
【請求項２１】
光エネルギーを電気エネルギーの光電発電装置に転換し、また電気エネルギー貯蔵装置の設置へ応用することを含み、
相対的に安定している貯温容量を持つ地層、地表、貯水池、湖泊、河川、砂漠、氷山、海洋等の固相或いは液相の自然貯温ユニットによって構成する自然貯温マトリックス（１０１）の温度エネルギーを通して、光エネルギーを電気エネルギーに転換する光電発電装置（１０００）によって背面に散熱構造を持つ光エネルギーを電気エネルギーに転換する光電発電装置を構成する半導体応用装置（１０３２）及び／或いは電気エネルギー貯蔵装置（９００）に対して、熱エネルギーを産生することによって、温度均一化を保ち、
その主な構成は、
少なくとも１ヶ所に流体輸送配管（１０５）を設け、ポンプ（１０６）のポンピングを通して、或いは流体の温かい空気は上昇し、冷たい空気は下降する対流効果によって駆動され、流体が背面に散熱構造を持つ光エネルギーを電気エネルギーに転換する光電発電装置を構成する半導体応用装置（１０３２）及び／或いは電気エネルギー貯蔵装置（９００）に流れてから、再び流体輸送配管（１０５）を経て、自然貯温ユニット（１０１）に設置する均熱装置（１０２）へ戻ることによって、流体循環を構成することを特徴とする請求項２０記載の半導体応用装置の温度均一化システムにおいて、
（１）請求項１記載の均熱装置（１０２）、またはサポーター（６００）を自然貯温ユニット（１０１）のパイプに埋め込むことによって構成される均熱装置（１０２）、
（１ａ）一個以上の均熱装置（１０２）が、同一の「背面に散熱構造を持つ光エネルギーを電気エネルギーに転換する光電発電装置を構成する半導体応用装置」（１０３２）及び／或いは電気エネルギー貯蔵装置（９００）によって構成する半導体応用装置に対して、自然貯温ユニットの温度均一化システムを通して、温度均一化を保つこと、
（１ｂ）或いは一個の均熱装置（１０２）によって、一個以上の「背面に散熱構造を持つ光エネルギーを電気エネルギーに転換する光電発電装置を構成する半導体応用装置」（１０３２）及び／或いは電気エネルギー貯蔵装置（９００）によって、独立設置する半導体応用装置の設置を通して、自然貯温ユニットの温度均一化システムを通して、温度均一化を保つこと、
（１ｃ）或いは二個以上の均熱装置（１０２）によって、二個以上の「背面に散熱構造を持つ光エネルギーを電気エネルギーに転換する光電発電装置を構成する半導体応用装置」（１０３２）及び／或いは電気エネルギー貯蔵装置（９００）によって独立設置する半導体応用装置の設置を通して、自然貯温ユニットの温度均一化システムを通して、温度均一化を保つこと、
（２２）光エネルギーを電気エネルギーに転換する半導体のガラス基板或いはセクションで、流体輸送配管の散熱構造を持つ光エネルギーを電気エネルギーに転換する光電発電装置（１０００）によって構成し、受光するとき、発電する電気エネルギーを電気エネルギー貯蔵装置（９００）へ輸送し、或いは外部に対して給電する「背面に散熱構造を持つ光エネルギーを電気エネルギーに転換する光電発電装置を構成する半導体応用装置」（１０３２）、
（１９）各種の充放電可能な二次電池或いはコンデンサやスーパーコンデンサによって構成し、背面に散熱構造を持つ光エネルギーを電気エネルギーに転換する光電発電を構成する半導体応用装置（１０３２）が発電する電気エネルギーを貯蔵し、及び外部に対して出力し、
温度測定装置（１０７）及び流体輸送配管（１０５）を設置することができる電気エネルギー貯蔵装置（９００）、
（２０）請求項２０記載の電気エネルギー制御装置（１００５）、
（３）請求項２０記載の流体（１０４）、
（４）請求項２０記載の流体輸送配管（１０５）、
（５）請求項２０記載のポンプ（１０６）、
（６）請求項１記載の温度測定装置（１０７）、
（６ａ）温度測定装置（１０７）は、「背面に散熱構造を持つ光エネルギーを電気エネルギーに転換する光電発電を構成する半導体応用装置」（１０３２）及び／或いは電気エネルギー貯蔵装置（９００）に設置されること、
（６ｂ）温度測定装置（１０７）は、温度を指示し、或いは制御信号を制御ユニット（１１０）及び／或いは電気エネルギー制御装置（１００５）へフィードバックすること、
（７）請求項１記載のろ過装置（１０８）、
（８）請求項１記載の温度調節補助装置（１０９）、
（９）請求項１記載の制御ユニット（１１０）、
（９ａ）制御ユニット（１１０）は、均熱装置（１０２）と「背面に散熱構造を持つ光エネルギーを電気エネルギーに転換する光電発電を構成する半導体応用装置」（１０３２）及び／或いは電気エネルギー貯蔵装置（９００）間の流体（１０４）の流向と流量を制御すること、
（１６）一個以上の柱状或いは支え台の構造によって構成し、その低い端に均熱装置（１０２）を設け、自然貯温ユニット（１０１）の中に設置する均熱装置（１０２）は、温度伝達バネ（６０１）を設置することによって導熱効果を高めるサポーター（６００）であって、
サポーター（６００）に「背面に散熱構造を持つ光エネルギーを電気エネルギーに転換する光電発電を構成する半導体応用装置」（１０３２）及び／或いは電気エネルギー貯蔵装置（９００）を設置し、及び、制御ユニット（１１０）、ポンプ（１０６）、温度測定装置（１０７）、ろ過装置（１０８）のうちの一部の或いは全部ユニット装置を含み、
その中の「背面に散熱構造を持つ光エネルギーを電気エネルギーに転換する光電発電を構成する半導体応用装置」（１０３２）に、サポーター或いは別に補助アーム（１１００）を設け、別に光線追跡装置（１２００）の補助アーム（１１００）を設けることによって、光源追跡の設置を選択することによって、光エネルギーを電気エネルギーに転換する効率を高めるサポーター（６００）、
（１６ｂ）「背面に散熱構造を持つ光エネルギーを電気エネルギーに転換する光電発電を構成する半導体応用装置」（１０３２）及び／或いは電気エネルギー貯蔵装置（９００）を持つ流体輸送配管、及び流体の流入口と流出口は別々に流体輸送配管（１０５）と連結し、均熱装置（１０２）と繋ぐことによって閉鎖流路を構成すること、
（１６ｃ）流体輸送配管（１０５）の内部は流体（１０４）が流通し、流体（１０４）を通して流体の温かい空気は上昇し、冷たい空気は下降する対流効果により循環を行い、或いは加設するポンプ（１０６）を通してポンピングすることによって、均熱装置（１０２）と「背面に散熱構造を持つ光エネルギーを電気エネルギーに転換する光電発電を構成する半導体応用装置」（１０３２）の間に流体（１０４）を通して、均一な温度を伝送すること、
（１７）請求項２０記載の耐熱物質（７００）、
（１８）請求項２０記載の導熱体（８００）、
以上の構成からなる半導体装置の温度均一化システム。
【手続補正１２】
【補正対象書類名】実用新案登録請求の範囲
【補正対象項目名】請求項２２
【補正方法】変更
【補正の内容】
【請求項２２】
そのサポーター（６００）は一個以上のＵ型配管によってサポーターの支柱を構成することが可能で、Ｕ型配管の上端を支え台構造と結合することによって、半導体関連応用装置と制御関連回路装置を設置し、Ｕ型配管の上端の流体配管は、半導体応用装置に設置する或いは選択的に設置する電気エネルギー貯蔵装置（９００）の流体輸送配管（１０５）と連結することによって、一つの閉鎖流体回路を構成し、流体を通過して、均熱装置（１０２）間の温度エネルギーを伝送し、更に設置する半導体装置の機能によって、ポンプろ過装置や光線追跡装置（１２００）等の設置を選択することができ、
Ｕ型配管は耐熱材料によって構成し、或いは耐熱材料を覆い、或いは耐熱層の管材を覆うことによって構成し、或いは直徑が比較的大きい外管（６２０）によってサポーター（６００）の構造を構成し、内部に直徑が比較的小さい内部流体輸送配管（１０５）貫通して設置するによって、流体が流通する、Ｕ型配管は自然貯温ユニット（１０１）以上の一部に露出し、その外管（６２０）の外部は耐熱材料を覆い、外管（６２０）の内壁と内部流体輸送配管（１０５）間の空間に耐熱物質（７００）を詰込み、Ｕ型配管の上端に設置する支え台構造と結合することによって、Ｕ型配管本体は流体配管機能の構造を持ち、の構成方式は下記（１）〜（３）の一種以上を含み、
（１）自然貯温ユニット（１０１）内の配管に入れ込む配管は、良好な熱伝導特性を有する材料によって構成し、自然貯温ユニット（１０１）と良好な熱伝導特性を有する構造によって均熱機能を構成し、また外管（６２０）を自然貯温ユニット（１０１）に入れ込む部分と内部流体輸送配管の間に、導熱体（８００）を詰込む構成、
（２）別に均熱装置（１０２）を設け、自然貯温ユニット（１０１）の中に設置し、均熱装置（１０２）は流体流入口と流体流出口を有し、別々にＵ型配管の内部に設置する流体輸送配管（１０５）と連接することによって流体回路を構成し、均熱装置（１０２）の内部に流体配管を設置し、均熱装置（１０２）は、温度伝達バネ（６０１）を設置することによって、均熱効果を高める構成、
（３）外管を通して、直接的に自然貯温ユニット（１０１）の内部に流体が流通する空間と連接することによって、自然貯温ユニットの空間で均熱装置（１０２）の貯温機能を構成することによって、良好な熱伝導特性によって製成する均熱装置（１０２）を取り換える構成、
上述のＵ型配管の内部に自然貯温ユニット（１０１）に設置する均熱装置（１０２）へ通じる流体輸送配管（１０５）を持つ、その上端に流体流入口を持ち、流体流出口は外部に設置する流体輸送配管（１０５）を通して、気相或いは液相半導体応用装置に設置し、或いは選択的に設置する電気エネルギー貯蔵装置（９００）の流体輸送配管（１０５）と連接し、また流体の温かい空気は上昇し、冷たい空気は下降する自然対流或いはポンプ（１０６）を設置することによって、流体を圧送して、均熱循環のポンピングを行うことを特徴とする請求項１記載の半導体応用装置の温度均一化システム。
【手続補正１３】
【補正対象書類名】実用新案登録請求の範囲
【補正対象項目名】請求項２３
【補正方法】変更
【補正の内容】
【請求項２３】
オープン式の流体の温度均一化回路構造の採用を含み、即ち外部流体がろ過装置（１０８）を流れてから、再び自然貯温ユニット（１０１）の中に設置する均熱装置（１０２）に入ることによって、サポーター（６００）に設置する流体輸送配管（１０５）が発光二極体（ＬＥＤ）或いはガス灯（３００）の「背面に散熱構造を持つ発光二極体（ＬＥＤ）或いはガス灯の構成を持つ半導体応用装置」（１０３１）、及び／或いは光エネルギーを電気エネルギーに転換する光電発電装置（１０００）の「背面に散熱構造を持つ光エネルギーを電気エネルギーに転換する光電発電を構成する半導体応用装置」（１０３２）へ通じ、及び／或いは電気エネルギー貯蔵装置（９００）は、再びろ過装置（１０８）或いは網穴状カバーを通過し、外部に対して流体を排出し、或いは直接的に排出することを含み、
自然貯温ユニット（１０１）の中に入れ込む配管は、良好な熱伝導特性を有する材料によって構成し、自然貯温ユニット（１０１）と良好な熱伝導特性を有する構造によって均熱機能を構成し、また外管（６２０）を自然貯温ユニット（１０１）に入れ込む部分と内部流体輸送配管の間に、導熱体（８００）を詰込み、
別に均熱装置（１０２）を設け、自然貯温ユニット（１０１）の中に設置し、均熱装置（１０２）は流体流入口と流体流出口を有し、別々にＵ型配管の内部に設置する流体輸送配管（１０５）と連接することによって流体回路を構成し、均熱装置（１０２）の内部に流体配管を設置し、均熱装置（１０２）は、温度伝達バネ（６０１）を設置することによって、均熱効果を高め、
外管を通して、直接的に自然貯温ユニット（１０１）の内部に流体が流通する空間と連接することによって、自然貯温ユニットの空間で均熱装置（１０２）の貯温機能を構成することによって、良好な熱伝導特性によって製成する均熱装置（１０２）を取り換えることを特徴とする請求項１記載の半導体応用装置の温度均一化システム。